(57)【要約】  ＬＴＥネットワークを選択するための方法及びデバイスが開示される。本発明では、ＵＥはＣＳＦＢが開始されたときに登録されたＬＴＥ ＰＬＭＮに前記ＣＳＦＢサービスの後に戻ることが可能であり、これにより、ＰＳサービスの継続を確実にし、不要なＰＬＭＮネットワーク間の切り替えを排除し、前記ユーザ体験を促進させる。本発明の方法は、ＵＥが前記ＬＴＥ ＰＬＭＮにおいて複合登録を実行し、ＵＥがＣＳＦＢサービスを開始し、２Ｇ／３Ｇネットワークへフォールバックし、前記２Ｇ／３Ｇネットワークにおける等価ＰＬＭＮリストを受信し、ＵＥが前記ＬＴＥ ＰＬＭＮのアイデンティティ情報を前記等価ＰＬＭＮリストに付加し、前記ＣＳＦＢサービスが終了した時に、ＵＥが前記等価ＰＬＭＮリストに従って、ＰＬＭＮ選択を実行する。本発明の前記実施形態は、ＣＳＦＢサービスが終了した時に、ＬＴＥネットワークへ復帰する処理に主に使用される。
2016508339.tif 000002
【特許請求の範囲】
【請求項１】
ロング・ターム・エボリューション(LTE)ネットワークを選択するための方法であって、
ユーザ装置(UE)が、ＬＴＥパブリック・ランド・モバイル・ネットワーク(PLMN)において、複合登録を実行するステップと、
前記ＵＥが、第２世代／第３世代(2G/3G)ネットワークへフォールバックするために、回線交換フォールバック(CSFB)サービスを開始するステップと、
前記ＵＥが、前記２Ｇ／３Ｇネットワークにおける等価ＰＬＭＮリストを受信するステップと、
前記ＵＥが、前記ＬＴＥ ＰＬＭＮのアイデンティティ情報を前記等価ＰＬＭＮリストに付加するステップと、
前記ＣＳＦＢサービスが終了した時に、前記ＵＥが、前記等価ＰＬＭＮリストに従って、ＰＬＭＮ選択を実行するステップと、
を具備することを特徴とするロング・ターム・エボリューション(LTE)ネットワークを選択するための方法。
【請求項２】
前記等価ＰＬＭＮリストに従って、ＰＬＭＮ選択を実行する前記ステップは、
前記等価ＰＬＭＮリストに従って、優先的に前記ＬＴＥ ＰＬＭＮを選択するステップ
を具備することを特徴とする請求項１に記載の方法。
【請求項３】
優先的に前記ＬＴＥ ＰＬＭＮを選択する前記ステップは、
前記等価ＰＬＭＮリストに従って、ＬＴＥ周波数帯域情報に対応する周波数帯域上のセルを選択するステップと、
前記セルのために利用可能なＰＬＭＮから優先的に前記ＬＴＥ ＰＬＭＮを選択するステップと、
を具備し、
前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報であることを特徴とする請求項２に記載の方法。
【請求項４】
優先的に前記ＬＴＥ ＰＬＭＮを選択する前記ステップは、
前記等価ＰＬＭＮリストに従って、ＬＴＥ周波数帯域情報に対応する周波数帯域上のセルを選択するステップと、
前記セルのために利用可能なＰＬＭＮから優先的に前記ＬＴＥ ＰＬＭＮを選択するステップと、
を具備し、
前記ＬＴＥ周波数帯域情報は、前記ＵＥにより、前記２Ｇ／３Ｇネットワークから受信されることを特徴とする請求項２に記載の方法。
【請求項５】
ロング・ターム・エボリューション(LTE)ネットワークを選択するための方法であって、
ユーザ装置(UE)が、ＬＴＥパブリック・ランド・モバイル・ネットワーク(PLMN)における複合登録を実行するステップと、
回線交換フォールバック(CSFB)サービスが終了した時に、前記ＵＥが、ＬＴＥ周波数帯域情報に対応する周波数帯域上でＰＬＭＮ選択を実行するステップと、
を具備し、
前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報であることを特徴とするロング・ターム・エボリューション(LTE)ネットワークを選択するための方法。
【請求項６】
前記ＵＥが、前記ＬＴＥ周波数帯域情報に対応する前記周波数帯域上でＰＬＭＮ選択を実行する前記ステップは、
前記ＵＥが、前記ＬＴＥ周波数帯域情報に対応する前記周波数帯域上のセルを選択するステップと、
前記セルのための利用可能なＰＬＭＮから、優先的に前記ＬＴＥ ＰＬＭＮを選択するステップと、
を具備することを特徴とする請求項５に記載の方法。
【請求項７】
前記方法は、
前記ＵＥが前記ＣＳＦＢサービスを開始し、回線ドメインにフォールバックする時に、前記ＬＴＥ周波数帯域情報を格納するステップをさらに具備することを特徴とする請求項５又は６に記載の方法。
【請求項８】
ロング・ターム・エボリューション(LTE)ネットワークを選択するための方法は、
第２世代／第３世代(2G/3G)基地局が、サービング移動通信交換局／ビジタ・ロケーション・レジスタ(MSC/VLR)により送信された接続開放メッセージを受信するステップであって、前記接続開放メッセージは、ユーザ装置(UE)がＣＳＦＢサービスを開始したときに登録されたＬＴＥパブリック・ランド・モバイル・ネットワーク(PLMN)のアイデンティティ情報を具備し、前記２Ｇ／３Ｇ基地局は、前記ＣＳＦＢサービスのためのサービスを提供する基地局である、ステップと、
前記２Ｇ／３Ｇ基地局が、前記ＬＴＥ ＰＬＭＮの前記アイデンティティ情報に従って、ターゲット周波数帯域情報を選択するステップと、
前記ターゲット周波数帯域情報を前記ＵＥに送信するステップであって、前記ターゲット周波数帯域情報は、前記ターゲット周波数帯域情報に対応する周波数帯域上に駐在するためのセルを選択するために、前記ＵＥを示すために使用される、ステップと、
を具備することを特徴とするロング・ターム・エボリューション(LTE)ネットワークを選択するための方法。
【請求項９】
前記ターゲット周波数帯域情報を前記ＵＥに送信する前記ステップは、
優先度情報を前記ＵＥに送信するステップを具備し、
前記優先度情報は、前記周波数帯域情報を具備することを特徴とする請求項８に記載の方法。
【請求項１０】
ロング・ターム・エボリューション(LTE)ネットワークを選択するための方法であって、
回線交換フォールバック(CSFB)サービスが終了した時に、ＬＴＥ基地局が、前記ＵＥにより送信された接続確立要求メッセージを受信するステップであって、前記接続確立要求メッセージは、前記ＵＥのアイデンティティを具備する、ステップと、
前記ＬＴＥ基地局が、前記ＵＥのアイデンティティと、前記ＵＥが前記ＣＳＦＢサービスを開始するときに登録されたＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するステップと、
を具備することを特徴とするロング・ターム・エボリューション(LTE)ネットワークを選択するための方法。
【請求項１１】
前記方法は、
前記ＬＴＥ基地局が、第２世代／第３世代(2G/3G)基地局により送信された、前記ＵＥのアイデンティティ及び前記ＬＴＥ ＰＬＭＮの前記アイデンティティ情報を受信し、格納するステップをさらに具備し、
前記２Ｇ／３Ｇ基地局は、前記ＣＳＦＢサービスのためのサービスを提供する基地局であることを特徴とする請求項１０に記載の方法。
【請求項１２】
前記ＬＴＥ基地局が、第２世代／第３世代(2G/3G)基地局により送信された、前記ＵＥのアイデンティティ及び前記ＬＴＥ ＰＬＭＮの前記アイデンティティ情報を受信する前記ステップの前に、前記方法は、
前記２Ｇ／３Ｇ基地局が、サービング移動通信交換局／ビジタ・ロケーション・レジスタ(MSC/VLR)により送信された接続開放メッセージを受信するステップであって、前記接続開放メッセージは、前記ＵＥのアイデンティティ及び前記ＬＴＥ ＰＬＭＮの前記アイデンティティ情報を具備する、ステップと、
前記２Ｇ／３Ｇ基地局が、前記ＵＥのアイデンティティ及び前記ＬＴＥ ＰＬＭＮの前記アイデンティティ情報を前記ＬＴＥ基地局に送信するステップと、
をさらに具備することを特徴とする請求項１１に記載の方法。
【請求項１３】
前記サービングＭＳＣ／ＶＬＲが、前記ＵＥの登録されたＭＳＣ／ＶＬＲであるならば、前記ＵＥのアイデンティティ及び前記ＬＴＥ ＰＬＭＮの前記アイデンティティ情報は、前記サービングＭＳＣ／ＶＬＲにより、前記ＵＥの登録情報から取得されるか、又は
前記サービングＭＳＣ／ＶＬＲが、前記ＵＥの登録されたＭＳＣ／ＶＬＲでないならば、前記ＵＥのアイデンティティ及び前記ＬＴＥ ＰＬＭＮの前記アイデンティティ情報は、前記サービングＭＳＣ／ＶＬＲにより、前記ＵＥの登録されたＭＳＣ／ＶＬＲから取得されることを特徴とする請求項１２に記載の方法。
【請求項１４】
前記ＬＴＥ基地局は、前記ＵＥが前記ＣＳＦＢサービスを開始したときに、アクセスサービスを提供する基地局であり、
前記方法は、
前記ＵＥが、前記ＬＴＥ ＰＬＭＮにおける前記ＣＳＦＢサービスを開始したとき、前記ＬＴＥ基地局が、前記ＵＥのアイデンティティ及び前記ＬＴＥ ＰＬＭＮの前記アイデンティティ情報を格納するステップ、
をさらに具備することを特徴とする請求項１０に記載の方法。
【請求項１５】
前記方法は、
前記ＬＴＥ基地局が、前記ＵＥの前記格納されたアイデンティティ及び前記ＬＴＥ ＰＬＭＮの前記アイデンティティ情報を削除するステップ、
をさらに具備することを特徴とする請求項１１から１４のいずれか一項に記載の方法。
【請求項１６】
ユーザ装置(UE)は、
前記ＵＥが、ロング・ターム・エボリューション(LTE)パブリック・ランド・モバイル・ネットワーク(PLMN)において複合登録を実行し、回線交換フォールバック(CSFB)サービスを開始し、前記２Ｇ／３Ｇネットワークにフォールバックするとき、第２世代／第３世代(2G/3G)ネットワークから、等価ＰＬＭＮリストを受信するように構成されている受信器と、
前記ＬＴＥ ＰＬＭＮのアイデンティティ情報を、前記受信器により受信された前記等価ＰＬＭＮリストに追加し、前記ＣＳＦＢサービスが終了した時に、前記等価ＰＬＭＮリストに従って、ＰＬＭＮ選択を実行するように構成されているプロセッサと、
を具備することを特徴とするユーザ装置（ＵＥ）。
【請求項１７】
前記プロセッサは、前記等価ＰＬＭＮリストに従って、前記ＬＴＥ ＰＬＭＮを優先的に選択するように構成されていることを特徴とする請求項１６に記載のＵＥ。
【請求項１８】
前記プロセッサは、
前記等価ＰＬＭＮリストに従って、ＬＴＥ周波数帯域情報に対応する周波数帯域上のセルを選択し、
前記セルに対し、利用可能なＰＬＭＮから前記ＬＴＥ ＰＬＭＮを優先的に選択する、
ように構成され、
前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報であることを特徴とする請求項１７に記載のＵＥ。
【請求項１９】
前記プロセッサは、
前記等価ＰＬＭＮリストに従って、ＬＴＥ周波数帯域情報に対応する周波数帯域上のセルを選択し、
前記セルのための利用可能なＰＬＭＮから前記ＬＴＥ ＰＬＭＮを優先的に選択する、
ように構成されており、
前記ＬＴＥ周波数帯域情報は、前記ＵＥが、前記２Ｇ／３Ｇネットワークから受信することを特徴とする請求項１７に記載のＵＥ。
【請求項２０】
ユーザ装置(UE)は、
ネットワークデバイスと相互に作用し、ＬＴＥパブリック・ランド・モバイル・ネットワーク(PLMN)において複合登録を実行するように構成されている送受信機と、
回線交換フォールバック(CSFB)サービスが終了した時に、ＬＴＥ周波数帯域情報に対応する周波数帯域上でＰＬＭＮ選択を実行するように構成されているプロセッサと、
を具備し、
前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報であることを特徴とするユーザ装置(UE)。
【請求項２１】
前記プロセッサは、前記ＬＴＥ周波数帯域情報に対応する前記周波数帯域上のセルを選択し、前記セルのために利用可能なＰＬＭＮから前記ＬＴＥ ＰＬＭＮを優先的に選択するように構成されていることを特徴とする請求項２０に記載のＵＥ。
【請求項２２】
前記送受信機が前記ＣＳＦＢサービスを開始し、回線ドメインにフォールバックするときに、前記ＬＴＥ周波数帯域情報を格納するように構成されているストレージをさらに具備し、
前記プロセッサは、前記回線交換フォールバック(CSFB)サービスが終了した時に、前記ストレージから前記ＬＴＥ周波数帯域情報を取得するようにも構成されていることを特徴とする請求項２０又は２１に記載のＵＥ。
【請求項２３】
回線交換フォールバック(CSFB)サービスのためにサービスを提供するために使用される第２世代／第３世代(2G/3G)基地局であって、
サービング移動通信交換局／ビジタ・ロケーション・レジスタ(MSC/VLR)により送信された接続開放メッセージを受信するように構成された受信器であって、前記接続開放メッセージは、ユーザ装置(UE)がＣＳＦＢサービスを開始したときに登録されたＬＴＥパブリック・ランド・モバイル・ネットワーク(PLMN)のアイデンティティ情報を具備する、受信器と、
前記受信器により受信された前記ＬＴＥ ＰＬＭＮの前記アイデンティティ情報に従って、ターゲット周波数帯域情報を選択するように構成されたプロセッサであって、前記ターゲット周波数帯域情報は、前記ターゲット周波数帯域情報に対応する周波数帯域上に駐在するためのセルを選択するために、前記ＵＥを示すために使用される、プロセッサと、
前記プロセッサにより選択された前記ターゲット周波数帯域情報を、前記ＵＥに送信するように構成されている送信器と、
を具備することを特徴とする第２世代／第３世代(2G/3G)基地局。
【請求項２４】
前記送信器は、優先度情報を前記ＵＥに送信するように構成されており、
前記優先度情報は、前記周波数帯域情報を具備することを特徴とする請求項２３に記載の２Ｇ／３Ｇ基地局。
【請求項２５】
ロング・ターム・エボリューション(LTE)基地局であって、
回線交換フォールバック(CSFB)サービスが終了した時に、ユーザ装置(UE)により送信された接続確立要求メッセージを受信するように構成されている受信器であって、前記接続確立要求メッセージは、前記ＵＥのアイデンティティを具備する、受信機と、
前記ＵＥのアイデンティティ及び前記ＵＥが前記ＣＳＦＢサービスを開始した時に登録されたＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するように構成されているプロセッサと、
を具備ことを特徴とするロング・ターム・エボリューション(LTE)基地局。
【請求項２６】
ストレージをさらに具備し、
前記受信器は、第２世代／第３世代(2G/3G)基地局により送信された前記ＵＥのアイデンティティ及び前記ＬＴＥ ＰＬＭＮの前記アイデンティティ情報を受信するようにさらに構成され、前記２Ｇ／３Ｇ基地局は、前記ＣＳＦＢサービスのためのサービスを提供する基地局であり、
前記ストレージは、前記２Ｇ／３Ｇ基地局により送信され、前記受信器により受信された、前記ＵＥのアイデンティティ及び前記ＬＴＥ ＰＬＭＮの前記アイデンティティ情報を格納するように構成されていることを特徴とする請求項２５に記載のＬＴＥ基地局。
【請求項２７】
前記ＬＴＥ基地局は、前記ＵＥが前記ＣＳＦＢサービスを開始した時に、アクセスサービスを提供する基地局であり、
前記ＬＴＥ基地局は、前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を格納するように構成されているストレージをさらに具備することを特徴とする請求項２５に記載のＬＴＥ基地局。
【請求項２８】
前記プロセッサは、前記ＵＥの前記格納されたアイデンティティ及び前記ＬＴＥ ＰＬＭＮの前記アイデンティティ情報を削除するようにさらに構成されていることを特徴とする請求項２６又は２７に記載のＬＴＥ基地局。
【請求項２９】
ユーザ装置(UE)であって、
ロング・ターム・エボリューション(LTE)パブリック・ランド・モバイル・ネットワーク(PLMN)において複合登録を実行するように構成されている登録ユニットと、
回線交換フォールバック(CSFB)サービスを開始し、第２世代／第３世代(2G/3G)ネットワークにフォールバックするように構成されているフォールバックユニットと、
前記２Ｇ／３Ｇネットワークにおける等価ＰＬＭＮリストを受信するように構成されている受信ユニットと、
前記ＬＴＥ ＰＬＭＮのアイデンティティ情報を前記受信ユニットにより受信された前記等価ＰＬＭＮリストに付加するように構成されている付加ユニットと、
前記ＣＳＦＢサービスが終了した時に、前記付加ユニットにより修正された前記等価ＰＬＭＮリストに従って、ＰＬＭＮ選択を実行するように構成されている選択ユニットと、
を具備することを特徴とするユーザ装置(UE)。
【請求項３０】
前記選択ユニットは、前記付加ユニットにより修正された前記等価ＰＬＭＮリストに従って、前記ＬＴＥ ＰＬＭＮを優先的に選択するように構成されていることを特徴とする請求項２９に記載のＵＥ。
【請求項３１】
前記選択ユニットは、
前記付加ユニットにより修正された前記等価ＰＬＭＮリストに従って、ＬＴＥ周波数帯域情報に対応する周波数帯域上のセルを選択し、前記セルのための利用可能なＰＬＭＮから前記ＬＴＥ ＰＬＭＮを優先的に選択するように構成され、
前記ＬＴＥ周波数帯域情報は、前記ＵＥが、前記ＬＴＥ ＰＬＭＮへの複合登録を開始したときに前記ＵＥにより選択されたＬＴＥ周波数帯域の情報であることを特徴とする請求項３０に記載のＵＥ。
【請求項３２】
前記選択ユニットは、
前記付加ユニットにより修正された前記等価ＰＬＭＮリストに従って、ＬＴＥ周波数帯域情報に対応する周波数帯域上のセルを選択し、前記セルのための利用可能なＰＬＭＮから前記ＬＴＥ ＰＬＭＮを優先的に選択するように構成され、
前記ＬＴＥ周波数帯域情報は、前記ＵＥにより、前記２Ｇ／３Ｇネットワークから受信されることを特徴とする請求項３０に記載のＵＥ。
【請求項３３】
ユーザ装置(UE)であって、
ロング・ターム・エボリューション(LTE)パブリック・ランド・モバイル・ネットワーク(PLMN)において複合登録を実行するように構成されている登録ユニットと、
回線交換フォールバック(CSFB)サービスが終了した時に、ＬＴＥ周波数帯域情報に対応する周波数帯域上でＰＬＭＮ選択を実行するように構成されている選択ユニットと、
を具備し、
前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報であることを特徴とするユーザ装置(UE)。
【請求項３４】
前記選択ユニットは、
前記ＬＴＥ周波数情報に対応する前記周波数上のセルを選択し、前記セルのための利用可能なＰＬＭＮから前記ＬＴＥ ＰＬＭＮを優先的に選択するように構成されていることを特徴とする請求項３３に記載のＵＥ。
【請求項３５】
前記ＣＳＦＢサービスが開始され、ＣＳドメインがフォールバックされる時に、前記ＬＴＥ周波数帯域情報を格納するように構成されている格納ユニットをさらに具備し、
前記選択ユニットは、前記回線交換フォールバック(CSFB)サービスが終了した時に、前記格納ユニットから前記ＬＴＥ周波数情報を取得するようにさらに構成されていることを特徴とする請求項３３又は３４に記載のＵＥ。
【請求項３６】
回線交換フォールバック(CSFB)サービスのためのサービスを提供するように構成されている第２世代／第３世代(2G/3G)基地局であって、
サービング移動通信交換局／ビジタ・ロケーション・レジスタ(MSC/VLR)により送信された接続開放メッセージを受信するように構成された受信ユニットであって、前記接続開放メッセージは、ユーザ装置(UE)がＣＳＦＢサービスを開始したときに登録されたＬＴＥパブリック・ランド・モバイル・ネットワーク(PLMN)のアイデンティティ情報を具備する、受信ユニットと、
前記受信ユニットにより受信される前記ＬＴＥ ＰＬＭＮの前記アイデンティティ情報に従って、ターゲット周波数帯域情報を選択するように構成されている選択ユニットであって、前記ターゲット周波数帯域情報は、前記ターゲット周波数帯域情報に対応する周波数帯域上に駐在するためのセルを選択するために、前記ＵＥを示すために使用される、選択ユニットと、
前記選択ユニットにより選択された前記ターゲット周波数帯域情報を前記ＵＥへ送信するように構成されている送信ユニットと、
を具備することを特徴とする第２世代／第３世代(2G/3G)基地局。
【請求項３７】
前記送信ユニットは、優先度情報を前記ＵＥへ送信するように構成されており、
前記優先度情報は、前記周波数帯域情報を具備することを特徴とする請求項３６に記載の２Ｇ／３Ｇ基地局。
【請求項３８】
ロング・ターム・エボリューション(LTE)基地局であって、
回線交換フォールバック(CSFB)サービスが終了した時に、ユーザ装置(UE)により送信された接続確立要求メッセージを受信するように構成されている受信ユニットであって、前記接続確立要求メッセージは、前記ＵＥのアイデンティティを具備する、受信ユニットと、
前記受信ユニットにより受信される、前記ＵＥのアイデンティティ及び前記ＵＥが前記ＣＳＦＢサービスを開始した時に登録されたＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するように構成されている選択ユニットと、
を具備することを特徴とするロング・ターム・エボリューション(LTE)基地局。
【請求項３９】
前記受信ユニットは、第２世代／第３世代(2G/3G)基地局により送信される、前記ＵＥのアイデンティティ及び前記ＬＴＥ ＰＬＭＮの前記アイデンティティ情報を受信するとともに格納するようにさらに構成され、
前記２Ｇ／３Ｇ基地局は、前記ＣＳＦＢサービスのためのサービスを提供する基地局であることを特徴とする請求項３８に記載のＬＴＥ基地局。
【請求項４０】
前記ＬＴＥ基地局は、前記ＵＥが前記ＣＳＦＢサービスを開始した時に、アクセスサービスを提供する基地局であり、
前記ＬＴＥ基地局は、前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を記録するように構成されている格納ユニットをさらに具備することを特徴とする請求項３８に記載のＬＴＥ基地局。
【請求項４１】
前記ＵＥの格納されたアイデンティティ及び前記ＬＴＥ ＰＬＭＮの前記アイデンティティ情報を削除するように構成されている削除ユニットをさらに具備することを特徴とする請求項３８から４０の何れか一項に記載のＬＴＥ基地局。
【発明の詳細な説明】
【技術分野】
【０００１】
本発明は、通信技術分野に関連し、特に、回線ドメインフォールバック(CSFB:Circuit Switched Fallback)サービスが終了するときに、ロング・ターム・エボリューション(LTE:Long Term Evolution)ネットワークを選択するための方法及びデバイスに関する。
【背景技術】
【０００２】
回線ドメイン(CS:Circuit Service)ネットワークは、音声通話などの回線ドメインサービスを提供するためのワイヤレスネットワークであり、ＧＳＭ（登録商標）、ＷＣＤＭＡ（登録商標）などの第２世代／第３世代（2G/3G）ネットワークのカバーエリアは、世界的に広がっている。ネットワーク技術の発展において、データサービスの提供に特化したロング・ターム・エボリューション（LTE:Long Term Evolution)ネットワークなどのパケットドメイン(PS:Packet Service)ネットワークが大規模に採用されている。したがって、現在の通信ネットワークにおいて、前記ＣＳドメインネットワークと前記ＰＳドメインネットワークとが共存し、オペレータは、２Ｇ／３Ｇネットワークを使用することにより、ユーザに回線ドメインサービスを適用できるとともに、ＬＴＥネットワークを使用することにより、ユーザにデータサービスを提供しうる。
【０００３】
このネットワークカバレージモードに基づき、第３世代移動体通信システム標準化プロジェクト (3GPP：3rd Generation Partnership Project)機構は、ＣＳ音声サービスの処理が必要とされる場合、前記ＬＴＥネットワークに登録されているユーザ装置(UE:User Equipment)が、サービスの処理を完了するために、２Ｇ／３ＧネットワークのＣＳドメインに復帰するように、「回線交換フォールバック」（CSFB：CS Fallback)技術を提唱している。前記ＣＳ音声通話が終了する状況において、現在のプロトコルは、ＵＥが前記ＰＳドメインネットワークに復帰し、ＣＳ音声通話が終了後ＰＳサービスを実行しうることを確実にするためのＣＳＦＢ復帰メカニズムをさらに定めており、特に、移動通信交換局（MSC）／ビジタロケーションレジスタ（VLR）は、ＣＳ音声通話により確立された接続を開放し、ＣＳＦＢの結果現在の接続が確立される基地局を示すことを含み、前記基地局は、前記ＬＴＥ周波数帯域情報に対応する前記ＬＴＥ周波数帯域上の適切なセルがリダイレクトされるときのように、前記基地局が接続を開放するときに、ＬＴＥネットワークを再選択し復帰するためにＵＥのためのＬＴＥ周波数帯域(Frequency)情報を示し、前記ＵＥは、前記適切なセルのブロードキャスト情報の利用可能なＬＴＥパブリック・ランド・モバイル・ネットワーク(パブリック・ランド・モバイル・ネットワーク（PLMN）)をランダムに選択する。
【０００４】
前述したＬＴＥネットワークへの復帰を実現するための処理において、発明者は、従来技術において少なくとも以下の問題点が存在することを発見した：ＣＳドメイン音声サービスが終了するときには、ＵＥは、おそらく、いくつかの異なるＰＬＭＮのＬＴＥネットワークのカバレージ内にあるため、例えば、ＣＳＦＢが開始された時に、前記ＵＥにより登録されたＬＴＥ ＰＬＭＮと、現在のＣＳサービスのＰＬＭＮのＬＴＥネットワークの双方が、前記ＵＥのために利用可能であり、一般に、前記ＵＥが、前記ＣＳ音声サービスが終了するときに共有ＬＴＥセルに入る(enter)ならば、前記ＵＥは、前記ＬＴＥセルにおいて、いくつかの利用可能なＬＴＥ ＰＬＭＮを取得しうる。いくつかのＬＴＥ ＰＬＭＮが利用可能なシナリオにおいて、従来技術においては、前記ＣＳＦＢサービスが開始されたときに登録された以前のＬＴＥ ＰＬＭＮを前記ＵＥが選択することは確実にはなされえず、前記ＵＥが他のＰＬＭＮのＬＴＥネットワークを再選択するならば、前記ＣＳＦＢサービスがトリガされる前に登録された前記ＬＴＥ ＰＬＭＮにおいて保留されている前記データサービスは回復されえず、継続中のデータサービスの中断の原因となり、同時に、不要なＰＬＭＮ間の切り替えの原因となり、これにより、ユーザのサービス体験に影響を及ぼす。
【発明の概要】
【課題を解決するための手段】
【０００５】
ＬＴＥネットワークを選択するための方法及びデバイスが、本発明の実施形態において提供される。本発明では、前記ＣＳＦＢサービスが終了した後に、ＵＥがＣＳＦＢが開始されたときに登録されたＬＴＥ ＰＬＭＮに復帰可能であり、それにより、ＰＳサービスの継続性を確保し、不要なＰＬＭＮ間の切り替えを防止し、サービスの効率性を向上するとともにユーザ体験を促進する。
【０００６】
前述の目的を達成するため、以下の記述的ソリューションが、本発明の実施形態において採用されている。
【０００７】
本発明の第１の態様において、ＬＴＥネットワークを選択するための方法が提供され、ユーザ装置（UE）により、ＬＴＥパブリック・ランド・モバイル・ネットワーク（PLMN）における複合登録を実行するステップと、前記ＵＥが、２Ｇ／３Ｇネットワークにフォールバックするために、回線交換フォールバック（CSFB）サービスを開始するステップと、前記ＵＥが、前記２Ｇ／３Ｇネットワークにおける等価ＰＬＭＮリストを受信するステップと、前記ＵＥが、前記ＬＴＥ ＰＬＭＮのアイデンティティ情報を前記等価ＰＬＭＮリストに追加するステップと、前記ＣＳＦＢサービスが終了した時に、前記ＵＥが、前記等価ＰＬＭＮリストに従って、ＰＬＭＮ選択を実行するステップと、を具備する。
【０００８】
本発明の第１の態様と組み合わせて、実施可能な方法において、等価ＰＬＭＮリストに従って、ＰＬＭＮ選択を実行する前記ステップは、前記等価ＰＬＭＮリストに従って、優先的に前記ＬＴＥ ＰＬＭＮを選択するステップを具備する。
【０００９】
本発明の第１の態様と前述の実施可能な方法を組み合わせて、他の実施可能な方法において、優先的に前記ＬＴＥ ＰＬＭＮを選択する前記ステップは、前記等価ＰＬＭＮリストに従って、ＬＴＥ周波数帯域情報に対応する周波数帯域上のセルを選択するステップと、前記セルのために利用可能なＰＬＭＮから優先的に前記ＬＴＥ ＰＬＭＮを選択するステップと、を具備し、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００１０】
本発明の第１の態様と前述の実施可能な方法を組み合わせて、他の実施可能な方法において、優先的に前記ＬＴＥ ＰＬＭＮを選択する前記ステップは、前記等価ＰＬＭＮリストに従って、ＬＴＥ周波数帯域情報に対応する周波数帯域上のセルを選択するステップと、前記セルのために利用可能なＰＬＭＮから優先的に前記ＬＴＥ ＰＬＭＮを選択するステップと、を具備し、前記ＬＴＥ周波数帯域情報は、前記ＵＥにより、前記２Ｇ／３Ｇネットワークから受信される。
【００１１】
本発明の第２の態様において、ＬＴＥネットワークを選択するための方法が提供され、ユーザ装置（UE）が、ＬＴＥパブリック・ランド・モバイル・ネットワーク（PLMN）において複合登録を実行するステップと、回線交換フォールバック（CSFB）サービスが終了した時に、前記ＵＥが、ＬＴＥ周波数帯域情報に対応する周波数帯域上で、ＰＬＭＮ選択を実行するステップと、を具備し、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００１２】
本発明の第２の態様と組み合わせて、実施可能な方法において、前記ＵＥが、前記ＬＴＥ周波数帯域情報に対応する前記周波数帯域上でＰＬＭＮ選択を実行する前記ステップは、前記ＵＥが、前記ＬＴＥ周波数帯域情報に対応する前記周波数帯域上のセルを選択するステップと、前記セルのための利用可能なＰＬＭＮから、優先的に前記ＬＴＥ ＰＬＭＮを選択するステップを具備する。
【００１３】
本発明の第２の態様と前述の実施可能な方法を組み合わせて、他の実施可能な方法において、前記方法は、前記ＵＥが前記ＣＳＦＢサービスを開始し、回線ドメインにフォールバックする時に、前記ＬＴＥ周波数帯域情報を格納するステップをさらに具備する。
【００１４】
本発明の第３の態様において、ＬＴＥネットワークを選択するための方法が提供され、２Ｇ／３Ｇ基地局が、サービング移動通信交換局／ビジタ・ロケーション・レジスタ(MSC/VLR)により送信された接続開放メッセージを受信するステップであって、前記接続開放メッセージは、ユーザ装置(UE)がＣＳＦＢサービスを開始したときに登録されたＬＴＥパブリック・ランド・モバイル・ネットワーク（PLMN）のアイデンティティ情報を具備し、前記２Ｇ／３Ｇ基地局は、前記ＣＳＦＢサービスのためのサービスを提供する基地局である、ステップと、前記２Ｇ／３Ｇ基地局が、前記ＬＴＥ ＰＬＭＮの前記アイデンティティ情報に従って、ターゲット周波数帯域情報を選択するステップと、前記ターゲット周波数帯域情報を前記ＵＥに送信するステップであって、前記ターゲット周波数帯域情報は、前記ターゲット周波数帯域情報に対応する周波数帯域上に駐在するためのセルを選択するために、前記ＵＥを示すために使用される、ステップと、
を具備する。
【００１５】
本発明の第３の態様と組み合わせて、実施可能な方法において、前記ターゲット周波数帯域情報を前記ＵＥに送信する前記ステップは、優先度情報を前記ＵＥに送信するステップを具備し、前記優先度情報は、前記周波数帯域情報を具備する。
【００１６】
本発明の第４の態様において、ＬＴＥネットワークを選択するための方法が提供され、回線交換フォールバック(CSFB)サービスが終了した時に、ＬＴＥ基地局が、前記ＵＥにより送信された接続確立要求メッセージを受信するステップであって、前記接続確立要求メッセージは、前記ＵＥのアイデンティティを具備する、ステップと、前記ＬＴＥ基地局が、前記ＵＥのアイデンティティと、前記ＵＥが前記ＣＳＦＢサービスを開始するときに登録されたＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するステップと、を具備する。
【００１７】
本発明の第４の態様と組み合わせて、実施可能な方法において、前記方法は、前記ＬＴＥ基地局が、２Ｇ／３Ｇ基地局により送信された、前記ＵＥのアイデンティティ及び前記ＬＴＥ ＰＬＭＮの前記アイデンティティ情報を受信するとともに格納するステップをさらに具備し、前記２Ｇ／３Ｇ基地局は、前記ＣＳＦＢサービスのためのサービスを提供する基地局である。
【００１８】
本発明の第４の態様と前述の実施可能な方法を組み合わせて、他の実施可能な方法において、前記ＬＴＥ基地局が、前記２Ｇ／３Ｇ基地局により送信された、前記ＵＥのアイデンティティ及び前記ＬＴＥ ＰＬＭＮの前記アイデンティティ情報を受信する前記ステップの前に、前記方法は、前記２Ｇ／３Ｇ基地局が、サービング移動通信交換局／ビジタ・ロケーション・レジスタ(MSC/VLR)により送信された接続開放メッセージを受信するステップであって、前記接続開放メッセージは、前記ＵＥのアイデンティティ及び前記ＬＴＥ ＰＬＭＮの前記アイデンティティ情報を具備する、ステップと、前記２Ｇ／３Ｇ基地局が、前記ＵＥのアイデンティティ及び前記ＬＴＥ ＰＬＭＮの前記アイデンティティ情報を前記ＬＴＥ基地局に送信するステップと、をさらに具備する。
【００１９】
本発明の第４の態様と前述の実施可能な方法を組み合わせて、他の実施可能な方法において、前記サービングＭＳＣ／ＶＬＲが前記ＵＥの登録されたＭＳＣ／ＶＬＲであるならば、前記ＵＥの登録情報から、前記ＵＥのアイデンティティ及び前記ＬＴＥ ＰＬＭＮの前記アイデンティティ情報が前記サービングＭＳＣ／ＶＬＲにより取得されるか、又は、前記サービングＭＳＣ／ＶＬＲが前記ＵＥの登録されたＭＳＣ／ＶＬＲでないならば、前記ＵＥのアイデンティティ及び前記ＬＴＥ ＰＬＭＮの前記アイデンティティ情報が、前記ＵＥの登録されたＭＳＣ／ＶＬＲから前記サービングＭＳＣ／ＶＬＲにより取得される。
【００２０】
本発明の第４の態様と前述の実施可能な方法を組み合わせて、他の実施可能な方法において、前記ＬＴＥ基地局は、前記ＵＥが前記ＣＳＦＢサービスを開始した時に、アクセスサービスを提供する基地局であり、前記方法は、前記ＵＥが前記ＬＴＥ ＰＬＭＮにおける前記ＣＳＦＢサービスを開始したとき、前記ＬＴＥ基地局が、前記ＵＥのアイデンティティ及び前記ＬＴＥ ＰＬＭＮの前記アイデンティティ情報を格納するステップをさらに具備する。
【００２１】
本発明の第４の態様と前述の実施可能な方法を組み合わせて、他の実施可能な方法において、前記方法は、前記ＬＴＥ基地局が、前記ＵＥの前記格納されたアイデンティティ及び前記ＬＴＥ ＰＬＭＮの前記アイデンティティ情報を削除するステップをさらに具備する。
【００２２】
本発明の第５の態様において、ユーザ装置(UE)が提供され、前記ＵＥが、ロング・ターム・エボリューション(LTE)パブリック・ランド・モバイル・ネットワーク(PLMN)において複合登録を実行し、回線交換フォールバック(CSFB)サービスを開始し、前記２Ｇ／３Ｇネットワークにフォールバックするとき、第２世代／第３世代（２Ｇ／３Ｇ）ネットワークから、等価ＰＬＭＮリストを受信するように構成されている受信器と、前記ＬＴＥ ＰＬＭＮのアイデンティティ情報を、前記受信器により受信された前記等価ＰＬＭＮリストに追加し、前記ＣＳＦＢサービスが終了した時に、前記等価ＰＬＭＮリストに従って、ＰＬＭＮ選択を実行するように構成されているプロセッサと、を具備する。
【００２３】
本発明の第５の態様と組み合わせて、実施可能な方法において、前記プロセッサは、前記等価ＰＬＭＮリストに従って、前記ＬＴＥ ＰＬＭＮを優先的に選択するように構成されている。
【００２４】
本発明の第５の態様と前述の実施可能な方法を組み合わせて、他の実施可能な方法において、前記プロセッサは、前記等価ＰＬＭＮリストに従って、ＬＴＥ周波数帯域情報に対応する周波数帯域上のセルを選択し、前記セルのための利用可能なＰＬＭＮから前記ＬＴＥ ＰＬＭＮを優先的に選択するように構成されており、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００２５】
本発明の第５の態様と前述の実施可能な方法を組み合わせて、他の実施可能な方法において、前記プロセッサは、前記等価ＰＬＭＮリストに従って、ＬＴＥ周波数帯域情報に対応する周波数帯域上のセルを選択し、前記セルのための利用可能なＰＬＭＮから前記ＬＴＥ ＰＬＭＮを優先的に選択するように構成されており、前記ＬＴＥ周波数帯域情報は、前記ＵＥにより、前記２Ｇ／３Ｇネットワークから受信される。
【００２６】
本発明の第６の態様において、ユーザ装置(UE)が提供され、ネットワークデバイスと相互に作用し、ＬＴＥパブリック・ランド・モバイル・ネットワーク(PLMN)において複合登録を実行するように構成されている送受信機と、回線交換フォールバック(CSFB)サービスが終了した時に、ＬＴＥ周波数帯域情報に対応する周波数帯域上でＰＬＭＮ選択を実行するように構成されているプロセッサと、を具備し、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００２７】
本発明の第６の態様と組み合わせて、実施可能な方法において、前記プロセッサは、前記ＬＴＥ周波数帯域情報に対応する前記周波数帯域上のセルを選択し、前記セルのための利用可能なＰＬＭＮから前記ＬＴＥ ＰＬＭＮを優先的に選択するように構成されている。
【００２８】
本発明の第６の態様と前述の実施可能な方法を組み合わせて、他の実施可能な方法において、前記ＵＥは、前記送受信機が前記ＣＳＦＢサービスを開始し、回線ドメインにフォールバックしたとき、前記ＬＴＥ周波数帯域情報を格納するように構成されているストレージをさらに具備し、前記プロセッサは、前記回線交換フォールバック(CSFB)サービスが終了した時に、前記ストレージから前記ＬＴＥ周波数帯域情報を取得するようにも構成されている。
【００２９】
本発明の第７の態様において、回線交換フォールバック(CSFB)サービスのためのサービスを提供するように構成されている２Ｇ／３Ｇ基地局が提供され、サービング移動通信交換局／ビジタ・ロケーション・レジスタ(MSC/VLR)により送信された接続開放メッセージを受信するように構成された受信器であって、前記接続開放メッセージは、ユーザ装置(UE)がＣＳＦＢサービスを開始したときに登録されたＬＴＥパブリック・ランド・モバイル・ネットワーク(PLMN)のアイデンティティ情報を具備する、受信器と、前記受信器により受信された前記ＬＴＥ ＰＬＭＮの前記アイデンティティ情報に従って、ターゲット周波数帯域情報を選択するように構成されているプロセッサであって、前記ターゲット周波数帯域情報は、前記ターゲット周波数帯域情報に対応する周波数帯域上に駐在するためのセルを選択するために、前記ＵＥを示すために使用される、プロセッサと、前記プロセッサにより選択された前記ターゲット周波数帯域情報を前記ＵＥに送信するように構成された送信器と、を具備する。
【００３０】
本発明の第７の態様と組み合わせて、実施可能な方法において、前記送信器は、優先度情報を前記ＵＥに送信するように構成されており、前記優先度情報は、前記周波数帯域情報を具備する。
【００３１】
本発明の第８の態様において、ロング・ターム・エボリューション(LTE)基地局は、回線交換フォールバック(CSFB)サービスが終了した時に、ユーザ装置(UE)により送信された接続確立要求メッセージを受信するように構成されている受信器であって、前記接続確立要求メッセージは、前記ＵＥのアイデンティティを具備する、受信器と、前記ＵＥのアイデンティティ及び前記ＵＥが前記ＣＳＦＢサービスを開始した時に登録された前記ＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するように構成されているプロセッサと、を具備する。
【００３２】
本発明の第８の態様と組み合わせて、実施可能な方法において、前記ＬＴＥ基地局は、ストレージをさらに具備し、前記受信器は、２Ｇ／３Ｇ基地局により送信された、前記ＵＥのアイデンティティ及び前記ＬＴＥ ＰＬＭＮの前記アイデンティティ情報を受信するようにさらに構成されており、前記２Ｇ／３Ｇ基地局は、前記ＣＳＦＢサービスのためのサービスを提供する基地局であり、前記ストレージは、前記２Ｇ／３Ｇ基地局により送信され、前記受信器により受信された、前記ＵＥのアイデンティティ及び前記ＬＴＥ ＰＬＭＮの前記アイデンティティ情報を格納するように構成されている。
【００３３】
本発明の第８の態様と前述の実施可能な方法を組み合わせて、他の実施可能な方法において、前記ＬＴＥ基地局は、送信器をさらに具備し、前記受信器は、サービング移動通信交換局／ビジタ・ロケーション・レジスタ(MSC/VLR)により送信された接続開放メッセージを受信するようにさらに構成されており、前記接続開放メッセージは、前記ＵＥのアイデンティティと、前記ＬＴＥ ＰＬＭＮのアイデンティティ情報と、を具備し、前記送信器は、前記ＵＥのアイデンティティ及び前記ＬＴＥ ＰＬＭＮの前記アイデンティティ情報を前記ＬＴＥ基地局に送信するようにさらに構成されている。
【００３４】
本発明の第８の態様と前述の実施可能な方法を組み合わせて、他の実施可能な方法において、前記サービング移動通信交換局／ビジタ・ロケーション・レジスタ(MSC/VLR)が前記ＵＥの登録されたＭＳＣ／ＶＬＲであるときは、前記ＵＥのアイデンティティ及び前記ＬＴＥ ＰＬＭＮの前記アイデンティティ情報は、前記サービングＭＳＣ／ＶＬＲにより、前記ＵＥの登録情報から取得されるか、又は、前記サービングＭＳＣ／ＶＬＲが前記ＵＥの登録されたＭＳＣ／ＶＬＲでないときは、前記ＵＥのアイデンティティ及び前記ＬＴＥ ＰＬＭＮの前記アイデンティティ情報は、前記サービングＭＳＣ／ＶＬＲにより、前記登録されたＭＳＣ／ＶＬＲから取得される。
【００３５】
本発明の第８の態様と前述の実施可能な方法を組み合わせて、他の実施可能な方法において、前記ＬＴＥ基地局は、前記ＵＥが前記ＣＳＦＢサービスを開始した時に、アクセスサービスを提供する基地局であり、前記ＬＴＥ基地局は、前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を格納するように構成されているストレージをさらに具備する。
【００３６】
本発明の第８の態様と前述の実施可能な方法を組み合わせて、他の実施可能な方法において、前記プロセッサは、前記ＵＥの前記格納されたアイデンティティ及び前記ＬＴＥ ＰＬＭＮの前記アイデンティティ情報を削除するようにさらに構成されている。
【００３７】
本発明の第９の態様において、ユーザ装置(UE)が提供され、ロング・ターム・エボリューション(LTE)パブリック・ランド・モバイル・ネットワーク(PLMN)において複合登録を実行するように構成されている登録ユニットと、回線交換フォールバック(CSFB)サービスを開始し、第２世代／第３世代(2G/3G)ネットワークにフォールバックするように構成されているフォールバックユニットと、前記２Ｇ／３Ｇネットワークにおける等価ＰＬＭＮリストを受信するように構成されている受信ユニットと、前記ＬＴＥ ＰＬＭＮのアイデンティティ情報を前記受信ユニットにより受信された前記等価ＰＬＭＮリストに付加するように構成されている付加ユニットと、前記ＣＳＦＢサービスが終了した時に、前記付加ユニットにより修正された前記等価ＰＬＭＮリストに従って、ＰＬＭＮ選択を実行するように構成されている選択ユニットと、を具備する。
【００３８】
本発明の第９の態様と組み合わせて、実施可能な方法において、前記選択ユニットは、前記付加ユニットにより修正された前記等価ＰＬＭＮリストに従って、前記ＬＴＥ ＰＬＭＮを優先的に選択するように構成されている。
【００３９】
本発明の第９の態様と前述の実施可能な方法を組み合わせて、他の実施可能な方法において、前記選択ユニットは、前記付加ユニットにより修正された前記等価ＰＬＭＮリストに従って、ＬＴＥ周波数帯域情報に対応する周波数帯域上のセルを選択し、前記セルのための利用可能なＰＬＭＮから前記ＬＴＥ ＰＬＭＮを優先的に選択するように構成されており、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００４０】
本発明の第９の態様と前述の実施可能な方法を組み合わせて、他の実施可能な方法において、前記選択ユニットは、前記付加ユニットにより修正された前記等価ＰＬＭＮリストに従って、ＬＴＥ周波数帯域情報に対応する 周波数帯域上のセルを選択し、前記セルのための利用可能なＰＬＭＮから前記ＬＴＥ ＰＬＭＮを優先的に選択するように特に構成されており、前記ＬＴＥ周波数帯域情報は、前記ＵＥにより前記２Ｇ／３Ｇネットワークから受信される。
【００４１】
本発明の第１０の態様において、ユーザ装置(UE)が提供され、ロング・ターム・エボリューション(LTE)パブリック・ランド・モバイル・ネットワーク(PLMN)において複合登録を実行するように構成されている登録ユニットと、回線交換フォールバック(CSFB)サービスが終了した時に、ＬＴＥ周波数帯域情報に対応する周波数帯域上でＰＬＭＮ選択を実行するように構成されている選択ユニットと、を具備し、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００４２】
本発明の第１０の態様と組み合わせて、実施可能な方法において、前記選択ユニットは、前記ＬＴＥ周波数情報に対応する前記周波数上のセルを選択し、前記セルのための利用可能なＰＬＭＮから前記ＬＴＥ ＰＬＭＮを優先的に選択するように構成されている。
【００４３】
本発明の第１０の態様と前述の実施可能な方法を組み合わせて、他の実施可能な方法において、前記ＵＥは、前記ＣＳＦＢサービスが開始され、ＣＳドメインがフォールバックされるときに、前記ＬＴＥ周波数帯域情報を格納するように構成されている格納ユニットをさらに具備し、前記選択ユニットは、前記回線交換フォールバック(CSFB)サービスが終了した時に、前記格納ユニットから前記ＬＴＥ周波数情報を取得するようにさらに構成されている。
【００４４】
本発明の第１１の態様において、回線交換フォールバック(CSFB)サービスのためのサービスを提供するように構成されている２Ｇ／３Ｇ基地局が提供される。前記２Ｇ／３Ｇ基地局は、サービング移動通信交換局／ビジタ・ロケーション・レジスタ(MSC/VLR)により送信された接続開放メッセージを受信するように構成された受信ユニットであって、前記接続開放メッセージは、ユーザ装置(UE)がＣＳＦＢサービスを開始したときに登録されたＬＴＥパブリック・ランド・モバイル・ネットワーク(PLMN)のアイデンティティ情報を具備する、受信ユニットと、前記受信ユニットにより受信される前記ＬＴＥ ＰＬＭＮの前記アイデンティティ情報に従って、ターゲット周波数帯域情報を選択するように構成されている選択ユニットであって、前記ターゲット周波数帯域情報は、前記ターゲット周波数帯域情報に対応する周波数帯域上に駐在するためのセルを選択するために、前記ＵＥを示すように構成されている、選択ユニットと、前記選択ユニットにより選択された前記ターゲット周波数帯域情報を前記ＵＥに送信するように構成されている送信ユニットと、を具備する。
【００４５】
本発明の第１１の態様と組み合わせて、実施可能な方法において、前記送信ユニットは、優先度情報を前記ＵＥに送信するように構成されており、前記優先度情報は、前記周波数帯域情報を具備する。
【００４６】
本発明の第１２の態様において、ロング・ターム・エボリューション(LTE)基地局は、回線交換フォールバック(CSFB)サービスが終了した時に、ユーザ装置(UE)により送信された接続確立要求メッセージを受信するように構成された受信ユニットであって、前記接続確立要求メッセージは、前記ＵＥのアイデンティティを具備する、受信ユニットと、前記受信ユニットにより受信される、前記ＵＥのアイデンティティ及び前記ＵＥが前記ＣＳＦＢサービスを開始した時に登録されたＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するように構成されている選択ユニットと、を具備する。
【００４７】
本発明の第１２の態様と組み合わせて、実施可能な方法において、前記受信ユニットは、２Ｇ／３Ｇ基地局により送信される、前記ＵＥのアイデンティティ及び前記ＬＴＥ ＰＬＭＮの前記アイデンティティ情報を受信するとともに格納するように構成されており、前記２Ｇ／３Ｇ基地局は、前記ＣＳＦＢサービスのためのサービスを提供する基地局である。
【００４８】
本発明の第１２の態様と前述の実施可能な方法を組み合わせて、他の実施可能な方法において、前記受信ユニットは、２Ｇ／３Ｇ基地局により送信された前記ＵＥのアイデンティティ及び前記ＬＴＥ ＰＬＭＮの前記アイデンティティ情報を受信するステップの前に、前記２Ｇ／３Ｇ基地局が、サービング移動通信交換局／ビジタ・ロケーション・レジスタ(MSC/VLR)により送信された接続開放メッセージを受信するようにさらに構成されており、前記接続開放メッセージは、前記ＵＥのアイデンティティ及び前記ＬＴＥ ＰＬＭＮの前記アイデンティティ情報を具備し、前記２Ｇ／３Ｇ基地局は、前記ＵＥのアイデンティティ及び前記ＬＴＥ ＰＬＭＮの前記アイデンティティ情報を前記２Ｇ／３Ｇ基地局に送信する。
【００４９】
本発明の第１２の態様と前述の実施可能な方法を組み合わせて、他の実施可能な方法において、前記サービング移動通信交換局／ビジタ・ロケーション・レジスタ(MSC/VLR)がである場合には、前記ＵＥのアイデンティティ及び前記ＬＴＥ ＰＬＭＮの前記アイデンティティ情報は、前記サービングＭＳＣ／ＶＬＲにより、前記ＵＥの登録情報から取得されるか、又は、前記サービングＭＳＣ／ＶＬＲが前記ＵＥの登録されたＭＳＣ／ＶＬＲでない場合には、前記ＵＥのアイデンティティ及び前記ＬＴＥ ＰＬＭＮの前記アイデンティティ情報は、前記サービングＭＳＣ／ＶＬＲにより、前記登録されたＭＳＣ／ＶＬＲから取得される。
【００５０】
本発明の第１２の態様と前述の実施可能な方法を組み合わせて、他の実施可能な方法において、前記ＬＴＥ基地局は、前記ＵＥが前記ＣＳＦＢサービスを開始した時に、アクセスサービスを提供する基地局であり、前記ＬＴＥ基地局は、前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を保存するように構成されている格納ユニットをさらに具備する。
【００５１】
本発明の第１２の態様と前述の実施可能な方法を組み合わせて、他の実施可能な方法において、前記ＬＴＥ基地局は、前記ＵＥの前記格納されたアイデンティティ及び前記ＬＴＥ ＰＬＭＮの前記アイデンティティ情報を削除するように構成されている削除ユニットをさらに具備する。
【００５２】
ランダムにアサインされＵＥが任意の近傍のＬＴＥネットワークに戻る従来技術における方法と比べ、ＣＳＦＢサービスが終了した後に、ＵＥがＬＴＥネットワークへ接続確立要求を開始するとき、前記ＵＥにより送信されたアイデンティティと前記ＵＥの前記格納されたアイデンティティを照合することにより、前記ＵＥが前記ＣＳＦＢを開始するときに前記ＵＥにより登録されたＬＴＥ ＰＬＭＮを判別することを具備する本発明の実施形態において提供されるＬＴＥネットワークを選択するための方法及びデバイスは、前記ＣＳＦＢが開始されるときに登録される前記ＬＴＥ ＰＬＭＮに復帰するように前記ＵＥに指定でき、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【００５３】
本発明の実施形態における技術的ソリューション又は従来技術をより明確に例証するために、前記実施形態又は従来技術において必要とされる図面の簡単な説明が以下でなされる。明らかに、以下で説明される図面は、単に本発明のいくつかの実施形態に過ぎず、これらの図面に基づき、当業者が創作的な取り組み無しに、他の図面も得ることができる。
【図面の簡単な説明】
【００５４】
【図１】図１は、本発明の実施形態におけるＬＴＥネットワークを選択するための方法のフローチャートである。
【図２】図２は、本発明の他の実施形態におけるＬＴＥネットワークを選択するための方法のフローチャートである。
【図３】図３は、本発明の他の実施形態におけるＬＴＥネットワークを選択するための方法のフローチャートである。
【図４】図４は、本発明の他の実施形態におけるＬＴＥネットワークを選択するための方法のフローチャートである。
【図５】図５は、本発明の他の実施形態におけるＬＴＥネットワークを選択するための方法のフローチャートである。
【図６】図６は、本発明の他の実施形態におけるＬＴＥネットワークを選択するための方法のフローチャートである。
【図７】図７は、本発明の他の実施形態におけるＵＥの構成の概略図である。
【図８】図８は、本発明の他の実施形態におけるＵＥの構成の概略図である。
【図９】図９は、本発明の他の実施形態における２Ｇ／３Ｇ基地局の構成の概略図である。
【図１０】図１０は、本発明の他の実施形態におけるＬＴＥ基地局の構成の概略図である。
【図１１】図１１は、本発明の他の実施形態におけるＵＥの構成の概略図である。
【図１２】図１２は、本発明の他の実施形態におけるＵＥの構成の概略図である。
【図１３】図１３は、本発明の他の実施形態における２Ｇ／３Ｇ基地局の構成の概略図である。
【図１４】図１４は、ＬＴＥ基地局 本発明の他の実施形態におけるＬＴＥ基地局の構成の概略図である。
【発明を実施するための形態】
【００５５】
本発明の前記実施形態の技術的ソリューションの明確かつ完全な説明が、本発明の実施形態において、添付の図面と共に以下でなされる。明らかに、以下で説明される実施形態は、本発明の前記実施形態の一部でありすべてではない。創造的な取り組み無しに本発明の前記実施形態に基づいて当業者によって得られる他のすべての実施形態は、本発明の保護範囲に含まれる。
【００５６】
明細書において、説明されるＬＴＥネットワークは、進化型ＵＭＴＳ地上無線アクセスネットワーク(英語表記は、「Evolved UMTS Territorial Radio Access Network」、英語の省略形は、「E-UTRAN」であり、ＵＭＴＳの中国語表記は、
【数１】
2016508339.tif 000003
であり、英語表記は、「Universal Mobile Telecommunications System」)である。第２世代(2G:2nd Generation)ネットワークは、ＧＳＭ（登録商標）/ＥＤＧＥ無線アクセスネットワーク(英語表記では、「ＧＳＭ／ＥＤＧＥ  Ｒａｄｉｏ  Ａｃｃｅｓｓ  Ｎｅｔｗｏｒｋ」、英語の省略形は、「GERAN」であり、ＧＳＭ（登録商標）の中国語表記は、
【数２】
2016508339.tif 000004
であり、英語表記は、「Global System of Mobile communication」であり、ＥＤＧＥの中国語表記は、
【数３】
2016508339.tif 000005
英語表記は、「Enhanced Data Rate for GSM Evolution」)である。第３世代(3G:3rd Generation)ネットワークは、ＵＴＲＡＮネットワークである。ＬＴＥネットワークのＰＬＭＮは、ＰＳドメインサービスのみを提供するが、２Ｇ／３Ｇネットワークにおいては、ＣＳドメインサービスを提供するＰＬＭＮのみならず、ＰＳドメインサービスを提供するＰＬＭＮも含まれている。
【００５７】
本発明の実施形態におけるユーザ装置(UE:User Equipment)は、次のものいずれであってもよく、前記ＵＥは、固定型(static)又は移動型(mobile)でもよい。固定型ＵＥ(static UE)は、端末(Terminal)、移動局(Mobile Station)、加入者ユニット(Subscriber Unit)、などを含んでよい。移動型ＵＥは、セルラーフォン(Cellular Phone)、個人情報端末(PDA:Personal Digital Assistant)、無線モデム(modem)、無線通信デバイス、ハンドヘルドデバイス(handheld)、ラップトップコンピュータ(Laptop Computer)、コードレス電話(Cordless Phone)、無線ローカルループ(WLL:Wireless Local Loop)局、などを含んでよい。先述のＵＥは、ワイヤレスネットワーク全体に分散されていてよい。
【００５８】
当業者の理解を容易にするために、具体的な応用例が以下に示される。本発明の実施形態において、ＬＴＥ基地局は、ＬＴＥネットワークのアクセスサービスを提供するｅＮｏｄｅＢなどの基地局でありうることに留意しなければならない。第２世代／第３世代(2G/3G)基地局は、２Ｇネットワークの基地局(BSS:Base Subsystem)又は、３Ｇネットワークの無線ネットワークサブシステム(RNS:Radio Network Subsystem)でありうる。モバイル管理ネットワーク要素は、移動通信交換局(MSC:Mobile Switching Centre)/ビジタ・ロケーション・レジスタ(VLR:Visitors Location Register)、又はモビリティ管理エンティティ(MME:Mobility Management Entity)、又はサービングＧＰＲＳサポートノード(SGSN:Serving GPRS Support Node)のいずれであってもよく、ＭＳＣ及びＶＬＲは一般に同一のネットワーク要素として、組み合わされており、ＭＳＣ／ＶＬＲ又は単にＶＬＲと呼ばれている。
【００５９】
ＬＴＥネットワークは、ＰＳデータサービスのみをサポートするため、データサービスの実行中又は前記ＬＴＥネットワークにおいてアイドル状態の間に、前記ＵＥが回線ドメインサービス(音声通話、付加サービス、位置情報サービスなどを含む)を開始したか又は受信したならば、前記ＵＥが前記２Ｇ／３Ｇネットワークにおける回線ドメインサービスを完了するために、ＵＥは、回線ドメインフォールバック(CSFB:Circuit Service Fall Back)フローを実行し、前記ＵＥを前記ＬＴＥネットワークから２Ｇ／３Ｇネットワークへフォールバックさせる必要がある。ＣＳサービスが終了するとき(ＣＳＦＢサービスのために前記ＵＥにより確立された２Ｇ／３Ｇネットワークにおける下位接続(underlying connection)の開放が回線ドメインサービスの終了を意味する)、端末は、前記ＬＴＥネットワークにおいてデータサービスを進めるためにＬＴＥネットワークに復帰する必要がある。本発明の実施形態において、ＣＳＦＢサービスは、回線ドメイン（ＣＳ）サービスとして、ＵＥがＣＳＦＢフローを開始し、２Ｇ／３Ｇネットワークにフォールバックすることが実行される必要のある場合に、ＬＴＥネットワークに駐在するＵＥにより実行されるＣＳサービスを具体的に指し、前記ＣＳＦＢサービスは、ＵＥが音声通話ページングを受信するときにトリガされるダウンリンクＣＳＦＢサービス、アクティブ音声通話によりトリガされるアップリンクＣＳＦＢサービス等の、アップリンクＣＳＦＢサービスと、ダウンリンクＣＳＦＢサービスを含む。本発明の実施形態において、ソースＭＳＣ／ＶＬＲは、複合登録フローにおいて前記ＵＥが正常に登録されるＭＳＣ／ＶＬＲであり、正常な複合登録の後にＬＴＥネットワークに駐在しているときの前記ＵＥのサービングＭＳＣ／ＶＬＲでもあり、登録されたＭＳＣ／ＶＬＲとも呼ばれる。サービングＭＳＣ／ＶＬＲは、前記ＵＥがＣＳＦＢフローを開始し、２Ｇ／３Ｇネットワークにフォールバックする時にＣＳサービスを実行するためのＵＥのためのサービスを提供するＭＳＣ／ＶＬＲであり、ターゲットＭＳＣ／ＶＬＲとも呼ばれる。
【００６０】
ＵＥの内部において、前記ＵＥの内部は、処理され、制御されるメッセージのオブジェクトの違いに従って、アクセス層(AS:Access Stratum)と非アクセス層(NAS:Non-Access Stratum)をに分かれ得る。前記ＡＳは、ＲＲ／ＲＲＣ接続開放メッセージを受信し、周波数帯域に従って適切なセルを選択するとともに駐在(residing)し、前記セルシステムブロードキャストメッセージを読み込み、利用可能なＰＬＭＮ情報を取得し、そしてそれを前記ＮＡＳに報告することを担当する。前記ＮＡＳは、ＡＳにより報告された前記利用可能なＰＬＭＮ情報に従ってＰＬＭＮ選択を実行するかどうかを決定する。
【００６１】
本発明の実施形態におけるＬＴＥネットワークを選択するための方法が提供される。図１に示されているように、前記方法は以下のステップを具備する。
【００６２】
１０１：回線交換フォールバック(CSFB)サービスが終了した時に、ＬＴＥ基地局は、ＵＥにより送信された接続確立要求メッセージを受信する。前記接続確立要求メッセージは、前記ＵＥのアイデンティティを具備する。
【００６３】
あるいは、ＬＴＥ基地局は、前記ＵＥのためのＬＴＥアクセスサービスを提供する。ＣＳＦＢが開始されたときに、前記ＵＥは、ＬＴＥ基地局に登録する。前記ＵＥの前記ＣＳＦＢサービスが終了したとき、及び前記ＵＥにより送信された、前記ＵＥのアイデンティティを含んでいる接続確立要求メッセージが受信されたとき、前記ＵＥのアイデンティティ及び前記格納された、前記ＵＥが前記ＣＳＦＢサービスを開始した時に登録された前記ＬＴＥ ＰＬＭＮのアイデンティティ情報に従って、前記ＣＳＦＢが開始されたときに登録された前記ＬＴＥ ＰＬＭＮが前記ＵＥのために選択されるように、ＵＥがＣＳＦＢを開始したとき、ＬＴＥ基地局は、前記ＵＥのアイデンティティ及び前記ＵＥにより登録されたＬＴＥ ＰＬＭＮのアイデンティティ情報を格納し得る。
【００６４】
あるいは、ＵＥにより開始されたＣＳＦＢサービスが終了したとき、サービングＭＳＣ／ＶＬＲは、前記ＣＳＦＢサービスが終了した時に、前記２Ｇ／３Ｇ基地局が前記ＵＥのアイデンティティ及び前記ＵＥにより登録されたＬＴＥ ＰＬＭＮの前記アイデンティティ情報をＵＥのためのＬＴＥアクセスサービスの提供可能な近接したＬＴＥ基地局に送信するように、前記ＵＥのアイデンティティ及び前記ＵＥにより登録されたＬＴＥ ＰＬＭＮのアイデンティティ情報を前記ＵＥのためのＣＳドメインにおけるアクセスサービスを提供する２Ｇ／３Ｇ基地局に送信し得る。これらの近接した基地局は、前記ＵＥがＣＳＦＢを開始したときに登録された前記ＬＴＥ基地局を含む。前記ＬＴＥ基地局は、前記２Ｇ／３Ｇ基地局により送信された、前記ＵＥのアイデンティティ及び前記ＵＥにより登録された前記ＬＴＥ ＰＬＭＮの前記アイデンティティ情報を格納する。このような方法で、ＬＴＥ基地局が、前記ＵＥのアイデンティティを含んでいる前記ＵＥにより送信された接続確立要求メッセージを受信する場合、前記ＣＳＦＢが開始されたときに登録されたＬＴＥ ＰＬＭＮは、前記ＵＥのアイデンティティ及び格納された前記ＵＥにより登録されたＬＴＥ ＰＬＭＮのアイデンティティ情報に従って、前記ＵＥのために選択され得る。前記２Ｇ／３Ｇ基地局は、前記２Ｇ／３Ｇ基地局に近接しているとともにＬＴＥアクセスサービスを提供し得る基地局をあらかじめ取得し得、例えば、ネットワーク設定に基づき又は自動近接関係（automatic neighbor relation）を利用して近接しているｅＮｏｄｅＢを取得し、前記ＵＥのアイデンティティ及び前記ＬＴＥ ＰＬＭＮの前記アイデンティティ情報は、ＬＴＥアクセスサービスを提供する各近接基地局に送信され得る。ＬＴＥサービスがＬＴＥ基地局において実行されるとき、ＵＥにより、ＣＳＦＢが開始されるので、ＣＳドメインを提供可能な近くの２Ｇ／３Ｇ基地局が選択され、それにより、前記ＵＥによりすでに登録された前記ＬＴＥ基地局は、前記ＣＳＦＢサービスを実行する２Ｇ／３Ｇ基地局に隣接している。前記ＬＴＥ基地局は、前記２Ｇ／３Ｇ基地局により送信された、前記ＵＥのアイデンティティ及び前記ＬＴＥ ＰＬＭＮの前記アイデンティティ情報を受信するとともに格納する。このような方法で、前記ＵＥがＬＴＥネットワークに復帰するための適切なセルを探索するとき、ＬＴＥ基地局は、前記ＵＥが前記ＬＴＥ基地局のサービスエリアに入ったならば、前記ＵＥが前記ＣＳＦＢサービスを開始した時に、前記ＬＴＥ ＰＬＭＮの前記アイデンティティ情報を判別するとともに選択し得る。
【００６５】
前記サービングＭＳＣ／ＶＬＲが前記ＵＥの登録されたＭＳＣ／ＶＬＲであるならば、前記サービングＭＳＣ／ＶＬＲは、前記ＵＥのアイデンティティ及び前記ＵＥにより登録されたＬＴＥ ＰＬＭＮのアイデンティティ情報を前記ＵＥの登録情報から取得することに留意しなければならない。前記サービングＭＳＣ／ＶＬＲが前記ＵＥの登録されたＭＳＣ／ＶＬＲでないならば、前記サービングＭＳＣ／ＶＬＲは、前記ＵＥのアイデンティティ及び前記ＵＥにより登録されたＬＴＥ ＰＬＭＮのアイデンティティ情報を、前記ＵＥの登録されたＭＳＣ／ＶＬＲから取得する。
【００６６】
前記ＵＥのアイデンティティは、システム・アーキテクチャ・エボリューション(SAE:System Architecture Evolution)テンポラリ・モバイル・サブスクライバ・アイデンティティ(S-TMSI:SAE Temporary Mobile Subscriber Identity)、国際モバイル・サブスクライバ・アイデンティティ(IMSI: International Mobile Subscriber Identity)、又はテンポラリ・モバイル・サブスクライバ・アイデンティティ(TMSI:Temporary Mobile Subscriber Identity)であり得るが、本発明の実施形態において限定されない。前記ＵＥにより登録されたＬＴＥ ＰＬＭＮのアイデンティティ情報は、登録されたＬＴＥ ＰＬＭＮアイデンティティ(ID:identity)であり得、登録されたＬＴＥ ＰＬＭＮ ＩＤを含んでいるグローバル・ユニーク・テンポラリ・アイデンティティ(GUTI:Globally Unique Temporary Identity)であってもよく、登録されたＬＴＥ ＰＬＭＮ ＩＤを含んでいるトラッキング・エリア・アイデンティティ(TAI:Tracking Area Identity)であってもよく、登録されたＬＴＥ ＰＬＭＮ ＩＤを含んでいるＥ−ＵＴＲＡＮ・セル・グローバル・アイデンティティ(ECGI:E-UTRAN Cell Global Identity)であってもよく、本発明の実施形態において限定されない。
【００６７】
前記ＵＥにより開始された前記ＣＳＦＢサービスが終了するときに、前記接続確立要求メッセージが送信される。ＬＴＥ基地局は、ｅＮｏｄｅＢなどのＬＴＥアクセスサービスを提供する基地局であり得る。ＬＴＥ基地局は、少なくとも２つのＬＴＥ ＰＬＭＮで共有され得、すなわち、ＬＴＥ基地局は、少なくとも２つのＬＴＥ ＰＬＭＮのためにＬＴＥアクセスサービスが提供され得、例えば、ＬＴＥ基地局は、ＰＬＭＮ１及びＰＬＭＮ２の両方のためにＬＴＥアクセスサービスを提供できる。
【００６８】
１０２：前記ＬＴＥ基地局は、前記ＵＥのアイデンティティと、前記ＵＥが前記ＣＳＦＢサービスを開始するときに登録されたＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択する。
【００６９】
前記ＬＴＥ基地局が前記ＵＥのアイデンティティ及び前記ＬＴＥ ＰＬＭＮの前記アイデンティティ情報取得し得るため、ＵＥアイデンティティに対応するＬＴＥ ＰＬＭＮのアイデンティティ情報を判別するために、前記ＵＥにより送信された、受信されたＵＥアイデンティティと、格納されたＵＥアイデンティティとに従って照合が実行され得る。前記ＬＴＥ基地局は、前記ＬＴＥ ＰＬＭＮの前記アイデンティティ情報に従って、対応するＬＴＥ ＰＬＭＮを一意に判別でき、前記ＬＴＥ ＰＬＭＮを選択し、前記ＵＥのためのＬＴＥサービスを提供する。
【００７０】
従来技術において定義される、ＣＳＦＢ後にＬＴＥネットワークに復帰するための方法と比較し、本発明の実施形態において提供されるＬＴＥネットワークを選択するための方法は、ＣＳＦＢサービスが終了する時のＬＴＥネットワークへの接続確立要求を開始したとき、前記ＵＥにより送信された前記ＵＥアイデンティティと前記ＵＥの前記格納されたアイデンティティを照合することにより、前記ＵＥがＣＳＦＢを開始したときに登録されたＬＴＥ ＰＬＭＮを判別するとともに選択するステップと、選択するステップと、を具備し、前記ＵＥが、前記ＣＳＦＢが開始されたときに登録されたＬＴＥ ＰＬＭＮに復帰することを確実にでき、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【００７１】
本発明の実施形態におけるＬＴＥネットワークを選択するための他の方法が提供される。図２に示されているように、前記方法は、以下を具備する：
２０１：ＵＥは、複合登録を開始し、ＬＴＥネットワークをサポートするＰＬＭＮ１と、２Ｇ／３ＧネットワークをサポートするＰＬＭＮ２に正常に登録される。
【００７２】
Ｅ−ＵＴＲＡＮに駐在し、ＣＳＦＢをサポートする前記ＵＥは、ＥＰＣネットワークのＰＳドメイン及び２Ｇ／３ＧネットワークのＣＳドメインの同時登録を実現するために複合登録フローを開始する必要がある。前記ＵＥがＰＳドメインネットワーク(ＬＴＥ ＰＬＭＮ１)に登録されるとき、ＰＬＭＮ２のソースＭＳＣ／ＶＬＲは、前記ＵＥのアイデンティティ及び前記ＰＬＭＮ１の前記ＰＬＭＮ ＩＤ１を取得し得る。
【００７３】
複合登録フローにおいて、ネットワーク側は、前記ＵＥのために前記ソースＭＳＣ／ＶＬＲを選択する。前記ＵＥが前記ＣＳドメインネットワーク(CS PLMN2)に登録されるとき、モバイル管理エンティティ(MME:Mobile Management Entity)は、前記ＵＥのためにサービスを提供可能なソースＭＳＣ／ＶＬＲを選択し、位置更新要求を前記選択されたソースＭＳＣ／ＶＬＲに送信し、ＳＧのアソシエーションを確立する。前記ソースＭＳＣ／ＶＬＲは、登録要求をホーム・ロケーション・レジスタ(HLR:Home Location Register)に送信し、前記ＵＥのＣＳドメイン加入データを取得し、ＣＳドメインにおける前記ＵＥの登録を実現する。あるいは、ＭＳＣリソースプール(MSC pool)が採用されないシナリオの下では、ＭＭＥは、前記ＵＥの現在の位置情報に従ってサービス提供可能なＭＳＣ／ＶＬＲを選択し、ＭＳＣリソースプール(MSC pool)が採用されるシナリオの下では、ＭＭＥは、前記ＵＥの現在の位置情報及び国際モバイル加入者識別番号(IMSI: International Mobile Subscriber Identity)ハッシュテーブルに従って、前記ＭＳＣプールからサービングＭＳＣ／ＶＬＲを選択する。
【００７４】
２０２：前記ＵＥは、前記ＰＬＭＮ１におけるＣＳＦＢを開始し、前記ＰＬＭＮ２の２Ｇ／３Ｇネットワークに正常にフォールバックする。
【００７５】
複合登録が正常に実現されるとき、ＣＳＦＢサービスが、通常開始され得る。ＵＥがアップリンクＣＳＦＢとダウンリンクＣＳＦＢを開始する前記フローにおいて、ＬＴＥネットワークにおけるＭＭＥは、前記ＵＥのためのＣＳサービス ＰＬＭＮ ＩＤを選択し、前記選択されたＣＳ ＰＬＭＮ ＩＤをＬＴＥネットワークにおけるＬＴＥ基地局(eNodeB)に送信し、前記ＬＴＥ基地局(eNodeB)が前記ＵＥを前記ＣＳ ＰＬＭＮ ＩＤに対応するＣＳネットワークにフォールバックさせるべきであることを通知する。ＣＳドメインサービスは、前記ＵＥが２Ｇ／３Ｇネットワークに切り替えるときに開始され得る。例えば、開始されたＣＳ音声通話確立フローにおいて、ＵＥは、ＣＳＦＢ指示をサービングＭＳＣ／ＶＬＲに送信し得る。前記ＣＳＦＢ指示は、ＣＳＦＢが前記ＬＴＥネットワークにおいて実行されるように、この音声通話がトリガされることを示すために使用される。ＣＳ音声通話接続が正常に確立される場合、ＵＥは、音声通話を実行する。
【００７６】
２０３：ソースＭＳＣ／ＶＬＲは、サービングＭＳＣ／ＶＬＲに前記ＵＥのアイデンティティ及びＰＬＭＮ ＩＤ１を送信する。
【００７７】
前記ステップ２０３は、オプションのステップである。前記ＵＥがフォールバックする２Ｇ／３Ｇネットワークにおける前記ＵＥのサービングＭＳＣ／ＶＬＲが前記ソースＭＳＣ／ＶＬＲであるならば、前記ステップ２０３は、実行される必要はない。前記ＵＥのサービングＭＳＣ／ＶＬＲが、前記ステップ２０１において登録されたソースＭＳＣ／ＶＬＲでない場合のみ、前記ステップ２０３は、実行される。
【００７８】
前記ステップ２０１の複合登録プロセスにおいて、ソースＭＳＣ／ＶＬＲは、登録情報から前記ＵＥのアイデンティティを取得し得る。例えば、前記複合登録プロセスにおいて、ＭＭＥは、前記ＵＥの国際モバイル加入者識別番号(IMSI)をソースＭＳＣ／ＶＬＲに送信するか、又はＭＭＥは、前記ＵＥのＳＡＥテンポラリ・モバイル・サブスクライバ・アイデンティティ(S-TMSI:SAE Temporary Mobile Subscriber Identity)をソースＭＳＣ／ＶＬＲに送信してもよい。さらに、ソースＭＳＣ／ＶＬＲは、前記ＵＥにより登録されたＰＬＭＮ ＩＤ１を登録情報から取得し得る。例えば、複合登録プロセスにおいて、ＭＭＥは、ＭＭＥ名(name)をソースＭＳＣ／ＶＬＲに送信し、ＵＥにより登録されたＰＬＭＮ ＩＤ１は、前記ＭＭＥ名に含まれている。又は、複合登録フローにおいて、ＭＭＥは、トラッキング・エリア・アイデンティティ(TAI:Tracking Area Identity)又はＥ−ＵＴＲＡＮ・セル・グローバル・アイデンティティ(ECGI:E-UTRAN Cell Global Identity)をソースＭＳＣ／ＶＬＲに送信し得、前記ＵＥにより登録されたＰＬＭＮ ＩＤ１は、前記ＴＡＩ又は前記ＥＣＧＩが含まれている。
【００７９】
前記実施形態において、前記ＵＥが他のＭＳＣ／ＶＬＲ、すなわちサービングＭＳＣ／ＶＬＲのサービス範囲に入ったならば、２Ｇ／３Ｇネットワークにフォールバックする時、前記ＵＥは、前記サービングＭＳＣ／ＶＬＲの位置更新処理の間、ソースＭＳＣ／ＶＬＲの位置情報をサービングＭＳＣ／ＶＬＲに報告する。それから、前記サービングＭＳＣ／ＶＬＲは、前記ＵＥのアイデンティティ及び登録されたＰＬＭＮ ＩＤ１の取得要求に応じて、前記ＵＥにより報告された前記所在位置にしたがって、移動通信応用部(MAP:Mobile Application Part)送信識別情報(SEND IDENTIFICATION)メッセージを前記ソースＭＳＣ／ＶＬＲに送信する。前記ソースＭＳＣ／ＶＬＲは、前記ステップ２０１で取得された、前記ＵＥのアイデンティティ及び前記登録されたＰＬＭＮ ＩＤ１を、ＭＡＰ ＳＥＮＤ ＩＤＥＮＴＩＦＩＣＡＴＩＯＮ応答メッセージにおいて前記サービングＭＳＣ／ＶＬＲに送信する。
【００８０】
２０４：前記ＵＥは、前記ＰＬＭＮ２におけるＣＳドメインサービスを実行する。
【００８１】
前記ＣＳＦＢ後のＣＳドメインサービスは、音声通話、付加サービス、位置情報サービスなどを開始する又は受信するステップを含み得る。
【００８２】
２０５：前記ＵＥの前記ＣＳドメインサービスが終了したとき、サービングＭＳＣ／ＶＬＲは、第１の接続開放メッセージを２Ｇ／３Ｇ基地局に送信し、前記第１の接続開放メッセージは、ＣＳＦＢ指示、ＵＥアイデンティティ、及びＰＬＭＮ ＩＤ１を含んでおり、すなわち、前記２Ｇ／３Ｇ基地局は、前記ＵＥの前記ＣＳＦＢサービスの終了を取得する。
【００８３】
ＵＥのＣＳドメインサービスが終了するとき、サービングＭＳＣ／ＶＬＲは、基地局との接続開放フローを開始し、ＣＳＦＢ指示、ＵＥアイデンティティ、及びＰＬＭＮ ＩＤ１が、第１の接続開放メッセージにおいて搬送される。前記ＣＳＦＢ指示は、ＵＥの現在のＣＳドメインサービスが、ＣＳＦＢによるものであることを示すために使用され、前記ＣＳドメインサービスが終了したとき、前記ＵＥは、ＬＴＥネットワークに復帰するようにリダイレクトされる必要がある。
【００８４】
サービングＭＳＣ／ＶＬＲから２Ｇ／３Ｇ基地局へ送信されたＵＥアイデンティティは、ＳＡＥテンポラリ・モバイル・サブスクライバ・アイデンティティ(S-TMSI)、国際モバイル加入者識別番号(IMSI)、又はＵＥのテンポラリ・モバイル・サブスクライバ・アイデンティティ(TMSI:Temporary Mobile Subscriber Identity)であってよいが、本発明の実施形態において限定されない。サービングＭＳＣ／ＶＬＲから２Ｇ／３Ｇ基地局へ送信された、登録されたＬＴＥ ＰＬＭＮのアイデンティティ情報は、登録されたＬＴＥ ＰＬＭＮアイデンティティ(ID:identity)であり得、登録されたＬＴＥ ＰＬＭＮ ＩＤを含んでいるグローバル・ユニーク・テンポラリ・アイデンティティ(GUTI:Globally Unique Temporary Identity)であってもよく、登録されたＬＴＥ ＰＬＭＮ ＩＤを含んでいるトラッキング・エリア・アイデンティティ(TAI:Tracking Area Identity)であってもよく、登録されたＬＴＥ ＰＬＭＮ ＩＤを含んでいるＥ−ＵＴＲＡＮ・セル・グローバル・アイデンティティ(ECGI:E-UTRAN Cell Global Identity)であってもよい。前記実施形態においては、登録されたＬＴＥ ＰＬＭＮのアイデンティティ情報がＰＬＭＮ ＩＤ１である単なる一例であり、他の形式の前記登録されたＬＴＥ ＰＬＭＮのアイデンティティ情報は、本発明の実施形態において重複するため説明しない。
【００８５】
２０６：前記２Ｇ／３Ｇ基地局は、前記ＵＥのアイデンティティ及び前記ＰＬＭＮ ＩＤ１を、ＬＴＥアクセスサービスを提供する近接した基地局に送信し、ＬＴＥアクセスサービスを提供する前記近接した基地局は、前記ＵＥがＣＳＦＢを開始したときに、前記ＵＥのためにＬＴＥアクセスサービスを提供する、前記ＬＴＥ基地局を含む。
【００８６】
例えば、前記２Ｇ／３Ｇ基地局は、前記取得された前記ＵＥのアイデンティティ及び前記登録されたＬＴＥ ＰＬＭＮ ＩＤ１を、無線アクセスネットワーク情報管理(RIM:RAN Information Management)のフローを通じてＬＴＥアクセスサービスを提供する前記近接した基地局に送信することができ、前記ＬＴＥ基地局は、前記受信された前記ＵＥのアイデンティティ及びＰＬＭＮ ＩＤ１を格納する。前記２Ｇ／３Ｇ基地局は、ネットワーク管理システムの設定を通じてＬＴＥアクセスサービスを提供する前記近接した基地局を取得し得、自動近接発見フローを通じてＬＴＥアクセスサービスを提供する前記近接した基地局も発見し得る。
【００８７】
さらに、ＬＴＥ基地局ストレージリソースを過剰に占有しないように、前記ＵＥのアイデンティティ及び前記ＵＥにより登録されたＬＴＥ ＰＬＭＮの前記アイデンティティ情報は、いつまでも格納されているわけではない。あるいは、ＬＴＥ基地局が、ＵＥがＣＳＦＢフローを開始したことを取得した場合、タイマーをスタートさせてもよい。前記タイマーが満了したとき、前記ＵＥの前記格納されたアイデンティティ及び前記ＵＥにより登録されたＬＴＥ ＰＬＭＮ ＩＤ１は削除され、前記タイマーのタイミングは、ストレージ空間のサイズや、ＬＴＥ基地局のサービスのビジー度合、ＵＥの優先度等の要素に従って予めセットされてよいが、本発明において限定されない。又は、前記ＵＥの前記格納されたアイデンティティ及び前記ＵＥにより登録されたＬＴＥ ＰＬＭＮ ＩＤ１は、他のトリガ条件を適用することにより削除されてもよく、例えば、ＵＥの格納されたアイデンティティ及びＵＥにより登録されたＬＴＥ ＰＬＭＮのアイデンティティ情報が一定の容量に到達する、又は一定の数量に到達するとき、最も早くに格納されたＵＥのアイデンティティ及びＵＥにより登録されたＬＴＥ ＰＬＭＮのアイデンティティ情報は、格納されているＵＥのアイデンティティ及びＬＴＥ ＰＬＭＮのアイデンティティ情報の容量又は数量が予めセットされた容量又は数量より少なく又は以下になるまで削除される。
【００８８】
２０７：前記２Ｇ／３Ｇ基地局は、ＣＳＦＢ指示に従って、ＬＴＥ周波数帯域(Frequency)情報を選択する。
【００８９】
第１の接続開放メッセージが受信される場合、２Ｇ／３Ｇ基地局が前記ＵＥのためにＬＴＥ周波数帯域を選択することは、従来技術に属している。判別されたＬＴＥ周波数帯域情報は、登録されたＬＴＥ ＰＬＭＮによりサポートされるＬＴＥ周波数帯域情報であってよく、又は、前記ＰＬＭＮ２に対応するＬＴＥ周波数帯域情報であってもよく、又は、他のＰＬＭＮによりサポートされるＬＴＥ周波数帯域情報であってもよいが、本発明の実施形態において詳細には紹介していない。
【００９０】
２０８：前記２Ｇ／３Ｇ基地局は、第２の接続開放メッセージを前記ＵＥに送信する。前記第２の接続開放メッセージは、ステップ２０７において選択された前記ＬＴＥ周波数情報を具備する。
【００９１】
本出願の明細書に関係する第１の接続開放メッセージ及び第２の接続開放メッセージは、無線リソース(RR)接続開放(release)メッセージ、又は無線リソース制御(RRC:Radio Resource Control)接続開放メッセージ、又は無線リソースの開放を補助するために使用される他のメッセージであり得る。２Ｇ／３Ｇ基地局がＢＳＳならば、前記ＢＳＳは、ＲＲ接続開放メッセージをＵＥに送信する。ＲＲ接続開放メッセージは、前記ＵＥに指示し、前記ＵＥがＲＲ接続を開放するときに、リダイレクションを実行しＬＴＥネットワークに復帰するために使用される。そしてＬＴＥ周波数帯域情報は、前記ＵＥに指示し、リダイレクションを実行し、ＬＴＥ周波数帯域に対応するＬＴＥネットワークに復帰するための前記リダイレクション指示のコンテンツとされる。前記基地局がＲＮＳならば、前記ＲＮＳは、ＲＲＣ接続開放メッセージを前記ＵＥに送信する。前記ＲＲＣ接続開放メッセージは、前記ＵＥがＲＲＣ接続を開放するときに、前記ＵＥに指示し、リダイレクションを実行し、ＬＴＥネットワークに復帰するためのリダイレクション指示を含む。そして、ＬＴＥ周波数帯域情報は、前記ＵＥに指示し、リダイレクションを実行し、ＬＴＥ周波数帯域に対応するＬＴＥネットワークに復帰するための前記リダイレクション指示のコンテンツとされる。
【００９２】
２０９：前記ＵＥは、駐在するために前記ＬＴＥ周波数上で適切なセル(Suitable Cell)を探索する。
【００９３】
現在のＲＲ／ＲＲＣ接続が開放されるとき、ＵＥは、リダイレクション指示において割り当てられたＬＴＥ周波数情報に従って、ＬＴＥ周波数帯域上で適切なセルを探索し、前記ＬＴＥ周波数帯域上で探索された前記適切なセルに駐在する。前記適切なセルは、前記ＵＥが駐在でき、通常のサービスを取得できるセルである。実際の応用においては、ＬＴＥ周波数帯域上で探索されたセルにおいて、ＵＥが通常のサービスを取得できないことも生じこともあり(例えば、緊急サービスのみが取得され得る)、すなわちそれは、不適切なセルである。この場合には、前記ＵＥは、適切なセルをすべての周波数帯域上で再び探索しよいが、本発明の実施形態においては考慮されておらず、また重複して説明もしない。  
【００９４】
このステップにおいて、ＵＥは、現在の２Ｇ／３Ｇ基地局の、ＬＴＥアクセスサービスを提供するとともに、以前に前記ＵＥがＣＳＦＢを開始したときのＬＴＥ基地局を含む、任意の近傍の基地局に入り得ることに留意しなければならない。説明の便宜のために、ＵＥがエントリする前にＣＳＦＢを開始するＬＴＥ基地局は、このステップにおいて一例とされ、以下のステップ２１０、２１１でも同様である。前記ＵＥがＬＴＥアクセスサービスを提供する他の近接した基地局に入ったならば、前記近接した基地局は、前記ＬＴＥ基地局により実行されるのと同様の動作を実行する。
【００９５】
２１０：前記ＵＥは、接続確立要求メッセージを前記ＬＴＥ基地局に送信し、前記接続確立要求メッセージは、前記ＵＥのアイデンティティを含む。
【００９６】
前記ＵＥのアイデンティティは、システム・アーキテクチャ・エボリューション(SAE:System Architecture Evolution)テンポラリ・モバイル・サブスクライバ・アイデンティティ(S-TMSI:SAE Temporary Mobile Subscriber Identity)、国際モバイル加入者識別番号(IMSI:International Mobile Subscriber Identity)、又はテンポラリ・モバイル・サブスクライバ・アイデンティティ(TMSI:Temporary Mobile Subscriber Identity)であり得るが、本発明の実施形態において限定されない。
【００９７】
することに留意しなければならない。このステップにおいて、前記ＵＥが、ＴＥアクセスサービスを提供する他の近接する基地局に入ったならば、前記ＵＥは、前記ＵＥのアイデンティティを含む前記接続確立要求メッセージを前記基地局に送信する。
【００９８】
２１１：前記ＬＴＥ基地局は、前記接続確立要求メッセージに含まれている前記ＵＥのアイデンティティと、前記格納されている前記ＵＥのアイデンティティの照合により、前記ＵＥにより登録された前記ＰＬＭＮ ＩＤ１を判別し、前記ＵＥのためのＬＴＥアクセスサービスを提供するために、前記ＵＥにより登録された前記ＰＬＭＮ ＩＤ１に対応するＰＬＭＮを選択する。
【００９９】
前記ＬＴＥネットワークに復帰し、ＰＳサービスを実行するために、前記ＵＥは、前記ＰＬＭＮ１において接続確立フローを開始し、前記ＰＬＭＮ１において保留されているデータサービスを回復しうる、ジョイント・トラッキング・エリア更新(TAU:Tracking Area Updating)フローを開始する。前記ステップ２０６を通じて、前記ＬＴＥ基地局は、前記ＵＥのアイデンティティ及び前記ＵＥのアイデンティティに対応する、前記ＵＥにより登録された前記ＬＴＥ ＰＬＭＮの前記アイデンティティ情報を既に取得し、格納しており、結果として、前記ＵＥがＣＳＦＢを開始したときに登録された前記ＰＬＭＮ ＩＤ１は、このステップにおいてクエリされ得る。
【０１００】
具体的には、前記ＵＥにより送信された接続確立要求メッセージは、前記ＵＥにより選択される、前記ＬＴＥ ＰＬＭＮの前記アイデンティティ情報もまた含んでよい。前記ＬＴＥ基地局は、前記ＵＥのアイデンティティと、格納されているＵＥのアイデンティティとを照合でき、比較することにより、前記ＵＥにより選択された前記ＬＴＥ ＰＬＭＮの前記アイデンティティ情報が、前記格納されている、前記ＵＥにより登録されたＬＴＥ ＰＬＭＮのアイデンティティ情報と同じであるかどうかを判別する。前記２つが異なっているならば、前記登録されたＬＴＥ ＰＬＭＮの前記アイデンティティ情報は、前記ＬＴＥ基地局により、前記接続確立要求メッセージにおける前記ＬＴＥ ＰＬＭＮの前記アイデンティティ情報に置き換えられ得、それを前記ＬＴＥ基地局に接続されている前記ＭＭＥに送信し、ＴＡＵフローを完了する。
【０１０１】
ＵＥが、ＬＴＥネットワークへの接続確立要求メッセージを開始したとき、ＬＴＥ基地局が、ＵＥにより送信された前記ＵＥのアイデンティティと、格納された前記ＵＥのアイデンティティを照合することにより、前記ＵＥがＣＳＦＢを開始したときに前記ＵＥにより登録されたＬＴＥ ＰＬＭＮのアイデンティティ情報を判別し選択するステップを具備した本発明の実施形態により提供されるＬＴＥネットワークを選択するための方法は、前記ＵＥが前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１０２】
ＬＴＥネットワークを選択するための他の方法が、本発明の実施形態にいて提供される。図３に示されているように、前記方法は以下のステップを具備する。
【０１０３】
３０１：ＵＥは、複合登録を開始し、ＬＴＥネットワークをサポートするＰＬＭＮ１と、２Ｇ／３ＧネットワークをサポートするＰＬＭＮ２に正常に登録される。
【０１０４】
３０２：前記ＵＥは、前記ＰＬＭＮ１におけるＣＳＦＢを開始し、前記ＰＬＭＮ２の２Ｇ／３Ｇネットワークに正常にフォールバックする。
【０１０５】
図２に召されている実施形態と同様に、ステップ３０１−３０２は、従来技術に属しており、本発明の実施形態において重複して説明しない。
【０１０６】
３０３：ＬＴＥ基地局は、前記ＵＥのアイデンティティ及び前記ＵＥにより登録されたＬＴＥ ＰＬＭＮ ＩＤ１を格納する。
【０１０７】
前記ＬＴＥ基地局は、前記ＵＥがＣＳＦＢサービスの後にＬＴＥネットワーク選択を実行するとき、前記のＵＥのためにＣＳＦＢが開始されたときに登録された前記ＬＴＥネットワークを選択するために、前記ＵＥのアイデンティティ及び前記ＵＥにより登録されたＬＴＥ ＰＬＭＮの前記アイデンティティ情報を格納する。ＬＴＥ基地局のストレージリソースを過剰に占有しないように、前記ＵＥのアイデンティティ及び前記ＵＥにより登録されたＬＴＥ ＰＬＭＮの前記アイデンティティ情報は、いつまでも格納されているわけではない。あるいは、ＬＴＥ基地局が、ＵＥがＣＳＦＢフローを開始したことを取得した場合、タイマーをスタートさせてもよい。前記タイマーが満了したとき、前記ＵＥの前記格納されたアイデンティティ及び前記ＵＥにより登録されたＬＴＥ ＰＬＭＮ ＩＤ１は削除され、前記タイマーのタイミングは、ストレージ空間のサイズや、ＬＴＥ基地局のサービスのビジー度合、ＵＥの優先度等の要素に従って予めセットされてよいが、本発明において限定されない。又は、前記ＵＥの前記格納されたアイデンティティ及び前記ＵＥにより登録されたＬＴＥ ＰＬＭＮ ＩＤ１は、他のトリガ条件を適用することにより削除されてもよく、例えば、ＵＥの格納されたアイデンティティ及びＵＥにより登録されたＬＴＥ ＰＬＭＮのアイデンティティ情報が一定の容量に到達する、又は一定の数量に到達するとき、最も早くに格納されたＵＥのアイデンティティ及びＵＥにより登録されたＬＴＥ ＰＬＭＮのアイデンティティ情報は、格納されているＵＥのアイデンティティ及びＬＴＥ ＰＬＭＮのアイデンティティ情報の容量又は数量が予めセットされた容量又は数量より少なく又は以下になるまで削除される。
【０１０８】
３０４：前記ＵＥの前記ＣＳＦＢサービスが終了したとき、サービングＭＳＣ／ＶＬＲは、第１の接続開放メッセージを前記２Ｇ／３Ｇ基地局に送信し、前記第１の接続開放メッセージは、ＣＳＦＢ指示を含んでいる。
【０１０９】
前記ＣＳＦＢ指示は、現在終了したＣＳドメインサービスがＣＳＦＢによるものであることを前記ＵＥに示すために使用され、前記ＣＳドメインサービスが終了したとき、前記ＵＥは、ＬＴＥネットワークに復帰する必要がある。
【０１１０】
３０５：前記２Ｇ／３Ｇ基地局は、第２の接続開放メッセージを前記ＵＥに送信し、前記第２の接続開放メッセージは、ＬＴＥ周波数帯域情報を含んでいる。
【０１１１】
３０６：前記ＵＥにより、駐在のためのＬＴＥ周波数帯域上で前記ＬＴＥ基地局の適切なセル(Suitable Cell)が探索される。
【０１１２】
３０７：前記ＵＥは、接続確立要求メッセージを前記ＬＴＥ基地局に送信し、前記接続確立要求メッセージは、前記ＵＥのアイデンティティを含んでいる。
【０１１３】
前記実施形態において、ステップ３０４−３０７は従来技術に属しており、本発明の実施形態において重複して説明することはしない。
【０１１４】
３０８：前記ＬＴＥ基地局は、前記接続確立要求メッセージに含まれている前記ＵＥのアイデンティティと、前記ＵＥの前記格納されたアイデンティティを照合することにより、前記ＵＥにより登録された前記ＰＬＭＮ ＩＤ１を判別し、前記ＵＥのためのＬＴＥアクセスサービスを提供するために、前記ＵＥにより登録された前記ＰＬＭＮ ＩＤ１に対応するＰＬＭＮを選択する。
【０１１５】
前記ＬＴＥ基地局は、ステップ３０３において格納された前記ＵＥのアイデンティティ及び前記ＵＥにより登録されたＬＴＥ ＰＬＭＮのアイデンティティ情報と、前記接続確立要求メッセージに含まれている前記ＵＥのアイデンティティとに従って、前記登録されたＰＬＭＮ ＩＤ１に対応するＰＬＭＮを前記ＵＥのために選択することができ、前記ＵＥのためのＬＴＥアクセスサービスを提供する。ステップ３０８における具体的な実施方法は、図２に対応する実施形態のステップ２１１における実施方法と類似している。ステップ２１１において対応する内容が参照しうるので、ここでは、本発明の実施形態において重複して説明しない。
【０１１６】
本発明実施形態において提供されるＬＴＥネットワークを選択するための方法は、ＵＥのＣＳＦＢサービスが終了すると、前記ＵＥがＬＴＥネットワークへの接続確立要求メッセージを開始するように、２Ｇ／３Ｇ基地局は、前記ＵＥのアイデンティティ及び前記ＵＥにより登録されたＬＴＥ ＰＬＭＮのアイデンティティ情報をＬＴＥ基地局に送信し、前記ＬＴＥ基地局は、前記ＵＥにより送信された前記ＵＥのアイデンティティに従って、前記ＵＥがＣＳＦＢを開始したときに前記ＵＥにより登録されたＬＴＥ ＰＬＭＮの前記アイデンティティ情報を判別しうることを具備し、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１１７】
ＬＴＥネットワークを選択するための他の方法が、本発明の実施形態において提供される。ＵＥは、ＣＳＦＢが開始されたときに登録されたＬＴＥ ＰＬＭＮのアイデンティティ情報を格納し、前記格納された前記ＬＴＥ ＰＬＭＮのアイデンティティ情報を使用して等価ＰＬＭＮリストを更新する。図４に示されているように、前記方法は、以下のステップを具備する。
【０１１８】
４０１：ユーザ装置(UE)は、ＬＴＥパブリック・ランド・モバイル・ネットワーク(PLMN)において、複合登録を実行する。
【０１１９】
前記ＵＥは、２Ｇ／３Ｇネットワーク及びＬＴＥネットワークに同時に登録される。データサービスは、前記ＬＴＥネットワークにおいて実行され得る。ＣＳドメインサービスを実行する必要がある場合、ＣＳＦＢフローは、前記２Ｇ／３Ｇネットワークへのフォールバックを開始し得る。
【０１２０】
４０２：前記ＵＥは、２Ｇ／３Ｇネットワークへフォールバックするために、回線交換フォールバック(CSFB)サービスを開始する。
【０１２１】
前記ＣＳＦＢサービスが開始され、前記２Ｇ／３Ｇネットワークにフォールバックする場合、前記ＵＥは、ステップ４０１において、前記登録されたＬＴＥ ＰＬＭＮのアイデンティティ情報を格納し得る。前記ステップ４０１の登録フローにおいて、前記ＵＥが前記登録されたＬＴＥ ＰＬＭＮの前記アイデンティティ情報が既に保存しているならば、例えば、登録されたＬＴＥ ＰＬＭＮ ＩＤを含んでいるグローバル・ユニーク・テンポラリ・アイデンティティ(GUTI)、又は登録されたＬＴＥ ＰＬＭＮ ＩＤを含んでいるトラッキング・エリア・アイデンティティ(TAI)が既に格納されているならば、前記ＵＥは、このステップにおいて、前記登録されたＬＴＥ ＰＬＭＮの前記アイデンティティ情報を繰り返して保存する必要はないことに留意しなければならない。このような方法で、以下のステップ４０３と４０４における前記ＬＴＥ ＰＬＭＮの前記アイデンティティ情報は、ステップ４０１において格納された前記ＬＴＥ ＰＬＭＮのアイデンティティ情報である。
【０１２２】
前記登録されたＬＴＥ ＰＬＭＮの前記格納されたアイデンティティ情報は、登録されたＬＴＥ ＰＬＭＮアイデンティティ(ID:identity)であってよく、登録されたＬＴＥ ＰＬＭＮ ＩＤを含んでいるトラッキング・エリア・アイデンティティ(TAI:Tracking Area Identity)であってもよく、登録されたＬＴＥ ＰＬＭＮ ＩＤを含んでいるグローバル・ユニーク・テンポラリ・アイデンティティ(GUTI:Globally Unique Temporary Identity)であってもよい。
【０１２３】
あるいは、前記ＵＥは、ステップ４０１において前記ＬＴＥ ＰＬＭＮへの複合登録が開始されたときに選択されたＬＴＥ周波数帯域情報を格納してもよい。前記ＬＴＥ周波数帯域情報に対応するＬＴＥ周波数帯域は、このステップにおいて、前記ＣＳＦＢが開始されたときに選択されたＬＴＥ周波数帯域である。ステップ４０１において登録されたＬＴＥ ＰＬＭＮは、いくつかのＬＴＥ周波数帯域をサポートし得ることに留意しなければならない。
【０１２４】
４０３：前記ＵＥは、前記２Ｇ／３Ｇネットワークにおける等価ＰＬＭＮリストを受信し、前記ＬＴＥ ＰＬＭＮの前記アイデンティティ情報を前記等価ＰＬＭＮリストに付加する。
【０１２５】
ＣＳＦＢフローが開始された場合に、前記ＵＥが前記２Ｇ／３Ｇネットワークの新たなロケーションエリア(LA:Location Area)にフォールバックするならば、前記ＵＥは、前記サービングＭＳＣ／ＶＬＲのＣＳドメインへのロケーションエリア更新(LAU:Location Area Update)フローを開始する。ロケーション更新フローにおいて、サービングＭＳＣ／ＶＬＲは、アイドル状態のＵＥがセル選択／再選択及びＰＬＭＮ選択を実行するように、等価ＰＬＭＮリストをＵＥに送信し得る。
【０１２６】
あるいは、ＣＳＦＢフローが開始されたときに、前記ＵＥが２Ｇ／３Ｇネットワークの１つの新たなルーティングエリア(RA:Routing Area)にフォールバックするならば、前記ＵＥは、前記ＳＧＳＮのＰＳドメインへのルーティングエリア更新フローを開始する。前記ルーティングエリア更新フローにおいて、前記ＳＧＳＮは、アイドル状態のＵＥがセル選択／再選択及びＰＬＭＮ選択を実行するように、等価ＰＬＭＮリストをＵＥに送信し得る。
【０１２７】
さらに、ＵＥが、ＣＳドメインのロケーション更新フローと、ＰＳドメインのルーティングエリア更新フローとを同時に開始したならば、前記サービングＭＳＣ／ＶＬＲと、前記ＳＧＳＮの双方は、同じ等価ＰＬＭＮリストを前記ＵＥに送信し得る。
【０１２８】
２Ｇ／３Ｇネットワークにおける等価ＰＬＭＮリストが受信される場合、ＵＥは、以前に格納された等価ＰＬＭＮリストと置き換えるために、受信された等価ＰＬＭＮリストを格納する。さらに、前記ＵＥは、ステップ４０２において格納された前記ＬＴＥ ＰＬＭＮのアイデンティティ情報を前記等価ＰＬＭＮリストに付加する。前記等価ＰＬＭＮリストに前記ＬＴＥ ＰＬＭＮの前記アイデンティティ情報を付加することは、前記ＰＬＭＮ ＩＤを前記等価ＰＬＭＮリストに付加することを通常意味し、例えば、ＧＵＴＩに含まれている前記ＰＬＭＮ ＩＤが、前記等価ＰＬＭＮリストに付加されることに留意しなければならない。前記ＵＥが２Ｇ／３Ｇネットワークにフォールバックする場合に、ＵＥが等価ＰＬＭＮリストを受信しないならば、前記格納された等価ＰＬＭＮリストは、ステップ４０２において格納された前記ＬＴＥ ＰＬＭＮのアイデンティティ情報をすでに含んでいるため、前記ＵＥは、前記ステップ４０２において格納された前記ＬＴＥ ＰＬＭＮのアイデンティティ情報を前記格納された等価ＰＬＭＮリストに付加する必要がないことに留意しなければならない。
【０１２９】
４０４：前記ＣＳＦＢサービスが終了すると、前記等価ＰＬＭＮリストに従ってＰＬＭＮ選択が実行される。
【０１３０】
前記格納されたＬＴＥ ＰＬＭＮのアイデンティティ情報は、ステップ４０３を通じて前記等価ＰＬＭＮリストにすでに付加されている。駐在するのに適切なセル(適切なセル)は、ＰＬＭＮ選択が実行されるときに、更新された等価ＰＬＭＮリストに従って選択されうる。すなわち、駐在するのに適切なセルは、前記ＬＴＥ ＰＬＭＮの前記アイデンティティ情報を含んでいる前記等価ＰＬＭＮリストに従って選択され、ＬＴＥ ＰＬＭＮは、前記選択された適切なセルの利用可能なＰＬＭＮから選択されれる。さらに、そのＰＬＭＮ選択は、前記等価ＰＬＭＮリストに従って実行され、前記ＬＴＥ ＰＬＭＮの前記アイデンティティ情報に対応するＬＴＥ ＰＬＭＮは、前記等価ＰＬＭＮリストに従って優先的に選択されることを含みうる。すなわち、前記格納されたＬＴＥ ＰＬＭＮのアイデンティティ情報に対応するＰＬＭＮは、前記選択された適切なセルのすべての利用可能なＰＬＭＮから優先的に選択される。さらに、ＬＴＥ ＰＬＭＮを優先的に選択することは、前記等価ＰＬＭＮリストに従って、駐在するのに適切なセル(適切なセル)がＬＴＥ周波数帯域情報に対応する周波数帯域上で選択され、前記格納されたＬＴＥ ＰＬＭＮのアイデンティティ情報に対応するＰＬＭＮが前記適切なセルの利用可能なＰＬＭＮから優先的に選択されることを含みうる。
【０１３１】
あるいは、前記ＬＴＥ周波数情報は、前記ＵＥが、前記ＬＴＥ ＰＬＭＮへの複合登録を開始したときに選択されたＬＴＥ周波数帯域の情報でありうる。前記ＵＥが前記ＣＳＦＢサービスを開始し、２Ｇ／３Ｇネットワークにフォールバックする時に、前記ＵＥは、前記ＬＴＥ ＰＬＭＮへの前記複合登録が開始されたときに選択された前記ＬＴＥ周波数情報も格納してよい。このような方法で、前記ＣＳＦＢサービスの後にＬＴＥへ復帰することが必要とされる場合、前記等価ＰＬＭＮリストに従って、前記ＬＴＥ周波数帯域情報に対応する周波数帯域上で、駐在するのに適切なセルが選択され得、前記格納された前記ＬＴＥ ＰＬＭＮのアイデンティティ情報に対応するＰＬＭＮが、前記適切なセルの利用可能なＰＬＭＮから優先的に選択される。
【０１３２】
あるいは、前記ＬＴＥ周波数帯域情報は、前記ＵＥにより２Ｇ／３Ｇネットワークから受信されうる。ＵＥは、前記２Ｇ／３Ｇネットワークにおいて、２Ｇ／３Ｇ基地局により送信されたＬＴＥ周波数帯域情報を受信する。このような方法で、ＣＳＦＢサービスの後に、ＬＴＥへ復帰する必要がある場合、前記等価ＰＬＭＮリストに従って、前記ＬＴＥ周波数情報に対応する前記周波数帯域上で駐在するのに適切なセル(適切なセル)が選択されることができ、前記格納されたＬＴＥ ＰＬＭＮのアイデンティティ情報に対応するＰＬＭＮが前記適切なセルの利用可能なＰＬＭＮから優先的に選択される。
【０１３３】
具体的には、２Ｇ／３Ｇ基地局は、以下の実装方法のいずれかにおいて前記ＬＴＥ周波数帯域情報を選択し得る。
【０１３４】
実施の一代替方法において、２Ｇ／３Ｇ基地局は、サービングＭＳＣ／ＶＬＲにより送信された接続開放メッセージを受信し、前記接続開放メッセージは、ユーザ装置(UE)がＣＳＦＢサービスを開始したときに登録された前記ＬＴＥ ＰＬＭＮの前記アイデンティティ情報、すなわち、ステップ４０１において前記ＵＥにより登録されたＬＴＥ ＰＬＭＮの前記アイデンティティ情報を含んでいる。その後、前記２Ｇ／３Ｇ基地局は、前記ＬＴＥ ＰＬＭＮの前記アイデンティティ情報に従って、ＬＴＥ周波数帯域情報を選択し得る。２Ｇ／３Ｇ基地局は、前記ＬＴＥ ＰＬＭＮの前記アイデンティティ情報に従って、前記ＬＴＥ周波数帯域情報を選択し、それを参照して、前記２Ｇ／３Ｇ基地局は、前記ＬＴＥ ＰＬＭＮの前記アイデンティティ情報を考慮する一つの要素とすることによりＬＴＥ周波数帯域情報を選択してもよく、前記２Ｇ／３Ｇ基地局は、他の要素を考慮することにより前記ＬＴＥ周波数情報を選択することもできることに留意しなければならないが、この実施形態において限定しない。
【０１３５】
実施の他の代替方法において、サービングＭＳＣ／ＶＬＲは、前記ＵＥにより登録されたＬＴＥ ＰＬＭＮのアイデンティティ情報を２Ｇ／３Ｇ基地局に送信する必要はない。すなわち、ネットワーク側の各２Ｇ／３Ｇ基地局、前記サービングＭＳＣ／ＶＬＲなどは、既存の接続開放フローを採用する。現時点では、前記２Ｇ／３Ｇ基地局が、前記サービングＭＳＣ／ＶＬＲから受信されたＣＳＦＢ指示に従って、ＬＴＥ周波数帯域(Frequency)情報を選択し得る。前記選択されたＬＴＥ周波数帯域情報は、ＵＥのためのＣＳＦＢサービスを提供するとともに、前記サービングＰＬＭＮによりサポートされる、ＬＴＥ周波数帯域を通知でき、また、他のＬＴＥ周波数帯域も通知し得る。
【０１３６】
さらに、２Ｇ／３Ｇ基地局は、以下の実装の方法のいずれかで、選択されたＬＴＥ周波数帯域情報をＵＥに送信し得る。
【０１３７】
実施の一代替方法において、２Ｇ／３Ｇ基地局は、接続開放メッセージ又はチャネル開放メッセージに含まれるようにすることで、選択されたＬＴＥ周波数帯域情報をＵＥに送信し得る。具体的には、前記２Ｇ／３Ｇ基地局が２Ｇネットワークにおける基地局サブシステム(BSS)であるならば、前記選択されたＬＴＥ周波数帯域情報は、チャネル開放(Channel Release)メッセージに含まれるようにすることで、ＵＥに送信され、前記２Ｇ／３Ｇ基地局が３Ｇネットワークにおける無線ネットワークサブシステム(RNS)ならば、前記選択されたＬＴＥ周波数情報は、ＲＲＣ接続開放メッセージに含まれるようにすることで、ＵＥに送信される。接続開放メッセージ又は、チャネル開放メッセージが受信されると、ＵＥは、アイドル状態に入る。
【０１３８】
実施の他の代替方法において、２Ｇ／３Ｇ基地局は、選択されたＬＴＥ周波数帯域情報を優先度情報に含まれるようにすることができる。その後、前記２Ｇ／３Ｇ基地局が２Ｇネットワークの基地局サブシステム(BSS)であるならば、前記２Ｇ／３Ｇ基地局は、チャネル開放メッセージに含まれるようにすることで、前記優先度情報を前記ＵＥに送信し、２Ｇ／３Ｇ基地局が３Ｇネットワークにおける無線ネットワークサブシステム(RNS)であるならば、前記２Ｇ／３Ｇ基地局は、モビリティ情報(Mobility Information)メッセージに含まれるようにすることで、前記優先度情報を前記ＵＥに送信する。
【０１３９】
本発明の実施形態において提供されるＬＴＥネットワークを選択するための方法は、ＵＥがＣＳＦＢサービスが開始されたときに登録されたＬＴＥ ＰＬＭＮのアイデンティティ情報を等価ＰＬＭＮリストに付加するステップと、更新された等価ＰＬＭＮリストに従って、前記ＬＴＥ ＰＬＭＮを選択し、前記ＣＳＦＢサービスが終了した時に、前記ＬＴＥネットワークに復帰するステップと、を具備し、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１４０】
本発明の実施形態において提供されるＬＴＥネットワークを選択するための他の方法は、ＵＥは、等価ＰＬＭＮリストを更新する必要がない。図５に示されているように、前記方法は、以下のステップを具備する。
【０１４１】
５０１：ＵＥは、ＬＴＥパブリック・ランド・モバイル・ネットワーク(PLMN)において、複合登録を実行する。
【０１４２】
前記ＵＥは、２Ｇ／３Ｇネットワークと、ＬＴＥネットワークとに、同時に登録される。データサービスは、前記ＬＴＥネットワークにおいて実行され得る。ＣＳドメインサービスが実行される必要がある場合、ＣＳＦＢフローは、前記２Ｇ／３Ｇネットワークにフォールバックするために開始され得る。
【０１４３】
５０２：前記ＵＥは、２Ｇ／３Ｇネットワークにフォールバックするために、回線交換フォールバック(CSFB)サービスを開始し、ＬＴＥ周波数帯域情報を格納する。前記ＬＴＥ周波数帯域情報は、前記ＵＥが、前記ＬＴＥ ＰＬＭＮへ複合登録を開始した時に選択されたＬＴＥ周波数帯域情報である。
【０１４４】
さらに、前記ＵＥは、前記ＣＳＦＢサービスが開始されたときに登録された前記ＬＴＥ ＰＬＭＮのアイデンティティ情報を格納でき、前記格納された前記ＬＴＥ ＰＬＭＮのアイデンティティ情報は、登録されたＬＴＥ ＰＬＭＮアイデンティティ(ID:identity)、登録されたＬＴＥ ＰＬＭＮ ＩＤを含んでいるトラッキング・エリア・アイデンティティ(TAI:Tracking Area Identity)又は登録されたＬＴＥ ＰＬＭＮ ＩＤを含んでいるグローバル・ユニーク・テンポラリ・アイデンティティ(GUTI:Globally Unique Temporary Identity)であってよい。
【０１４５】
５０３：前記ＣＳＦＢサービスが終了すると、前記ＵＥは、前記ＬＴＥ周波数帯域情報に対応する周波数帯域上でＰＬＭＮ選択を実行する。
【０１４６】
周波数帯域上のＰＬＭＮ選択の実行は、前記ＬＴＥ周波数情報に対応する周波数帯域上で、駐在するための適切なセル(適切なセル)を選択するステップと、前記格納されたＬＴＥ ＰＬＭＮのアイデンティティ情報に対応するＬＴＥ ＰＬＭＮを、前記適切なセルの利用可能なＰＬＭＮから、優先的に選択するステップと、を含む。
【０１４７】
本発明の実施形態において提供されるＬＴＥネットワークを選択するための方法は、前記ＵＥが複合登録が開始されたときに選択されたＬＴＥ周波数帯域情報上でＰＬＭＮ選択を実行するステップを具備し、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１４８】
ＬＴＥネットワークを選択するための他の方法が本発明の実施形態において提供される。図６に示されているように、前記方法は、以下のステップを具備する。
【０１４９】
６０１：２Ｇ／３Ｇ基地局は、サービングＭＳＣ／ＶＬＲにより送信された接続開放メッセージを受信する。前記接続開放メッセージは、ユーザ装置(UE)がＣＳＦＢサービスを開始したときに登録されたＬＴＥパブリック・ランド・モバイル・ネットワーク(PLMN)のアイデンティティ情報を含み、前記２Ｇ／３Ｇ基地局は、前記ＣＳＦＢサービスのためのサービスを提供する基地局である。
【０１５０】
前記２Ｇ／３Ｇ基地局は、前記ＵＥのＣＳサービスのためのサービスを提供する基地局であり、前記ＵＥは、前記２Ｇ／３Ｇ基地局のサービングセルにおいてＣＳＦＢサービスを実行する。例えば、前記２Ｇ／３Ｇ基地局は、ＢＳＳ／ＲＮＳであってよい。この実施形態において、前記ＵＥによりトリガされたＣＳＦＢサービスが終了する場合、サービングＭＳＣ／ＶＬＲは、ＣＳＦＢ指示、前記ＵＥのアイデンティティ、及び前記ＵＥがＣＳＦＢを開始したときに登録されたＬＴＥ ＰＬＭＮのアイデンティティ情報を前記２Ｇ／３Ｇ基地局に送信し得る。このような方法で、前記ＵＥの前記ＣＳＦＢサービスが終了したとき、前記ＣＳＦＢが以前開始されたときに登録されたＬＴＥネットワークに復帰し得る。
【０１５１】
前記サービングＭＳＣ／ＶＬＲが前記ＵＥの登録されたＭＳＣ／ＶＬＲであるならば、前記サービングＭＳＣ／ＶＬＲは、前記ＵＥの登録情報から、前記ＵＥのアイデンティティ及び前記ＵＥにより登録されたＬＴＥ ＰＬＭＮの前記アイデンティティ情報を取得することに留意しなければならない。前記サービングＭＳＣ／ＶＬＲが前記ＵＥの登録されたＭＳＣ／ＶＬＲでないならば、前記サービングＭＳＣ／ＶＬＲは、前記ＵＥの登録されたＭＳＣ／ＶＬＲから、前記ＵＥのアイデンティティ及び前記ＵＥにより登録されたＬＴＥ ＰＬＭＮの前記アイデンティティ情報を取得する。
【０１５２】
前記ＵＥのアイデンティティは、システム・アーキテクチャ・エボリューション(SAE:System Architecture Evolution)テンポラリ・モバイル・サブスクライバ・アイデンティティ(S-TMSI:SAE Temporary Mobile Subscriber Identity)、国際モバイル加入者識別番号 (IMSI:International Mobile Subscriber Identity)、又はテンポラリ・モバイル・サブスクライバ・アイデンティティ(TMSI:Temporary Mobile Subscriber Identity)でありうるが、本発明の実施形態において限定されない。前記ＵＥが前記ＣＳＦＢサービスを開始した時に登録されたＬＴＥ ＰＬＭＮのアイデンティティ情報は、登録されたＬＴＥ ＰＬＭＮアイデンティティ(ID:identity)であってよく、登録されたＬＴＥ ＰＬＭＮ ＩＤを含んでいるグローバル・ユニーク・テンポラリ・アイデンティティ(GUTI:Globally Unique Temporary Identity)であってもよく、登録されたＬＴＥ ＰＬＭＮ ＩＤを含んでいるトラッキング・エリア・アイデンティティ(TAI:Tracking Area Identity)であってもよく、登録されたＬＴＥ ＰＬＭＮ ＩＤを含んでいるＥ−ＵＴＲＡＮ・セル・グローバル・アイデンティティ(ECGI:E-UTRAN Cell Global Identity)であってもよいが、本発明の実施形態において限定されない。
【０１５３】
６０２：前記２Ｇ／３Ｇ基地局は、前記ＬＴＥ ＰＬＭＮの前記アイデンティティ情報に従って、ターゲット周波数帯域情報を選択し、前記ターゲット周波数帯域情報を前記ＵＥに送信する。前記ターゲット周波数帯域情報は、前記ＵＥに、駐在のための前記ターゲット周波数帯域情報に対応する周波数帯域上のセルを選択するように指示するために使用される。
【０１５４】
前記２Ｇ／３Ｇ基地局は、前記ＬＴＥ ＰＬＭＮの前記アイデンティティ情報に従って、ターゲット周波数帯域情報を選択し、それを参照して、前記２Ｇ／３Ｇ基地局は前記ＬＴＥ ＰＬＭＮの前記アイデンティティ情報を考慮する要素とすることにより前記ＬＴＥ周波数帯域情報を選択してもよく、他の要素を考慮することで、前記ＬＴＥ周波数情報を選択してもよいが、この実施形態において限定しない。
【０１５５】
さらに、前記ターゲット周波数情報を前記ＵＥに送信することは、前記２Ｇ／３Ｇ基地局が、以下の実施方法のいずれかにより前記選択されたターゲット周波数帯域情報を前記ＵＥに特に送信しうることを含む。
【０１５６】
実施の一代替方法において、２Ｇ／３Ｇ基地局は、接続開放メッセージ又はチャネル開放メッセージに含まれるようにすることで、選択されたターゲット周波数帯域情報をＵＥに送信し得る。具体的には、２Ｇ／３Ｇ基地局が、２Ｇネットワークにおける基地局サブシステム(BSS)であるならば、前記選択されたターゲット周波数情報は、チャネル開放(Channel Release)メッセージに含まれるようにすることで、ＵＥに送信され、２Ｇ／３Ｇ基地局が３Ｇネットワークにおける無線ネットワークサブシステム(RNS)であるならば、前記選択されたターゲット周波数情報は、ＲＲＣ接続開放メッセージに含まれるようにすることで、ＵＥに送信される。ＵＥが接続開放メッセージ又はチャネル開放メッセージを受信すると、前記ＵＥは、アイドル状態に入る。
【０１５７】
実施の他の代替方法において、２Ｇ／３Ｇ基地局は、選択されたターゲット周波数帯域情報を優先度情報に含まれるようにすることができる。その後、前記２Ｇ／３Ｇ基地局が２Ｇネットワークにおける無線ネットワークサブシステム(BSS)ならば、前記２Ｇ／３Ｇ基地局は、前記チャネル開放(Channel Release)メッセージに含まれるようにすることで、前記優先度情報を前記ＵＥに送信し、２Ｇ／３Ｇ基地局が３Ｇネットワークにおける無線ネットワークサブシステム(RNS)ならば、前記２Ｇ／３Ｇ基地局は、モビリティ情報(Mobility Information)に含まれるようにすることで、優先度情報をＵＥに送信する。
【０１５８】
前記ＵＥのために、前記ＵＥは、等価ＰＬＭＮリストに従って、２Ｇ／３Ｇ基地局により選択されたターゲット周波数情報に対応するＬＴＥ周波数帯域上の駐在するための適切なセル (適切なセル)を選択し、前記適切なセルで利用可能なＰＬＭＮから、ＬＴＥ ＰＬＭＮのアイデンティティ情報に対応するＰＬＭＮを優先的に選択する。このような実施方法において、ＵＥが、ＬＴＥ ＰＬＭＮにおいて複合登録が開始されたときに選択され、格納されたＬＴＥ周波数帯域(Frequency)情報を有しているならば、前記ＵＥは、前記格納された等価ＰＬＭＮリストに従って、駐在するための、前記格納されたＬＴＥ周波数帯域情報に対応するＬＴＥ周波数帯域上の適切なセル(適切なセル)を優先的に選択でき、前記適切なセルの利用可能なＰＬＭＮから、前記格納されたＬＴＥ ＰＬＭＮのアイデンティティ情報に対応するＰＬＭＮを優先的に選択することに留意しなければならない。
【０１５９】
本発明の実施形態により提供されるＬＴＥネットワークを選択するための方法は、ＵＥのＣＳＦＢサービスが終了すると、２Ｇ／３Ｇ基地局は、ＬＴＥネットワークへの接続確立要求が開始されるとき、前記ＵＥが、前記ターゲット周波数情報に対応する周波数帯域上で駐在するためのＬＴＥセルを選択するように、ＵＥにより登録された前記ＬＴＥ ＰＬＭＮのアイデンティティ情報に従って、ターゲット周波数帯域情報を選択するステップと、それをＵＥに送信するステップと、を具備し、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１６０】
ＵＥが本発明の他の実施形態において提供される。図７に示されているように、前記ＵＥは、プロセッサ７２と受信器７１とを具備する。
【０１６１】
前記受信器７１は、前記ＵＥがロング・ターム・エボリューション(LTE)パブリック・ランド・モバイル・ネットワーク(PLMN)において複合登録を実行したときに、第２世代／第３世代(2G/3G)ネットワークから等価ＰＬＭＮリストを受信し、回線交換フォールバック(CSFB)サービスを開始し、前記２Ｇ／３Ｇネットワークにフォールバックするために使用される。
【０１６２】
前記プロセッサ７２は、前記ＬＴＥ ＰＬＭＮのアイデンティティ情報を前記受信器７１により受信された前記等価ＰＬＭＮリストに付加し、前記等価ＰＬＭＮリストに従って、前記ＣＳＦＢサービスが終了した時に、ＰＬＭＮ選択を実行するために使用される。
【０１６３】
さらに、前記プロセッサ７２は、前記等価ＰＬＭＮリストに従って、優先的に前記ＬＴＥ ＰＬＭＮを選択するために使用される。
【０１６４】
あるいは、前記プロセッサ７２は、前記等価ＰＬＭＮリストに従って、ＬＴＥ周波数帯域情報に対応する周波数帯域上のセルを選択し、前記セルのための利用可能なＰＬＭＮから優先的に前記ＬＴＥ ＰＬＭＮを選択するために使用され、前記ＬＴＥ周波数帯域情報は、前記ＵＥが、前記ＬＴＥ ＰＬＭＮへの複合登録を開始したときに選択されたＬＴＥ周波数帯域の情報である。
【０１６５】
あるいは、前記プロセッサ７２は、前記等価ＰＬＭＮリストに従って、ＬＴＥ周波数帯域情報に対応する周波数帯域上のセルを選択し、前記セルのための利用可能なＰＬＭＮから優先的に前記ＬＴＥ ＰＬＭＮを選択するために使用され、前記ＬＴＥ周波数帯域情報は、前記ＵＥにより前記２Ｇ／３Ｇネットワークから受信される。
【０１６６】
ＣＳＦＢサービスが開始されたときに登録されたＬＴＥ ＰＬＭＮのアイデンティティ情報を等価ＰＬＭＮリストに付加し、更新された等価ＰＬＭＮリストに従って、前記ＬＴＥ ＰＬＭＮを選択し、前記ＣＳＦＢサービスが終了した時に、前記ＬＴＥネットワークに復帰することを通じて、本発明の実施形態において提供されるＵＥは、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１６７】
ＵＥが本発明の他の実施形態において提供される。図８に示されているように、前記ＵＥは、送受信機８１とプロセッサ８２を具備する。
【０１６８】
前記送受信機８１は、ネットワークデバイスと相互に作用し、ＬＴＥパブリック・ランド・モバイル・ネットワーク(PLMN)において、複合登録を実行するために使用される。
【０１６９】
前記プロセッサ８２は、回線交換フォールバック(CSFB)サービスが終了した時に、ＬＴＥ周波数帯域情報に対応する周波数帯域上でＰＬＭＮ選択を実行するために使用され、前記ＬＴＥ周波数帯域情報は、前記ＵＥが前記ＬＴＥ ＰＬＭＮへの複合登録を開始したときに選択されたＬＴＥ周波数帯域の情報である。
【０１７０】
さらに、前記プロセッサ８２は、前記ＬＴＥ周波数帯域情報に対応する前記周波数帯域上でセルを選択し、前記セルのための利用可能なＰＬＭＮから、優先的に前記ＬＴＥ ＰＬＭＮを選択するために使用される。
【０１７１】
さらに、前記ＵＥは、ストレージ８３をさらに具備する。
【０１７２】
前記ストレージ８３は、前記送信器が前記ＣＳＦＢサービスを開始し、回線ドメインにフォールバックするときに、前記ＬＴＥ周波数帯域情報を格納するために使用される。
【０１７３】
前記プロセッサ８２は、前記回線交換フォールバック(CSFB)サービスが終了した時に、前記ストレージから前記ＬＴＥ周波数帯域情報を取得するために使用される。
【０１７４】
複合登録が開始されたときに選択されたＬＴＥ周波数帯域情報上でＰＬＭＮ選択を実行することを通じて、本発明の実施形態において提供されるＵＥは、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１７５】
回線交換フォールバック(CSFB)サービスのためのサービスを提供するために使用される２Ｇ／３Ｇ基地局が提供される。図９に示されているように、前記２Ｇ／３Ｇ基地局は、受信器９１、プロセッサ９２、及びトランスミッタ９３を具備する。
【０１７６】
前記受信器９１は、サービング移動通信交換局／ビジタ・ロケーション・レジスタ(MSC/VLR)により送信された接続開放メッセージを受信するために使用され、前記接続開放メッセージは、ユーザ装置(UE)がＣＳＦＢサービスを開始したときに登録されたＬＴＥパブリック・ランド・モバイル・ネットワーク(PLMN)のアイデンティティ情報を具備する。
【０１７７】
前記プロセッサ９２は、前記受信器９１により受信されるＬＴＥ ＰＬＭＮの前記アイデンティティ情報に従って、ターゲット周波数帯域情報を選択するために使用され、前記ターゲット周波数帯域情報は、前記ターゲット周波数帯域情報に対応する周波数帯域上で駐在するためのセルを選択するように前記ＵＥ指示するために使用される。
【０１７８】
前記トランスミッタ９３は、前記プロセッサ９２により選択された前記ターゲット周波数帯域情報を前記ＵＥに送信するために使用される。
【０１７９】
さらに、前記トランスミッタ９３は、優先度情報を前記ＵＥに送信するために使用され、前記優先度情報は、前記周波数帯域情報を具備する。
【０１８０】
ＬＴＥネットワークへの接続確立要求が開始されたときに、前記ＵＥが前記ターゲット周波数情報に対応する周波数帯域上に駐在するＬＴＥセルを選択するように、ＵＥにより登録されたＬＴＥ ＰＬＭＮのアイデンティティ情報に従って、ターゲット周波数帯域情報を選択し、それをＵＥに送信することを通じて、本発明の実施形態において提供される２Ｇ／３Ｇ基地局は、ＵＥが、ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１８１】
ＬＴＥ基地局が、本発明の他の実施形態において提供される。図１０に示されているように、前記基地局は、受信器１００１とプロセッサ１００２とを具備する。
【０１８２】
前記受信器１００１は、回線交換フォールバック(CSFB)サービスが終了した時に、ユーザ装置(UE)により送信された接続確立要求メッセージを受信するために使用され、前記接続確立要求メッセージは、前記ＵＥのアイデンティティを具備する。
【０１８３】
前記プロセッサ１００２は、前記ＵＥのアイデンティティ及び前記ＵＥが前記ＣＳＦＢサービスを開始した時に登録された前記ＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するために使用される。
【０１８４】
さらに、それとは別に前記ＬＴＥ基地局は、代わりにストレージ１００３を、さらに具備する。
【０１８５】
前記受信器１００１は、２Ｇ／３Ｇ基地局により送信された前記ＵＥのアイデンティティ及び前記ＬＴＥ ＰＬＭＮの前記アイデンティティ情報を受信するためにさらに使用され、前記２Ｇ／３Ｇ基地局は、前記ＣＳＦＢサービスのためのサービスを提供する基地局である。
【０１８６】
前記ストレージ１００３は、前記２Ｇ／３Ｇ基地局により送信され、前記受信器１００１で受信された、前記ＵＥのアイデンティティ及び前記ＬＴＥ ＰＬＭＮの前記アイデンティティ情報を格納するために使用される。
【０１８７】
さらに、前記受信器１００１は、サービング移動通信交換局／ビジタ・ロケーション・レジスタ(MSC/VLR)により送信された接続開放メッセージを受信するためにさらに使用され、前記接続開放メッセージは、前記ＵＥのアイデンティティ及び前記ＬＴＥ ＰＬＭＮのアイデンティティ情報を具備し、前記ＵＥのアイデンティティ及び前記ＬＴＥ ＰＬＭＮの前記アイデンティティ情報を前記ＬＴＥ基地局に送信する。
【０１８８】
さらに、前記サービング移動通信交換局／ビジタ・ロケーション・レジスタ(MSC/VLR)が前記ＵＥの登録されたＭＳＣ／ＶＬＲの場合、前記ＵＥのアイデンティティ及び前記ＬＴＥ ＰＬＭＮの前記アイデンティティ情報は、前記サービングＭＳＣ／ＶＬＲにより、前記ＵＥの登録情報から取得され、又は、
前記サービングＭＳＣ／ＶＬＲが前記ＵＥの登録されたＭＳＣ／ＶＬＲでない場合、前記ＵＥのアイデンティティ及び前記ＬＴＥ ＰＬＭＮの前記アイデンティティ情報は、前記サービングＭＳＣ／ＶＬＲにより登録されたＭＳＣ／ＶＬＲから取得される。
【０１８９】
さらに代わりに、前記ＬＴＥ基地局は、代わりに、前記ＵＥが前記ＣＳＦＢサービスを開始した時にアクセスサービスを提供する基地局であり、前記ＬＴＥ基地局は、ストレージ１００３をさらに具備し、前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を格納するために使用される。
【０１９０】
さらに、前記プロセッサ１００２は、前記ＵＥの前記格納されたアイデンティティ及び前記ＬＴＥ ＰＬＭＮの前記アイデンティティ情報を削除するためにさらに使用される。
【０１９１】
前記ＵＥにより送信されたＵＥのアイデンティティを前記ＵＥの前記格納されたアイデンティティと照合することにより、前記ＬＴＥ ＰＬＭＮの前記アイデンティティ情報を判別するとともに選択することを通じて、本発明の実施形態において提供されるＬＴＥ基地局は、ＵＥが、ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、ＣＳＦＢの後にＬＴＥネットワークに復帰する従来技術において定義される方法と比べ、サービス効率性を改善するとともに、ユーザ体験を向上させる。
【０１９２】
ＵＥが本発明の他の実施形態により提供される。図１１に示されているように、前記ＵＥは、
ロング・ターム・エボリューション(LTE)パブリック・ランド・モバイル・ネットワーク(PLMN)において複合登録を実行するために使用される登録ユニット１１０１と、
回線交換フォールバック(CSFB)サービスを開始して２Ｇ／３Ｇネットワークにフォールバックするために使用されるフォールバックユニット１１０２と、
前記２Ｇ／３Ｇネットワークにおける等価ＰＬＭＮリストを受信するために使用される１１０３と、
前記ＬＴＥ ＰＬＭＮのアイデンティティ情報を、前記受信ユニット１１０３により受信された前記等価ＰＬＭＮリストに付加するために使用される付加ユニット１１０４と、
前記ＣＳＦＢサービスが終了した時に、前記付加ユニット１１０５により修正された等価ＰＬＭＮリストに従って、ＰＬＭＮ選択を実行するために使用される選択ユニット１１０５と、
を具備する。
【０１９３】
さらに、前記選択ユニット１１０５は、前記付加ユニット１１０４により修正された等価ＰＬＭＮリストに従って、前記ＬＴＥ ＰＬＭＮを優先的に選択するために使用される。
【０１９４】
さらに代わりに、前記選択ユニット１１０５は、前記付加ユニット１１０４により修正された等価ＰＬＭＮリストに従って、ＬＴＥ周波数帯域情報に対応する周波数帯域上のセルを選択し、前記セルのための利用可能なＰＬＭＮから優先的に前記ＬＴＥ ＰＬＭＮを選択するために特に使用され、
前記ＬＴＥ周波数帯域情報は、前記ＵＥが、前記ＬＴＥ ＰＬＭＮへの複合登録を開始したときに選択されたＬＴＥ周波数帯域の情報である。
【０１９５】
さらに代わりに、前記選択ユニット１１０５は、
前記付加ユニット１１０４により修正された等価ＰＬＭＮリストに従って、ＬＴＥ周波数帯域情報に対応する周波数帯域上のセルを選択し、前記セルのための利用可能なＰＬＭＮから優先的に前記ＬＴＥ ＰＬＭＮを選択するために特に使用され、
前記ＬＴＥ周波数帯域情報は、前記ＵＥにより、前記２Ｇ／３Ｇネットワークから受信される。
【０１９６】
ＣＳＦＢサービスが開始されたときに登録されたＬＴＥ ＰＬＭＮのアイデンティティ情報を等価ＰＬＭＮリストに付加し、前記ＣＳＦＢサービスが終了した時に、更新された等価ＰＬＭＮリストに従って、前記ＬＴＥ ＰＬＭＮを選択し、前記ＬＴＥネットワークに復帰することを通じて、本発明の実施形態において提供されるＵＥは、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１９７】
ＵＥが本発明の他の実施形態において提供される。図１２に示されているように、前記ＵＥは、登録ユニット１２０１と選択ユニット１２０２とを具備する。
【０１９８】
前記登録ユニット１２０１は、ロング・ターム・エボリューション(LTE)パブリック・ランド・モバイル・ネットワーク(PLMN)において複合登録を実行するために使用される。
【０１９９】
前記選択ユニット１２０２は、回線交換フォールバック(CSFB)サービスが終了した時に、ＬＴＥ周波数帯域情報に対応する周波数帯域上でＰＬＭＮ選択を実行するために使用され、前記ＬＴＥ周波数帯域情報は、前記ＵＥが、前記ＬＴＥ ＰＬＭＮへの複合登録を開始したときに選択されたＬＴＥ周波数帯域の情報である。
【０２００】
さらに、前記選択ユニット１２０２は、
前記ＬＴＥ周波数情報に対応する前記周波数上のセルを探索し、前記セルのための利用可能なＰＬＭＮから、優先的に前記ＬＴＥ ＰＬＭＮを選択するために使用される。
【０２０１】
さらに、前記ＵＥは、格納ユニット１２０３をさらに具備する。
【０２０２】
前記格納ユニット１２０３は、前記ＣＳＦＢサービスが開始されＣＳドメインにフォールバックされたときに前記ＬＴＥ周波数帯域情報を格納するために使用される。
【０２０３】
前記選択ユニット１２０２は、前記回線交換フォールバック(CSFB)サービスが終了した時に、前記格納ユニットから前記ＬＴＥ周波数情報を取得するためにさらに使用される。
【０２０４】
複合登録が開始されるときに選択されたＬＴＥ周波数帯域情報上でＰＬＭＮ選択を実行することを通じて、本発明の実施形態において提供されるＵＥは、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０２０５】
回線交換フォールバック(CSFB)サービスのためのサービスを提供するために使用される２Ｇ／３Ｇ基地局が、本発明実施形態において提供される。図１３に示されているように、前記基地局は、受信ユニット１３０１、選択ユニット１３０２、及び送信ユニット１３０３を具備する。
【０２０６】
前記受信ユニット１３０１は、サービング移動通信交換局／ビジタ・ロケーション・レジスタ(MSC/VLR)により送信された接続開放メッセージを受信するために使用され、前記接続開放メッセージは、ユーザ装置(UE)がＣＳＦＢサービスを開始したときに登録されたＬＴＥパブリック・ランド・モバイル・ネットワーク(PLMN)のアイデンティティ情報を具備する。
【０２０７】
前記選択ユニット１３０２は、前記受信ユニット１３０１により受信されたＬＴＥ ＰＬＭＮの前記アイデンティティ情報に従って、ターゲット周波数帯域情報を選択するために使用され、前記ターゲット周波数帯域情報は、前記ターゲット周波数帯域情報に対応する周波数帯域上で駐在するためのセルを選択するために前記ＵＥを指示するために使用される。
【０２０８】
前記送信ユニット１３０３は、前記選択ユニット１３０２により選択された前記ターゲット周波数帯域情報を前記ＵＥに送信するために使用される。
【０２０９】
さらに、前記送信ユニット１３０３は、
優先度情報を前記ＵＥに送信するために使用され、前記優先度情報は、前記周波数帯域情報を具備する。
【０２１０】
前記ＵＥが、前記ターゲット周波数情報に対応する周波数帯域上で駐在するためのＬＴＥセルを選択するように、ＵＥにより登録された前記ＬＴＥ ＰＬＭＮのアイデンティティ情報に従って、ターゲット周波数帯域情報を選択し、それを前記ＵＥに送信することを通じて、本発明の実施形態において提供される基地局は、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０２１１】
基地局が、本発明の他の実施形態において提供され、前記基地局は、ＬＴＥ基地局でありうる。図１４に示されているように、前記基地局は、受信ユニット１４０１と、選択ユニット１４０２と、を具備する。
【０２１２】
前記受信ユニット１４０１は、回線交換フォールバック(CSFB)サービスが終了した時にユーザ装置(UE)により送信された接続確立要求メッセージを受信するために使用され、前記接続確立要求メッセージは、前記ＵＥのアイデンティティを具備する。
【０２１３】
前記選択ユニット１４０２は、前記受信ユニット１４０１により受信された、前記ＵＥのアイデンティティ及び前記ＵＥが前記ＣＳＦＢサービスを開始した時に登録されたＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するために使用される。
【０２１４】
さらに、前記受信ユニット１４０１は、
２Ｇ／３Ｇ基地局により送信された前記ＵＥのアイデンティティ及び前記ＬＴＥ ＰＬＭＮの前記アイデンティティ情報を受信する前に、前記２Ｇ／３Ｇ基地局により、サービング移動通信交換局／ビジタ・ロケーション・レジスタ(MSC/VLR)により送信された接続開放メッセージを受信するためにさらに使用され、前記接続開放メッセージは、前記ＵＥのアイデンティティ及び前記ＬＴＥ ＰＬＭＮの前記アイデンティティ情報を具備し、前記２Ｇ／３Ｇ基地局は、前記ＵＥのアイデンティティ及び前記ＬＴＥ ＰＬＭＮの前記アイデンティティ情報を前記２Ｇ／３Ｇ基地局に送信する。
【０２１５】
さらに、前記サービングＭＳＣ／ＶＬＲが前記ＵＥの登録されたＭＳＣ／ＶＬＲである場合、前記ＵＥのアイデンティティ及び前記ＬＴＥ ＰＬＭＮの前記アイデンティティ情報は、前記サービングＭＳＣ／ＶＬＲにより、前記ＵＥの登録情報から取得され、又は、
前記サービングＭＳＣ／ＶＬＲが前記ＵＥの登録されたＭＳＣ／ＶＬＲでない場合、前記ＵＥのアイデンティティ及び前記ＬＴＥ ＰＬＭＮの前記アイデンティティ情報は、前記サービングＭＳＣ／ＶＬＲにより登録されたＭＳＣ／ＶＬＲから取得される。
【０２１６】
さらに、前記基地局は、前記ＵＥが前記ＣＳＦＢサービスを開始した時にアクセスサービスを提供する基地局であり、前記ＬＴＥ基地局は、
前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を保存するために使用される格納ユニット１４０３をさらに具備する。
【０２１７】
さらに、前記基地局は、削除ユニット１４０４をさらに具備する。
【０２１８】
前記削除ユニット１４０４は、前記ＵＥの前記格納されたアイデンティティ及び前記ＬＴＥ ＰＬＭＮの前記アイデンティティ情報を削除するために使用される。
【０２１９】
前記ＵＥにより送信された前記ＵＥのアイデンティティと前記ＵＥの前記格納されたアイデンティティを照合することにより前記ＬＴＥ ＰＬＭＮの前記アイデンティティ情報を判別するとともに選択し、本発明の実施形態において提供される基地局は、ＵＥが、ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、ＣＳＦＢの後にＬＴＥネットワークに復帰する従来技術において定義される方法と比べ、サービス効率性を改善するとともに、ユーザ体験を向上させる。
【０２２０】
前記実施形態の説明を通じ、本発明に関係する当業者であれば、本発明は、必要な一般的なハードウェアとソフトウェアにより実現可能であること、又は、ハードウェアにより実現されてもよいこと、しかしほとんどの場合、前者の方がより良い実施方法であることを明確に理解できる。このような理解の下、本発明の技術的ソリューション又は従来技術への本発明の寄与部分は、大体においてソフトウェア製品の形式で具体化され得る。前記コンピュータソフトウェア製品は、コンピュータデバイス(パーソナルコンピュータ、サーバ、ネットワークデバイスなどでありうる)に本発明の実施形態の方法を実行可能にする複数の命令を備えた、ソフトディスク、ハードディスク、光学ディスク、又はコンピュータのような読み取り可能な記録媒体に格納されている。
【０２２１】
本発明の具体的な実施形態の単にいくつかを説明してきたが、本発明の保護範囲は、それらに限定されるものではない。当業者によって行われるいかなる変形または置換も、本発明の保護範囲内に入るものとする。したがって、本発明の保護範囲は、特許請求の範囲の保護範囲に従うものとする。
【符号の説明】
【０２２２】
７１      受信器
７２      プロセッサ
８１      送受信機
８２      プロセッサ
８３      ストレージ
９１      受信器
９２      プロセッサ
９３      トランスミッタ
１００１  受信器
１００２  プロセッサ
１００３  ストレージ
【図１】
2016508339.tif 000006
【図２】
2016508339.tif 000007
【図３】
2016508339.tif 000008
【図４】
2016508339.tif 000009
【図５】
2016508339.tif 000010
【図６】
2016508339.tif 000011
【図７】
2016508339.tif 000012
【図８】
2016508339.tif 000013
【図９】
2016508339.tif 000014
【図１０】
2016508339.tif 000015
【図１１】
2016508339.tif 000016
【図１２】
2016508339.tif 000017
【図１３】
2016508339.tif 000018
【図１４】
2016508339.tif 000019
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
ロング・ターム・エボリューション(LTE)ネットワークを選択するための方法は、
第２世代／第３世代(2G/3G)基地局が、サービング移動通信交換局／ビジタ・ロケーション・レジスタ(MSC/VLR)により送信された接続開放メッセージを受信するステップであって、前記接続開放メッセージは、ユーザ装置(UE)がＣＳＦＢサービスを開始したときに登録されたＬＴＥパブリック・ランド・モバイル・ネットワーク(PLMN)のアイデンティティ情報を具備し、前記２Ｇ／３Ｇ基地局は、前記ＣＳＦＢサービスのためのサービスを提供する基地局である、ステップと、
前記２Ｇ／３Ｇ基地局が、前記ＬＴＥ ＰＬＭＮの前記アイデンティティ情報に従って、ターゲット周波数帯域情報を選択するステップと、
前記ターゲット周波数帯域情報を前記ＵＥに送信するステップであって、前記ターゲット周波数帯域情報は、前記ターゲット周波数帯域情報に対応する周波数帯域上に駐在するためのセルを選択するために、前記ＵＥを示すために使用される、ステップと、
を具備することを特徴とするロング・ターム・エボリューション(LTE)ネットワークを選択するための方法。
【請求項２】
前記ターゲット周波数帯域情報を前記ＵＥに送信する前記ステップは、
優先度情報を前記ＵＥに送信するステップを具備し、
前記優先度情報は、前記周波数帯域情報を具備することを特徴とする請求項１に記載の方法。
【請求項３】
ロング・ターム・エボリューション(LTE)ネットワークを選択するための方法であって、
回線交換フォールバック(CSFB)サービスが終了した時に、ＬＴＥ基地局が、ＵＥにより送信された接続確立要求メッセージを受信するステップであって、前記接続確立要求メッセージは、前記ＵＥのアイデンティティを具備する、ステップと、
前記ＬＴＥ基地局が、前記ＵＥのアイデンティティと、前記ＵＥが前記ＣＳＦＢサービスを開始するときに登録されたＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するステップと、
を具備することを特徴とするロング・ターム・エボリューション(LTE)ネットワークを選択するための方法。
【請求項４】
前記方法は、
前記ＬＴＥ基地局が、第２世代／第３世代(2G/3G)基地局により送信された、前記ＵＥのアイデンティティ及び前記ＬＴＥ ＰＬＭＮの前記アイデンティティ情報を受信し、格納するステップをさらに具備し、
前記２Ｇ／３Ｇ基地局は、前記ＣＳＦＢサービスのためのサービスを提供する基地局であることを特徴とする請求項３に記載の方法。
【請求項５】
前記ＬＴＥ基地局が、第２世代／第３世代(2G/3G)基地局により送信された、前記ＵＥのアイデンティティ及び前記ＬＴＥ ＰＬＭＮの前記アイデンティティ情報を受信する前記ステップの前に、前記方法は、
前記２Ｇ／３Ｇ基地局が、サービング移動通信交換局／ビジタ・ロケーション・レジスタ(MSC/VLR)により送信された接続開放メッセージを受信するステップであって、前記接続開放メッセージは、前記ＵＥのアイデンティティ及び前記ＬＴＥ ＰＬＭＮの前記アイデンティティ情報を具備する、ステップと、
前記２Ｇ／３Ｇ基地局が、前記ＵＥのアイデンティティ及び前記ＬＴＥ ＰＬＭＮの前記アイデンティティ情報を前記ＬＴＥ基地局に送信するステップと、
をさらに具備することを特徴とする請求項４に記載の方法。
【請求項６】
前記サービングＭＳＣ／ＶＬＲが、前記ＵＥの登録されたＭＳＣ／ＶＬＲであるならば、前記ＵＥのアイデンティティ及び前記ＬＴＥ ＰＬＭＮの前記アイデンティティ情報は、前記サービングＭＳＣ／ＶＬＲにより、前記ＵＥの登録情報から取得されることを特徴とする請求項５に記載の方法。
【請求項７】
前記サービングＭＳＣ／ＶＬＲが、前記ＵＥの登録されたＭＳＣ／ＶＬＲでないならば、前記ＵＥのアイデンティティ及び前記ＬＴＥ ＰＬＭＮの前記アイデンティティ情報は、前記サービングＭＳＣ／ＶＬＲにより、前記ＵＥの登録されたＭＳＣ／ＶＬＲから取得されることを特徴とする請求項５に記載の方法。
【請求項８】
前記ＬＴＥ基地局は、前記ＵＥが前記ＣＳＦＢサービスを開始したときに、アクセスサービスを提供する基地局であり、
前記方法は、
前記ＵＥが、前記ＬＴＥ ＰＬＭＮにおける前記ＣＳＦＢサービスを開始したとき、前記ＬＴＥ基地局が、前記ＵＥのアイデンティティ及び前記ＬＴＥ ＰＬＭＮの前記アイデンティティ情報を格納するステップ、
をさらに具備することを特徴とする請求項３に記載の方法。
【請求項９】
前記方法は、
前記ＬＴＥ基地局が、前記ＵＥの前記格納されたアイデンティティ及び前記ＬＴＥ ＰＬＭＮの前記アイデンティティ情報を削除するステップ、
をさらに具備することを特徴とする請求項４から８のいずれか一項に記載の方法。
【請求項１０】
回線交換フォールバック(CSFB)サービスのためのサービスを提供するように構成されている第２世代／第３世代(2G/3G)基地局であって、
サービング移動通信交換局／ビジタ・ロケーション・レジスタ(MSC/VLR)により送信された接続開放メッセージを受信するように構成された受信ユニットであって、前記接続開放メッセージは、ユーザ装置(UE)がＣＳＦＢサービスを開始したときに登録されたＬＴＥパブリック・ランド・モバイル・ネットワーク(PLMN)のアイデンティティ情報を具備する、受信ユニットと、
前記受信ユニットにより受信される前記ＬＴＥ ＰＬＭＮの前記アイデンティティ情報に従って、ターゲット周波数帯域情報を選択するように構成されている選択ユニットであって、前記ターゲット周波数帯域情報は、前記ターゲット周波数帯域情報に対応する周波数帯域上に駐在するためのセルを選択するために、前記ＵＥを示すために使用される、選択ユニットと、
前記選択ユニットにより選択された前記ターゲット周波数帯域情報を前記ＵＥへ送信するように構成されている送信ユニットと、
を具備することを特徴とする第２世代／第３世代(2G/3G)基地局。
【請求項１１】
前記送信ユニットは、優先度情報を前記ＵＥへ送信するように構成されており、
前記優先度情報は、前記周波数帯域情報を具備することを特徴とする請求項１０に記載の２Ｇ／３Ｇ基地局。
【請求項１２】
ロング・ターム・エボリューション(LTE)基地局であって、
回線交換フォールバック(CSFB)サービスが終了した時に、ユーザ装置(UE)により送信された接続確立要求メッセージを受信するように構成されている受信ユニットであって、前記接続確立要求メッセージは、前記ＵＥのアイデンティティを具備する、受信ユニットと、
前記受信ユニットにより受信される、前記ＵＥのアイデンティティ及び前記ＵＥが前記ＣＳＦＢサービスを開始した時に登録されたＬＴＥパブリック・ランド・モバイル・ネットワーク(PLMN)のアイデンティティ情報に従って、前記ＬＴＥ ＰＬＭＮの前記アイデンティティ情報に対応する前記ＬＴＥ ＰＬＭＮを選択するように構成されている選択ユニットと、
を具備することを特徴とするロング・ターム・エボリューション(LTE)基地局。
【請求項１３】
前記受信ユニットは、第２世代／第３世代(2G/3G)基地局により送信される、前記ＵＥのアイデンティティ及び前記ＬＴＥ ＰＬＭＮの前記アイデンティティ情報を受信するとともに格納するようにさらに構成され、
前記２Ｇ／３Ｇ基地局は、前記ＣＳＦＢサービスのためのサービスを提供する基地局であることを特徴とする請求項１２に記載のＬＴＥ基地局。
【請求項１４】
前記ＬＴＥ基地局は、前記ＵＥが前記ＣＳＦＢサービスを開始した時に、アクセスサービスを提供する基地局であり、
前記ＬＴＥ基地局は、前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を記録するように構成されている格納ユニットをさらに具備することを特徴とする請求項１２に記載のＬＴＥ基地局。
【請求項１５】
前記ＵＥの格納されたアイデンティティ及び前記ＬＴＥ ＰＬＭＮの前記アイデンティティ情報を削除するように構成されている削除ユニットをさらに具備することを特徴とする請求項１２から１４の何れか一項に記載のＬＴＥ基地局。
【請求項１６】
請求項１又は２に記載の方法を実行するための命令を具備したプログラムをそれ上に備えたコンピュータ読み取り可能な記録媒体。
【請求項１７】
請求項３から９の何れか一項に記載の方法を実行するための命令を具備したプログラムをそれ上に備えたコンピュータ読み取り可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、通信技術分野に関連し、特に、回線ドメインフォールバック(CSFB:Circuit Switched Fallback)サービスが終了するときに、ロング・ターム・エボリューション(LTE:Long Term Evolution)ネットワークを選択するための方法及びデバイスに関する。
【背景技術】
【０００２】
回線ドメイン(CS:Circuit Service)ネットワークは、音声通話などの回線ドメインサービスを提供するためのワイヤレスネットワークであり、ＧＳＭ（登録商標）、ＷＣＤＭＡ（登録商標）などの第２世代／第３世代（2G/3G）ネットワークのカバーエリアは、世界的に広がっている。ネットワーク技術の発展において、データサービスの提供に特化したロング・ターム・エボリューション（LTE:Long Term Evolution)ネットワークなどのパケットドメイン(PS:Packet Service)ネットワークが大規模に採用されている。したがって、現在の通信ネットワークにおいて、前記ＣＳドメインネットワークと前記ＰＳドメインネットワークとが共存し、オペレータは、２Ｇ／３Ｇネットワークを使用することにより、ユーザに回線ドメインサービスを適用できるとともに、ＬＴＥネットワークを使用することにより、ユーザにデータサービスを提供しうる。
【０００３】
このネットワークカバレージモードに基づき、第３世代移動体通信システム標準化プロジェクト (3GPP：3rd Generation Partnership Project)機構は、ＣＳ音声サービスの処理が必要とされる場合、前記ＬＴＥネットワークに登録されているユーザ装置(UE:User Equipment)が、サービスの処理を完了するために、２Ｇ／３ＧネットワークのＣＳドメインに復帰するように、「回線交換フォールバック」（CSFB：CS Fallback)技術を提唱している。前記ＣＳ音声通話が終了する状況において、現在のプロトコルは、ＵＥが前記ＰＳドメインネットワークに復帰し、ＣＳ音声通話が終了後ＰＳサービスを実行しうることを確実にするためのＣＳＦＢ復帰メカニズムをさらに定めており、特に、移動通信交換局（MSC）／ビジタロケーションレジスタ（VLR）は、ＣＳ音声通話により確立された接続を開放し、ＣＳＦＢの結果現在の接続が確立される基地局を示すことを含み、前記基地局は、前記ＬＴＥ周波数帯域情報に対応する前記ＬＴＥ周波数帯域上の適切なセルがリダイレクトされるときのように、前記基地局が接続を開放するときに、ＬＴＥネットワークを再選択し復帰するためにＵＥのためのＬＴＥ周波数帯域(Frequency)情報を示し、前記ＵＥは、前記適切なセルのブロードキャスト情報の利用可能なＬＴＥパブリック・ランド・モバイル・ネットワーク(パブリック・ランド・モバイル・ネットワーク（PLMN）)をランダムに選択する。
【０００４】
前述したＬＴＥネットワークへの復帰を実現するための処理において、発明者は、従来技術において少なくとも以下の問題点が存在することを発見した：ＣＳドメイン音声サービスが終了するときには、ＵＥは、おそらく、いくつかの異なるＰＬＭＮのＬＴＥネットワークのカバレージ内にあるため、例えば、ＣＳＦＢが開始された時に、前記ＵＥにより登録されたＬＴＥ ＰＬＭＮと、現在のＣＳサービスのＰＬＭＮのＬＴＥネットワークの双方が、前記ＵＥのために利用可能であり、一般に、前記ＵＥが、前記ＣＳ音声サービスが終了するときに共有ＬＴＥセルに入る(enter)ならば、前記ＵＥは、前記ＬＴＥセルにおいて、いくつかの利用可能なＬＴＥ ＰＬＭＮを取得しうる。いくつかのＬＴＥ ＰＬＭＮが利用可能なシナリオにおいて、従来技術においては、前記ＣＳＦＢサービスが開始されたときに登録された以前のＬＴＥ ＰＬＭＮを前記ＵＥが選択することは確実にはなされえず、前記ＵＥが他のＰＬＭＮのＬＴＥネットワークを再選択するならば、前記ＣＳＦＢサービスがトリガされる前に登録された前記ＬＴＥ ＰＬＭＮにおいて保留されている前記データサービスは回復されえず、継続中のデータサービスの中断の原因となり、同時に、不要なＰＬＭＮ間の切り替えの原因となり、これにより、ユーザのサービス体験に影響を及ぼす。
【発明の概要】
【課題を解決するための手段】
【０００５】
ＬＴＥネットワークを選択するための方法及びデバイスが、本発明の実施形態において提供される。本発明では、前記ＣＳＦＢサービスが終了した後に、ＵＥがＣＳＦＢが開始されたときに登録されたＬＴＥ ＰＬＭＮに復帰可能であり、それにより、ＰＳサービスの継続性を確保し、不要なＰＬＭＮ間の切り替えを防止し、サービスの効率性を向上するとともにユーザ体験を促進する。
【０００６】
前述の目的を達成するため、以下の記述的ソリューションが、本発明の実施形態において採用されている。
【０００７】
本発明の第１の態様において、ＬＴＥネットワークを選択するための方法が提供され、ＵＥにより、ＬＴＥ ＰＬＭＮにおける複合登録を実行するステップと、前記ＵＥが、２Ｇ／３Ｇネットワークにフォールバックするために、ＣＳＦＢサービスを開始するステップと、前記ＵＥが、前記２Ｇ／３Ｇネットワークにおける等価ＰＬＭＮリストを受信するステップと、前記ＵＥが、前記ＬＴＥ ＰＬＭＮのアイデンティティ情報を前記等価ＰＬＭＮリストに追加するステップと、前記ＣＳＦＢサービスが終了した時に、前記ＵＥが、前記等価ＰＬＭＮリストに従って、ＰＬＭＮ選択を実行するステップと、を具備する。
【０００８】
本発明の第１の態様と組み合わせて、実施可能な方法において、等価ＰＬＭＮリストに従って、ＰＬＭＮ選択を実行する前記ステップは、前記等価ＰＬＭＮリストに従って、優先的に前記ＬＴＥ ＰＬＭＮを選択するステップを具備する。
【０００９】
本発明の第１の態様と前述の実施可能な方法を組み合わせて、他の実施可能な方法において、優先的に前記ＬＴＥ ＰＬＭＮを選択する前記ステップは、前記等価ＰＬＭＮリストに従って、ＬＴＥ周波数帯域情報に対応する周波数帯域上のセルを選択するステップと、前記セルのために利用可能なＰＬＭＮから優先的に前記ＬＴＥ ＰＬＭＮを選択するステップと、を具備し、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００１０】
本発明の第１の態様と前述の実施可能な方法を組み合わせて、他の実施可能な方法において、優先的に前記ＬＴＥ ＰＬＭＮを選択する前記ステップは、前記等価ＰＬＭＮリストに従って、ＬＴＥ周波数帯域情報に対応する周波数帯域上のセルを選択するステップと、前記セルのために利用可能なＰＬＭＮから優先的に前記ＬＴＥ ＰＬＭＮを選択するステップと、を具備し、前記ＬＴＥ周波数帯域情報は、前記ＵＥにより、前記２Ｇ／３Ｇネットワークから受信される。
【００１１】
本発明の第２の態様において、ＬＴＥネットワークを選択するための方法が提供され、ＵＥが、ＬＴＥ ＰＬＭＮにおいて複合登録を実行するステップと、ＣＳＦＢサービスが終了した時に、前記ＵＥが、ＬＴＥ周波数帯域情報に対応する周波数帯域上で、ＰＬＭＮ選択を実行するステップと、を具備し、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００１２】
本発明の第２の態様と組み合わせて、実施可能な方法において、前記ＵＥが、前記ＬＴＥ周波数帯域情報に対応する前記周波数帯域上でＰＬＭＮ選択を実行する前記ステップは、前記ＵＥが、前記ＬＴＥ周波数帯域情報に対応する前記周波数帯域上のセルを選択するステップと、前記セルのための利用可能なＰＬＭＮから、優先的に前記ＬＴＥ ＰＬＭＮを選択するステップを具備する。
【００１３】
本発明の第２の態様と前述の実施可能な方法を組み合わせて、他の実施可能な方法において、前記方法は、前記ＵＥが前記ＣＳＦＢサービスを開始し、回線ドメインにフォールバックする時に、前記ＬＴＥ周波数帯域情報を格納するステップをさらに具備する。
【００１４】
本発明の第３の態様において、ＬＴＥネットワークを選択するための方法が提供され、２Ｇ／３Ｇ基地局が、サービングＭＳＣ／ＶＬＲにより送信された接続開放メッセージを受信するステップであって、前記接続開放メッセージは、ＵＥがＣＳＦＢサービスを開始したときに登録されたＬＴＥ ＰＬＭＮのアイデンティティ情報を具備し、前記２Ｇ／３Ｇ基地局は、前記ＣＳＦＢサービスのためのサービスを提供する基地局である、ステップと、前記２Ｇ／３Ｇ基地局が、前記ＬＴＥ ＰＬＭＮの前記アイデンティティ情報に従って、ターゲット周波数帯域情報を選択するステップと、前記ターゲット周波数帯域情報を前記ＵＥに送信するステップであって、前記ターゲット周波数帯域情報は、前記ターゲット周波数帯域情報に対応する周波数帯域上に駐在するためのセルを選択するために、前記ＵＥを示すために使用される、ステップと、
を具備する。
【００１５】
本発明の第３の態様と組み合わせて、実施可能な方法において、前記ターゲット周波数帯域情報を前記ＵＥに送信する前記ステップは、優先度情報を前記ＵＥに送信するステップを具備し、前記優先度情報は、前記周波数帯域情報を具備する。
【００１６】
本発明の第４の態様において、ＬＴＥネットワークを選択するための方法が提供され、ＣＳＦＢサービスが終了した時に、ＬＴＥ基地局が、前記ＵＥにより送信された接続確立要求メッセージを受信するステップであって、前記接続確立要求メッセージは、前記ＵＥのアイデンティティを具備する、ステップと、前記ＬＴＥ基地局が、前記ＵＥのアイデンティティと、前記ＵＥが前記ＣＳＦＢサービスを開始するときに登録されたＬＴＥ ＰＬＭＮのアイデンティティ情報に従って、前記ＬＴＥ ＰＬＭＮの前記アイデンティティ情報に対応する前記ＬＴＥ ＰＬＭＮを選択するステップと、を具備する。
【００１７】
本発明の第４の態様と組み合わせて、実施可能な方法において、前記方法は、前記ＬＴＥ基地局が、２Ｇ／３Ｇ基地局により送信された、前記ＵＥのアイデンティティ及び前記ＬＴＥ ＰＬＭＮの前記アイデンティティ情報を受信するとともに格納するステップをさらに具備し、前記２Ｇ／３Ｇ基地局は、前記ＣＳＦＢサービスのためのサービスを提供する基地局である。
【００１８】
本発明の第４の態様と前述の実施可能な方法を組み合わせて、他の実施可能な方法において、前記ＬＴＥ基地局が、前記２Ｇ／３Ｇ基地局により送信された、前記ＵＥのアイデンティティ及び前記ＬＴＥ ＰＬＭＮの前記アイデンティティ情報を受信する前記ステップの前に、前記方法は、前記２Ｇ／３Ｇ基地局が、サービングＭＳＣ／ＶＬＲにより送信された接続開放メッセージを受信するステップであって、前記接続開放メッセージは、前記ＵＥのアイデンティティ及び前記ＬＴＥ ＰＬＭＮの前記アイデンティティ情報を具備する、ステップと、前記２Ｇ／３Ｇ基地局が、前記ＵＥのアイデンティティ及び前記ＬＴＥ ＰＬＭＮの前記アイデンティティ情報を前記ＬＴＥ基地局に送信するステップと、をさらに具備する。
【００１９】
本発明の第４の態様と前述の実施可能な方法を組み合わせて、他の実施可能な方法において、前記サービングＭＳＣ／ＶＬＲが前記ＵＥの登録されたＭＳＣ／ＶＬＲであるならば、前記ＵＥの登録情報から、前記ＵＥのアイデンティティ及び前記ＬＴＥ ＰＬＭＮの前記アイデンティティ情報が前記サービングＭＳＣ／ＶＬＲにより取得されるか、又は、前記サービングＭＳＣ／ＶＬＲが前記ＵＥの登録されたＭＳＣ／ＶＬＲでないならば、前記ＵＥのアイデンティティ及び前記ＬＴＥ ＰＬＭＮの前記アイデンティティ情報が、前記ＵＥの登録されたＭＳＣ／ＶＬＲから前記サービングＭＳＣ／ＶＬＲにより取得される。
【００２０】
本発明の第４の態様と前述の実施可能な方法を組み合わせて、他の実施可能な方法において、前記ＬＴＥ基地局は、前記ＵＥが前記ＣＳＦＢサービスを開始した時に、アクセスサービスを提供する基地局であり、前記方法は、前記ＵＥが前記ＬＴＥ ＰＬＭＮにおける前記ＣＳＦＢサービスを開始したとき、前記ＬＴＥ基地局が、前記ＵＥのアイデンティティ及び前記ＬＴＥ ＰＬＭＮの前記アイデンティティ情報を格納するステップをさらに具備する。
【００２１】
本発明の第４の態様と前述の実施可能な方法を組み合わせて、他の実施可能な方法において、前記方法は、前記ＬＴＥ基地局が、前記ＵＥの前記格納されたアイデンティティ及び前記ＬＴＥ ＰＬＭＮの前記アイデンティティ情報を削除するステップをさらに具備する。
【００２２】
本発明の第５の態様において、ＵＥが提供され、前記ＵＥが、ＬＴＥ ＰＬＭＮにおいて複合登録を実行し、ＣＳＦＢサービスを開始し、前記２Ｇ／３Ｇネットワークにフォールバックするとき、２Ｇ／３Ｇネットワークから、等価ＰＬＭＮリストを受信するように構成されている受信器と、前記ＬＴＥ ＰＬＭＮのアイデンティティ情報を、前記受信器により受信された前記等価ＰＬＭＮリストに追加し、前記ＣＳＦＢサービスが終了した時に、前記等価ＰＬＭＮリストに従って、ＰＬＭＮ選択を実行するように構成されているプロセッサと、を具備する。
【００２３】
本発明の第５の態様と組み合わせて、実施可能な方法において、前記プロセッサは、前記等価ＰＬＭＮリストに従って、前記ＬＴＥ ＰＬＭＮを優先的に選択するように構成されている。
【００２４】
本発明の第５の態様と前述の実施可能な方法を組み合わせて、他の実施可能な方法において、前記プロセッサは、前記等価ＰＬＭＮリストに従って、ＬＴＥ周波数帯域情報に対応する周波数帯域上のセルを選択し、前記セルのための利用可能なＰＬＭＮから前記ＬＴＥ ＰＬＭＮを優先的に選択するように構成されており、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００２５】
本発明の第５の態様と前述の実施可能な方法を組み合わせて、他の実施可能な方法において、前記プロセッサは、前記等価ＰＬＭＮリストに従って、ＬＴＥ周波数帯域情報に対応する周波数帯域上のセルを選択し、前記セルのための利用可能なＰＬＭＮから前記ＬＴＥ ＰＬＭＮを優先的に選択するように構成されており、前記ＬＴＥ周波数帯域情報は、前記ＵＥにより、前記２Ｇ／３Ｇネットワークから受信される。
【００２６】
本発明の第６の態様において、ＵＥが提供され、ネットワークデバイスと相互に作用し、ＬＴＥＰＬＭＮにおいて複合登録を実行するように構成されている送受信機と、ＣＳＦＢサービスが終了した時に、ＬＴＥ周波数帯域情報に対応する周波数帯域上でＰＬＭＮ選択を実行するように構成されているプロセッサと、を具備し、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００２７】
本発明の第６の態様と組み合わせて、実施可能な方法において、前記プロセッサは、前記ＬＴＥ周波数帯域情報に対応する前記周波数帯域上のセルを選択し、前記セルのための利用可能なＰＬＭＮから前記ＬＴＥ ＰＬＭＮを優先的に選択するように構成されている。
【００２８】
本発明の第６の態様と前述の実施可能な方法を組み合わせて、他の実施可能な方法において、前記ＵＥは、前記送受信機が前記ＣＳＦＢサービスを開始し、回線ドメインにフォールバックしたとき、前記ＬＴＥ周波数帯域情報を格納するように構成されているストレージをさらに具備し、前記プロセッサは、前記ＣＳＦＢサービスが終了した時に、前記ストレージから前記ＬＴＥ周波数帯域情報を取得するようにも構成されている。
【００２９】
本発明の第７の態様において、ＣＳＦＢサービスのためのサービスを提供するように構成されている２Ｇ／３Ｇ基地局が提供され、サービングＭＳＣ／ＶＬＲにより送信された接続開放メッセージを受信するように構成された受信器であって、前記接続開放メッセージは、ＵＥがＣＳＦＢサービスを開始したときに登録されたＬＴＥ ＰＬＭＮのアイデンティティ情報を具備する、受信器と、前記受信器により受信された前記ＬＴＥ ＰＬＭＮの前記アイデンティティ情報に従って、ターゲット周波数帯域情報を選択するように構成されているプロセッサであって、前記ターゲット周波数帯域情報は、前記ターゲット周波数帯域情報に対応する周波数帯域上に駐在するためのセルを選択するために、前記ＵＥを示すために使用される、プロセッサと、前記プロセッサにより選択された前記ターゲット周波数帯域情報を前記ＵＥに送信するように構成された送信器と、を具備する。
【００３０】
本発明の第７の態様と組み合わせて、実施可能な方法において、前記送信器は、優先度情報を前記ＵＥに送信するように構成されており、前記優先度情報は、前記周波数帯域情報を具備する。
【００３１】
本発明の第８の態様において、ＬＴＥ基地局は、ＣＳＦＢサービスが終了した時に、ＵＥにより送信された接続確立要求メッセージを受信するように構成されている受信器であって、前記接続確立要求メッセージは、前記ＵＥのアイデンティティを具備する、受信器と、前記ＵＥのアイデンティティ及び前記ＵＥが前記ＣＳＦＢサービスを開始した時に登録された前記ＬＴＥ ＰＬＭＮのアイデンティティ情報に従って、前記ＬＴＥ ＰＬＭＮの前記アイデンティティ情報に対応する前記ＬＴＥ ＰＬＭＮを選択するように構成されているプロセッサと、を具備する。
【００３２】
本発明の第８の態様と組み合わせて、実施可能な方法において、前記ＬＴＥ基地局は、ストレージをさらに具備し、前記受信器は、２Ｇ／３Ｇ基地局により送信された、前記ＵＥのアイデンティティ及び前記ＬＴＥ ＰＬＭＮの前記アイデンティティ情報を受信するようにさらに構成されており、前記２Ｇ／３Ｇ基地局は、前記ＣＳＦＢサービスのためのサービスを提供する基地局であり、前記ストレージは、前記２Ｇ／３Ｇ基地局により送信され、前記受信器により受信された、前記ＵＥのアイデンティティ及び前記ＬＴＥ ＰＬＭＮの前記アイデンティティ情報を格納するように構成されている。
【００３３】
本発明の第８の態様と前述の実施可能な方法を組み合わせて、他の実施可能な方法において、前記ＬＴＥ基地局は、送信器をさらに具備し、前記受信器は、サービングＭＳＣ／ＶＬＲにより送信された接続開放メッセージを受信するようにさらに構成されており、前記接続開放メッセージは、前記ＵＥのアイデンティティと、前記ＬＴＥ ＰＬＭＮのアイデンティティ情報と、を具備し、前記送信器は、前記ＵＥのアイデンティティ及び前記ＬＴＥ ＰＬＭＮの前記アイデンティティ情報を前記ＬＴＥ基地局に送信するようにさらに構成されている。
【００３４】
本発明の第８の態様と前述の実施可能な方法を組み合わせて、他の実施可能な方法において、前記サービングＭＳＣ／ＶＬＲが前記ＵＥの登録されたＭＳＣ／ＶＬＲであるときは、前記ＵＥのアイデンティティ及び前記ＬＴＥ ＰＬＭＮの前記アイデンティティ情報は、前記サービングＭＳＣ／ＶＬＲにより、前記ＵＥの登録情報から取得されるか、又は、前記サービングＭＳＣ／ＶＬＲが前記ＵＥの登録されたＭＳＣ／ＶＬＲでないときは、前記ＵＥのアイデンティティ及び前記ＬＴＥ ＰＬＭＮの前記アイデンティティ情報は、前記サービングＭＳＣ／ＶＬＲにより、前記登録されたＭＳＣ／ＶＬＲから取得される。
【００３５】
本発明の第８の態様と前述の実施可能な方法を組み合わせて、他の実施可能な方法において、前記ＬＴＥ基地局は、前記ＵＥが前記ＣＳＦＢサービスを開始した時に、アクセスサービスを提供する基地局であり、前記ＬＴＥ基地局は、前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を格納するように構成されているストレージをさらに具備する。
【００３６】
本発明の第８の態様と前述の実施可能な方法を組み合わせて、他の実施可能な方法において、前記プロセッサは、前記ＵＥの前記格納されたアイデンティティ及び前記ＬＴＥ ＰＬＭＮの前記アイデンティティ情報を削除するようにさらに構成されている。
【００３７】
本発明の第９の態様において、ＵＥが提供され、ＬＴＥ ＰＬＭＮにおいて複合登録を実行するように構成されている登録ユニットと、ＣＳＦＢサービスを開始し、２Ｇ／３Ｇネットワークにフォールバックするように構成されているフォールバックユニットと、前記２Ｇ／３Ｇネットワークにおける等価ＰＬＭＮリストを受信するように構成されている受信ユニットと、前記ＬＴＥ ＰＬＭＮのアイデンティティ情報を前記受信ユニットにより受信された前記等価ＰＬＭＮリストに付加するように構成されている付加ユニットと、前記ＣＳＦＢサービスが終了した時に、前記付加ユニットにより修正された前記等価ＰＬＭＮリストに従って、ＰＬＭＮ選択を実行するように構成されている選択ユニットと、を具備する。
【００３８】
本発明の第９の態様と組み合わせて、実施可能な方法において、前記選択ユニットは、前記付加ユニットにより修正された前記等価ＰＬＭＮリストに従って、前記ＬＴＥ ＰＬＭＮを優先的に選択するように構成されている。
【００３９】
本発明の第９の態様と前述の実施可能な方法を組み合わせて、他の実施可能な方法において、前記選択ユニットは、前記付加ユニットにより修正された前記等価ＰＬＭＮリストに従って、ＬＴＥ周波数帯域情報に対応する周波数帯域上のセルを選択し、前記セルのための利用可能なＰＬＭＮから前記ＬＴＥ ＰＬＭＮを優先的に選択するように構成されており、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００４０】
本発明の第９の態様と前述の実施可能な方法を組み合わせて、他の実施可能な方法において、前記選択ユニットは、前記付加ユニットにより修正された前記等価ＰＬＭＮリストに従って、ＬＴＥ周波数帯域情報に対応する 周波数帯域上のセルを選択し、前記セルのための利用可能なＰＬＭＮから前記ＬＴＥ ＰＬＭＮを優先的に選択するように特に構成されており、前記ＬＴＥ周波数帯域情報は、前記ＵＥにより前記２Ｇ／３Ｇネットワークから受信される。
【００４１】
本発明の第１０の態様において、ＵＥが提供され、ＬＴＥ ＰＬＭＮにおいて複合登録を実行するように構成されている登録ユニットと、ＣＳＦＢサービスが終了した時に、ＬＴＥ周波数帯域情報に対応する周波数帯域上でＰＬＭＮ選択を実行するように構成されている選択ユニットと、を具備し、前記ＬＴＥ周波数帯域情報は、前記ＵＥが、前記ＬＴＥ ＰＬＭＮへの複合登録を開始したときに、前記ＵＥにより選択されたＬＴＥ周波数帯域の情報である。
【００４２】
本発明の第１０の態様と組み合わせて、実施可能な方法において、前記選択ユニットは、前記ＬＴＥ周波数情報に対応する前記周波数上のセルを選択し、前記セルのための利用可能なＰＬＭＮから前記ＬＴＥ ＰＬＭＮを優先的に選択するように構成されている。
【００４３】
本発明の第１０の態様と前述の実施可能な方法を組み合わせて、他の実施可能な方法において、前記ＵＥは、前記ＣＳＦＢサービスが開始され、ＣＳドメインがフォールバックされるときに、前記ＬＴＥ周波数帯域情報を格納するように構成されている格納ユニットをさらに具備し、前記選択ユニットは、前記ＣＳＦＢサービスが終了した時に、前記格納ユニットから前記ＬＴＥ周波数情報を取得するようにさらに構成されている。
【００４４】
本発明の第１１の態様において、ＣＳＦＢサービスのためのサービスを提供するように構成されている２Ｇ／３Ｇ基地局が提供される。前記２Ｇ／３Ｇ基地局は、サービングＭＳＣ／ＶＬＲにより送信された接続開放メッセージを受信するように構成された受信ユニットであって、前記接続開放メッセージは、ＵＥがＣＳＦＢサービスを開始したときに登録されたＬＴＥ ＰＬＭＮのアイデンティティ情報を具備する、受信ユニットと、前記受信ユニットにより受信される前記ＬＴＥ ＰＬＭＮの前記アイデンティティ情報に従って、ターゲット周波数帯域情報を選択するように構成されている選択ユニットであって、前記ターゲット周波数帯域情報は、前記ターゲット周波数帯域情報に対応する周波数帯域上に駐在するためのセルを選択するために、前記ＵＥを示すように構成されている、選択ユニットと、前記選択ユニットにより選択された前記ターゲット周波数帯域情報を前記ＵＥに送信するように構成されている送信ユニットと、を具備する。
【００４５】
本発明の第１１の態様と組み合わせて、実施可能な方法において、前記送信ユニットは、優先度情報を前記ＵＥに送信するように構成されており、前記優先度情報は、前記周波数帯域情報を具備する。
【００４６】
本発明の第１２の態様において、ＬＴＥ基地局は、ＣＳＦＢサービスが終了した時に、ＵＥ)により送信された接続確立要求メッセージを受信するように構成された受信ユニットであって、前記接続確立要求メッセージは、前記ＵＥのアイデンティティを具備する、受信ユニットと、前記受信ユニットにより受信される、前記ＵＥのアイデンティティ及び前記ＵＥが前記ＣＳＦＢサービスを開始した時に登録されたＬＴＥ ＰＬＭＮのアイデンティティ情報に従って、前記ＬＴＥ ＰＬＭＮの前記アイデンティティ情報に対応する前記ＬＴＥ ＰＬＭＮを選択するように構成されている選択ユニットと、を具備する。
【００４７】
本発明の第１２の態様と組み合わせて、実施可能な方法において、前記受信ユニットは、２Ｇ／３Ｇ基地局により送信される、前記ＵＥのアイデンティティ及び前記ＬＴＥ ＰＬＭＮの前記アイデンティティ情報を受信するとともに格納するように構成されており、前記２Ｇ／３Ｇ基地局は、前記ＣＳＦＢサービスのためのサービスを提供する基地局である。
【００４８】
本発明の第１２の態様と前述の実施可能な方法を組み合わせて、他の実施可能な方法において、前記受信ユニットは、２Ｇ／３Ｇ基地局により送信された前記ＵＥのアイデンティティ及び前記ＬＴＥ ＰＬＭＮの前記アイデンティティ情報を受信するステップの前に、前記２Ｇ／３Ｇ基地局が、サービングＭＳＣ／ＶＬＲにより送信された接続開放メッセージを受信するようにさらに構成されており、前記接続開放メッセージは、前記ＵＥのアイデンティティ及び前記ＬＴＥ ＰＬＭＮの前記アイデンティティ情報を具備し、前記２Ｇ／３Ｇ基地局は、前記ＵＥのアイデンティティ及び前記ＬＴＥ ＰＬＭＮの前記アイデンティティ情報を前記２Ｇ／３Ｇ基地局に送信する。
【００４９】
本発明の第１２の態様と前述の実施可能な方法を組み合わせて、他の実施可能な方法において、前記サービングＭＳＣ／ＶＬＲがである場合には、前記ＵＥのアイデンティティ及び前記ＬＴＥ ＰＬＭＮの前記アイデンティティ情報は、前記サービングＭＳＣ／ＶＬＲにより、前記ＵＥの登録情報から取得されるか、又は、前記サービングＭＳＣ／ＶＬＲが前記ＵＥの登録されたＭＳＣ／ＶＬＲでない場合には、前記ＵＥのアイデンティティ及び前記ＬＴＥ ＰＬＭＮの前記アイデンティティ情報は、前記サービングＭＳＣ／ＶＬＲにより、前記登録されたＭＳＣ／ＶＬＲから取得される。
【００５０】
本発明の第１２の態様と前述の実施可能な方法を組み合わせて、他の実施可能な方法において、前記ＬＴＥ基地局は、前記ＵＥが前記ＣＳＦＢサービスを開始した時に、アクセスサービスを提供する基地局であり、前記ＬＴＥ基地局は、前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を保存するように構成されている格納ユニットをさらに具備する。
【００５１】
本発明の第１２の態様と前述の実施可能な方法を組み合わせて、他の実施可能な方法において、前記ＬＴＥ基地局は、前記ＵＥの前記格納されたアイデンティティ及び前記ＬＴＥ ＰＬＭＮの前記アイデンティティ情報を削除するように構成されている削除ユニットをさらに具備する。
【００５２】
ランダムにアサインされＵＥが任意の近傍のＬＴＥネットワークに戻る従来技術における方法と比べ、ＣＳＦＢサービスが終了した後に、ＵＥがＬＴＥネットワークへ接続確立要求を開始するとき、前記ＵＥにより送信されたアイデンティティと前記ＵＥの前記格納されたアイデンティティを照合することにより、前記ＵＥが前記ＣＳＦＢを開始するときに前記ＵＥにより登録されたＬＴＥ ＰＬＭＮを判別することを具備する本発明の実施形態において提供されるＬＴＥネットワークを選択するための方法及びデバイスは、前記ＣＳＦＢが開始されるときに登録される前記ＬＴＥ ＰＬＭＮに復帰するように前記ＵＥに指定でき、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【００５３】
本発明の実施形態における技術的ソリューション又は従来技術をより明確に例証するために、前記実施形態又は従来技術において必要とされる図面の簡単な説明が以下でなされる。明らかに、以下で説明される図面は、単に本発明のいくつかの実施形態に過ぎず、これらの図面に基づき、当業者が創作的な取り組み無しに、他の図面も得ることができる。
【図面の簡単な説明】
【００５４】
【図１】図１は、本発明の実施形態におけるＬＴＥネットワークを選択するための方法のフローチャートである。
【図２】図２は、本発明の他の実施形態におけるＬＴＥネットワークを選択するための方法のフローチャートである。
【図３】図３は、本発明の他の実施形態におけるＬＴＥネットワークを選択するための方法のフローチャートである。
【図４】図４は、本発明の他の実施形態におけるＬＴＥネットワークを選択するための方法のフローチャートである。
【図５】図５は、本発明の他の実施形態におけるＬＴＥネットワークを選択するための方法のフローチャートである。
【図６】図６は、本発明の他の実施形態におけるＬＴＥネットワークを選択するための方法のフローチャートである。
【図７】図７は、本発明の他の実施形態におけるＵＥの構成の概略図である。
【図８】図８は、本発明の他の実施形態におけるＵＥの構成の概略図である。
【図９】図９は、本発明の他の実施形態における２Ｇ／３Ｇ基地局の構成の概略図である。
【図１０】図１０は、本発明の他の実施形態におけるＬＴＥ基地局の構成の概略図である。
【図１１】図１１は、本発明の他の実施形態におけるＵＥの構成の概略図である。
【図１２】図１２は、本発明の他の実施形態におけるＵＥの構成の概略図である。
【図１３】図１３は、本発明の他の実施形態における２Ｇ／３Ｇ基地局の構成の概略図である。
【図１４】図１４は、ＬＴＥ基地局 本発明の他の実施形態におけるＬＴＥ基地局の構成の概略図である。
【発明を実施するための形態】
【００５５】
本発明の前記実施形態の技術的ソリューションの明確かつ完全な説明が、本発明の実施形態において、添付の図面と共に以下でなされる。明らかに、以下で説明される実施形態は、本発明の前記実施形態の一部でありすべてではない。創造的な取り組み無しに本発明の前記実施形態に基づいて当業者によって得られる他のすべての実施形態は、本発明の保護範囲に含まれる。
【００５６】
明細書において、説明されるＬＴＥネットワークは、進化型ＵＭＴＳ地上無線アクセスネットワーク(英語表記は、「Evolved UMTS Territorial Radio Access Network」、英語の省略形は、「E-UTRAN」であり、ＵＭＴＳの英語表記は、「Universal Mobile Telecommunications System」)である。第２世代(2G:2nd Generation)ネットワークは、ＧＳＭ（登録商標）/ＥＤＧＥ無線アクセスネットワーク(英語表記では、「ＧＳＭ／ＥＤＧＥ  Ｒａｄｉｏ  Ａｃｃｅｓｓ  Ｎｅｔｗｏｒｋ」、英語の省略形は、「GERAN」であり、ＧＳＭ（登録商標）の英語表記は、「Global System of Mobile communication」であり、ＥＤＧＥの英語表記は、「Enhanced Data Rate for GSM Evolution」)である。第３世代(3G:3rd Generation)ネットワークは、ＵＴＲＡＮネットワークである。ＬＴＥネットワークのＰＬＭＮは、ＰＳドメインサービスのみを提供するが、２Ｇ／３Ｇネットワークにおいては、ＣＳドメインサービスを提供するＰＬＭＮのみならず、ＰＳドメインサービスを提供するＰＬＭＮも含まれている。
【００５７】
本発明の実施形態におけるユーザ装置(UE:User Equipment)は、次のものいずれであってもよく、前記ＵＥは、固定型(static)又は移動型(mobile)でもよい。固定型ＵＥ(static UE)は、端末(Terminal)、移動局(Mobile Station)、加入者ユニット(Subscriber Unit)、などを含んでよい。移動型ＵＥは、セルラーフォン(Cellular Phone)、個人情報端末(PDA:Personal Digital Assistant)、無線モデム(modem)、無線通信デバイス、ハンドヘルドデバイス(handheld)、ラップトップコンピュータ(Laptop Computer)、コードレス電話(Cordless Phone)、無線ローカルループ(WLL:Wireless Local Loop)局、などを含んでよい。先述のＵＥは、ワイヤレスネットワーク全体に分散されていてよい。
【００５８】
当業者の理解を容易にするために、具体的な応用例が以下に示される。本発明の実施形態において、ＬＴＥ基地局は、ＬＴＥネットワークのアクセスサービスを提供するｅＮｏｄｅＢなどの基地局でありうることに留意しなければならない。２Ｇ／３Ｇ基地局は、２Ｇネットワークの基地局(BSS:Base Subsystem)又は、３Ｇネットワークの無線ネットワークサブシステム(RNS:Radio Network Subsystem)でありうる。モバイル管理ネットワーク要素は、移動通信交換局(MSC:Mobile Switching Centre)/ビジタ・ロケーション・レジスタ(VLR:Visitors Location Register)、又はモビリティ管理エンティティ(MME:Mobility Management Entity)、又はサービングＧＰＲＳサポートノード(SGSN:Serving GPRS Support Node)のいずれであってもよく、ＭＳＣ及びＶＬＲは一般に同一のネットワーク要素として、組み合わされており、ＭＳＣ／ＶＬＲ又は単にＶＬＲと呼ばれている。
【００５９】
ＬＴＥネットワークは、ＰＳデータサービスのみをサポートするため、データサービスの実行中又は前記ＬＴＥネットワークにおいてアイドル状態の間に、前記ＵＥが回線ドメインサービス(音声通話、付加サービス、位置情報サービスなどを含む)を開始したか又は受信したならば、前記ＵＥが前記２Ｇ／３Ｇネットワークにおける回線ドメインサービスを完了するために、ＵＥは、回線ドメインフォールバック(CSFB:Circuit Service Fall Back)フローを実行し、前記ＵＥを前記ＬＴＥネットワークから２Ｇ／３Ｇネットワークへフォールバックさせる必要がある。ＣＳサービスが終了するとき(ＣＳＦＢサービスのために前記ＵＥにより確立された２Ｇ／３Ｇネットワークにおける下位接続(underlying connection)の開放が回線ドメインサービスの終了を意味する)、端末は、前記ＬＴＥネットワークにおいてデータサービスを進めるためにＬＴＥネットワークに復帰する必要がある。本発明の実施形態において、ＣＳＦＢサービスは、回線ドメイン（ＣＳ）サービスとして、ＵＥがＣＳＦＢフローを開始し、２Ｇ／３Ｇネットワークにフォールバックすることが実行される必要のある場合に、ＬＴＥネットワークに駐在するＵＥにより実行されるＣＳサービスを具体的に指し、前記ＣＳＦＢサービスは、ＵＥが音声通話ページングを受信するときにトリガされるダウンリンクＣＳＦＢサービス、アクティブ音声通話によりトリガされるアップリンクＣＳＦＢサービス等の、アップリンクＣＳＦＢサービスと、ダウンリンクＣＳＦＢサービスを含む。本発明の実施形態において、ソースＭＳＣ／ＶＬＲは、複合登録フローにおいて前記ＵＥが正常に登録されるＭＳＣ／ＶＬＲであり、正常な複合登録の後にＬＴＥネットワークに駐在しているときの前記ＵＥのサービングＭＳＣ／ＶＬＲでもあり、登録されたＭＳＣ／ＶＬＲとも呼ばれる。サービングＭＳＣ／ＶＬＲは、前記ＵＥがＣＳＦＢフローを開始し、２Ｇ／３Ｇネットワークにフォールバックする時にＣＳサービスを実行するためのＵＥのためのサービスを提供するＭＳＣ／ＶＬＲであり、ターゲットＭＳＣ／ＶＬＲとも呼ばれる。
【００６０】
ＵＥの内部において、前記ＵＥの内部は、処理され、制御されるメッセージのオブジェクトの違いに従って、アクセス層(AS:Access Stratum)と非アクセス層(NAS:Non-Access Stratum)をに分かれ得る。前記ＡＳは、ＲＲ／ＲＲＣ接続開放メッセージを受信し、周波数帯域に従って適切なセルを選択するとともに駐在(residing)し、前記セルシステムブロードキャストメッセージを読み込み、利用可能なＰＬＭＮ情報を取得し、そしてそれを前記ＮＡＳに報告することを担当する。前記ＮＡＳは、ＡＳにより報告された前記利用可能なＰＬＭＮ情報に従ってＰＬＭＮ選択を実行するかどうかを決定する。
【００６１】
本発明の実施形態におけるＬＴＥネットワークを選択するための方法が提供される。図１に示されているように、前記方法は以下のステップを具備する。
【００６２】
１０１：ＣＳＦＢサービスが終了した時に、ＬＴＥ基地局は、ＵＥにより送信された接続確立要求メッセージを受信する。前記接続確立要求メッセージは、前記ＵＥのアイデンティティを具備する。
【００６３】
あるいは、ＬＴＥ基地局は、前記ＵＥのためのＬＴＥアクセスサービスを提供する。ＣＳＦＢが開始されたときに、前記ＵＥは、ＬＴＥ基地局に登録する。前記ＵＥの前記ＣＳＦＢサービスが終了したとき、及び前記ＵＥにより送信された、前記ＵＥのアイデンティティを含んでいる接続確立要求メッセージが受信されたとき、前記ＵＥのアイデンティティ及び前記格納された、前記ＵＥが前記ＣＳＦＢサービスを開始した時に登録された前記ＬＴＥ ＰＬＭＮのアイデンティティ情報に従って、前記ＣＳＦＢが開始されたときに登録された前記ＬＴＥ ＰＬＭＮが前記ＵＥのために選択されるように、ＵＥがＣＳＦＢを開始したとき、ＬＴＥ基地局は、前記ＵＥのアイデンティティ及び前記ＵＥにより登録されたＬＴＥ ＰＬＭＮのアイデンティティ情報を格納し得る。
【００６４】
あるいは、ＵＥにより開始されたＣＳＦＢサービスが終了したとき、サービングＭＳＣ／ＶＬＲは、前記ＣＳＦＢサービスが終了した時に、前記２Ｇ／３Ｇ基地局が前記ＵＥのアイデンティティ及び前記ＵＥにより登録されたＬＴＥ ＰＬＭＮの前記アイデンティティ情報をＵＥのためのＬＴＥアクセスサービスの提供可能な近接したＬＴＥ基地局に送信するように、前記ＵＥのアイデンティティ及び前記ＵＥにより登録されたＬＴＥ ＰＬＭＮのアイデンティティ情報を前記ＵＥのためのＣＳドメインにおけるアクセスサービスを提供する２Ｇ／３Ｇ基地局に送信し得る。これらの近接した基地局は、前記ＵＥがＣＳＦＢを開始したときに登録された前記ＬＴＥ基地局を含む。前記ＬＴＥ基地局は、前記２Ｇ／３Ｇ基地局により送信された、前記ＵＥのアイデンティティ及び前記ＵＥにより登録された前記ＬＴＥ ＰＬＭＮの前記アイデンティティ情報を格納する。このような方法で、ＬＴＥ基地局が、前記ＵＥのアイデンティティを含んでいる前記ＵＥにより送信された接続確立要求メッセージを受信する場合、前記ＣＳＦＢが開始されたときに登録されたＬＴＥ ＰＬＭＮは、前記ＵＥのアイデンティティ及び格納された前記ＵＥにより登録されたＬＴＥ ＰＬＭＮのアイデンティティ情報に従って、前記ＵＥのために選択され得る。前記２Ｇ／３Ｇ基地局は、前記２Ｇ／３Ｇ基地局に近接しているとともにＬＴＥアクセスサービスを提供し得る基地局をあらかじめ取得し得、例えば、ネットワーク設定に基づき又は自動近接関係（automatic neighbor relation）を利用して近接しているｅＮｏｄｅＢを取得し、前記ＵＥのアイデンティティ及び前記ＬＴＥ ＰＬＭＮの前記アイデンティティ情報は、ＬＴＥアクセスサービスを提供する各近接基地局に送信され得る。ＬＴＥサービスがＬＴＥ基地局において実行されるとき、ＵＥにより、ＣＳＦＢが開始されるので、ＣＳドメインを提供可能な近くの２Ｇ／３Ｇ基地局が選択され、それにより、前記ＵＥによりすでに登録された前記ＬＴＥ基地局は、前記ＣＳＦＢサービスを実行する２Ｇ／３Ｇ基地局に隣接している。前記ＬＴＥ基地局は、前記２Ｇ／３Ｇ基地局により送信された、前記ＵＥのアイデンティティ及び前記ＬＴＥ ＰＬＭＮの前記アイデンティティ情報を受信するとともに格納する。このような方法で、前記ＵＥがＬＴＥネットワークに復帰するための適切なセルを探索するとき、ＬＴＥ基地局は、前記ＵＥが前記ＬＴＥ基地局のサービスエリアに入ったならば、前記ＵＥが前記ＣＳＦＢサービスを開始した時に、前記ＬＴＥ ＰＬＭＮの前記アイデンティティ情報を判別するとともに選択し得る。
【００６５】
前記サービングＭＳＣ／ＶＬＲが前記ＵＥの登録されたＭＳＣ／ＶＬＲであるならば、前記サービングＭＳＣ／ＶＬＲは、前記ＵＥのアイデンティティ及び前記ＵＥにより登録されたＬＴＥ ＰＬＭＮのアイデンティティ情報を前記ＵＥの登録情報から取得することに留意しなければならない。前記サービングＭＳＣ／ＶＬＲが前記ＵＥの登録されたＭＳＣ／ＶＬＲでないならば、前記サービングＭＳＣ／ＶＬＲは、前記ＵＥのアイデンティティ及び前記ＵＥにより登録されたＬＴＥ ＰＬＭＮのアイデンティティ情報を、前記ＵＥの登録されたＭＳＣ／ＶＬＲから取得する。
【００６６】
前記ＵＥのアイデンティティは、システム・アーキテクチャ・エボリューション(SAE:System Architecture Evolution)テンポラリ・モバイル・サブスクライバ・アイデンティティ(S-TMSI:SAE Temporary Mobile Subscriber Identity)、国際モバイル・サブスクライバ・アイデンティティ(IMSI: International Mobile Subscriber Identity)、又はテンポラリ・モバイル・サブスクライバ・アイデンティティ(TMSI:Temporary Mobile Subscriber Identity)であり得るが、本発明の実施形態において限定されない。前記ＵＥにより登録されたＬＴＥ ＰＬＭＮのアイデンティティ情報は、登録されたＬＴＥ ＰＬＭＮアイデンティティ(ID:identity)であり得、登録されたＬＴＥ ＰＬＭＮ ＩＤを含んでいるグローバル・ユニーク・テンポラリ・アイデンティティ(GUTI:Globally Unique Temporary Identity)であってもよく、登録されたＬＴＥ ＰＬＭＮ ＩＤを含んでいるトラッキング・エリア・アイデンティティ(TAI:Tracking Area Identity)であってもよく、登録されたＬＴＥ ＰＬＭＮ ＩＤを含んでいるＥ−ＵＴＲＡＮ・セル・グローバル・アイデンティティ(ECGI:E-UTRAN Cell Global Identity)であってもよく、本発明の実施形態において限定されない。
【００６７】
前記ＵＥにより開始された前記ＣＳＦＢサービスが終了するときに、前記接続確立要求メッセージが送信される。ＬＴＥ基地局は、ｅＮｏｄｅＢなどのＬＴＥアクセスサービスを提供する基地局であり得る。ＬＴＥ基地局は、少なくとも２つのＬＴＥ ＰＬＭＮで共有され得、すなわち、ＬＴＥ基地局は、少なくとも２つのＬＴＥ ＰＬＭＮのためにＬＴＥアクセスサービスが提供され得、例えば、ＬＴＥ基地局は、ＰＬＭＮ１及びＰＬＭＮ２の両方のためにＬＴＥアクセスサービスを提供できる。
【００６８】
１０２：前記ＬＴＥ基地局は、前記ＵＥのアイデンティティと、前記ＵＥが前記ＣＳＦＢサービスを開始するときに登録されたＬＴＥ ＰＬＭＮのアイデンティティ情報に従って、前記ＬＴＥ ＰＬＭＮの前記アイデンティティ情報に対応する前記ＬＴＥ ＰＬＭＮを選択する。
【００６９】
前記ＬＴＥ基地局が前記ＵＥのアイデンティティ及び前記ＬＴＥ ＰＬＭＮの前記アイデンティティ情報取得し得るため、ＵＥアイデンティティに対応するＬＴＥ ＰＬＭＮのアイデンティティ情報を判別するために、前記ＵＥにより送信された、受信されたＵＥアイデンティティと、格納されたＵＥアイデンティティとに従って照合が実行され得る。前記ＬＴＥ基地局は、前記ＬＴＥ ＰＬＭＮの前記アイデンティティ情報に従って、対応するＬＴＥ ＰＬＭＮを一意に判別でき、前記ＬＴＥ ＰＬＭＮを選択し、前記ＵＥのためのＬＴＥサービスを提供する。
【００７０】
従来技術において定義される、ＣＳＦＢ後にＬＴＥネットワークに復帰するための方法と比較し、本発明の実施形態において提供されるＬＴＥネットワークを選択するための方法は、ＣＳＦＢサービスが終了する時のＬＴＥネットワークへの接続確立要求を開始したとき、前記ＵＥにより送信された前記ＵＥアイデンティティと前記ＵＥの前記格納されたアイデンティティを照合することにより、前記ＵＥがＣＳＦＢを開始したときに登録されたＬＴＥ ＰＬＭＮを判別するとともに選択するステップと、選択するステップと、を具備し、前記ＵＥが、前記ＣＳＦＢが開始されたときに登録されたＬＴＥ ＰＬＭＮに復帰することを確実にでき、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【００７１】
本発明の実施形態におけるＬＴＥネットワークを選択するための他の方法が提供される。図２に示されているように、前記方法は、以下を具備する：
２０１：ＵＥは、複合登録を開始し、ＬＴＥネットワークをサポートするＰＬＭＮ１と、２Ｇ／３ＧネットワークをサポートするＰＬＭＮ２に正常に登録される。
【００７２】
Ｅ−ＵＴＲＡＮに駐在し、ＣＳＦＢをサポートする前記ＵＥは、ＥＰＣネットワークのＰＳドメイン及び２Ｇ／３ＧネットワークのＣＳドメインの同時登録を実現するために複合登録フローを開始する必要がある。前記ＵＥがＰＳドメインネットワーク(ＬＴＥ ＰＬＭＮ１)に登録されるとき、ＰＬＭＮ２のソースＭＳＣ／ＶＬＲは、前記ＵＥのアイデンティティ及び前記ＰＬＭＮ１の前記ＰＬＭＮ ＩＤ１を取得し得る。
【００７３】
複合登録フローにおいて、ネットワーク側は、前記ＵＥのために前記ソースＭＳＣ／ＶＬＲを選択する。前記ＵＥが前記ＣＳドメインネットワーク(CS PLMN2)に登録されるとき、モバイル管理エンティティ(MME:Mobile Management Entity)は、前記ＵＥのためにサービスを提供可能なソースＭＳＣ／ＶＬＲを選択し、位置更新要求を前記選択されたソースＭＳＣ／ＶＬＲに送信し、ＳＧのアソシエーションを確立する。前記ソースＭＳＣ／ＶＬＲは、登録要求をホーム・ロケーション・レジスタ(HLR:Home Location Register)に送信し、前記ＵＥのＣＳドメイン加入データを取得し、ＣＳドメインにおける前記ＵＥの登録を実現する。あるいは、ＭＳＣリソースプール(MSC pool)が採用されないシナリオの下では、ＭＭＥは、前記ＵＥの現在の位置情報に従ってサービス提供可能なＭＳＣ／ＶＬＲを選択し、ＭＳＣリソースプール(MSC pool)が採用されるシナリオの下では、ＭＭＥは、前記ＵＥの現在の位置情報及び国際モバイル加入者識別番号(IMSI: International Mobile Subscriber Identity)ハッシュテーブルに従って、前記ＭＳＣプールからサービングＭＳＣ／ＶＬＲを選択する。
【００７４】
２０２：前記ＵＥは、前記ＰＬＭＮ１におけるＣＳＦＢを開始し、前記ＰＬＭＮ２の２Ｇ／３Ｇネットワークに正常にフォールバックする。
【００７５】
複合登録が正常に実現されるとき、ＣＳＦＢサービスが、通常開始され得る。ＵＥがアップリンクＣＳＦＢとダウンリンクＣＳＦＢを開始する前記フローにおいて、ＬＴＥネットワークにおけるＭＭＥは、前記ＵＥのためのＣＳサービス ＰＬＭＮ ＩＤを選択し、前記選択されたＣＳ ＰＬＭＮ ＩＤをＬＴＥネットワークにおけるＬＴＥ基地局(eNodeB)に送信し、前記ＬＴＥ基地局(eNodeB)が前記ＵＥを前記ＣＳ ＰＬＭＮ ＩＤに対応するＣＳネットワークにフォールバックさせるべきであることを通知する。ＣＳドメインサービスは、前記ＵＥが２Ｇ／３Ｇネットワークに切り替えるときに開始され得る。例えば、開始されたＣＳ音声通話確立フローにおいて、ＵＥは、ＣＳＦＢ指示をサービングＭＳＣ／ＶＬＲに送信し得る。前記ＣＳＦＢ指示は、ＣＳＦＢが前記ＬＴＥネットワークにおいて実行されるように、この音声通話がトリガされることを示すために使用される。ＣＳ音声通話接続が正常に確立される場合、ＵＥは、音声通話を実行する。
【００７６】
２０３：ソースＭＳＣ／ＶＬＲは、サービングＭＳＣ／ＶＬＲに前記ＵＥのアイデンティティ及びＰＬＭＮ ＩＤ１を送信する。
【００７７】
前記ステップ２０３は、オプションのステップである。前記ＵＥがフォールバックする２Ｇ／３Ｇネットワークにおける前記ＵＥのサービングＭＳＣ／ＶＬＲが前記ソースＭＳＣ／ＶＬＲであるならば、前記ステップ２０３は、実行される必要はない。前記ＵＥのサービングＭＳＣ／ＶＬＲが、前記ステップ２０１において登録されたソースＭＳＣ／ＶＬＲでない場合のみ、前記ステップ２０３は、実行される。
【００７８】
前記ステップ２０１の複合登録プロセスにおいて、ソースＭＳＣ／ＶＬＲは、登録情報から前記ＵＥのアイデンティティを取得し得る。例えば、前記複合登録プロセスにおいて、ＭＭＥは、前記ＵＥのＩＭＳＩをソースＭＳＣ／ＶＬＲに送信するか、又はＭＭＥは、前記ＵＥのＳＡＥテンポラリ・モバイル・サブスクライバ・アイデンティティ(S-TMSI:SAE Temporary Mobile Subscriber Identity)をソースＭＳＣ／ＶＬＲに送信してもよい。さらに、ソースＭＳＣ／ＶＬＲは、前記ＵＥにより登録されたＰＬＭＮ ＩＤ１を登録情報から取得し得る。例えば、複合登録プロセスにおいて、ＭＭＥは、ＭＭＥ名(name)をソースＭＳＣ／ＶＬＲに送信し、ＵＥにより登録されたＰＬＭＮ ＩＤ１は、前記ＭＭＥ名に含まれている。又は、複合登録フローにおいて、ＭＭＥは、トラッキング・エリア・アイデンティティ(TAI:Tracking Area Identity)又はＥ−ＵＴＲＡＮ・セル・グローバル・アイデンティティ(ECGI:E-UTRAN Cell Global Identity)をソースＭＳＣ／ＶＬＲに送信し得、前記ＵＥにより登録されたＰＬＭＮ ＩＤ１は、前記ＴＡＩ又は前記ＥＣＧＩが含まれている。
【００７９】
前記実施形態において、前記ＵＥが他のＭＳＣ／ＶＬＲ、すなわちサービングＭＳＣ／ＶＬＲのサービス範囲に入ったならば、２Ｇ／３Ｇネットワークにフォールバックする時、前記ＵＥは、前記サービングＭＳＣ／ＶＬＲの位置更新処理の間、ソースＭＳＣ／ＶＬＲの位置情報をサービングＭＳＣ／ＶＬＲに報告する。それから、前記サービングＭＳＣ／ＶＬＲは、前記ＵＥのアイデンティティ及び登録されたＰＬＭＮ ＩＤ１の取得要求に応じて、前記ＵＥにより報告された前記所在位置にしたがって、移動通信応用部(MAP:Mobile Application Part)送信識別情報(SEND IDENTIFICATION)メッセージを前記ソースＭＳＣ／ＶＬＲに送信する。前記ソースＭＳＣ／ＶＬＲは、前記ステップ２０１で取得された、前記ＵＥのアイデンティティ及び前記登録されたＰＬＭＮ ＩＤ１を、ＭＡＰ ＳＥＮＤ ＩＤＥＮＴＩＦＩＣＡＴＩＯＮ応答メッセージにおいて前記サービングＭＳＣ／ＶＬＲに送信する。
【００８０】
２０４：前記ＵＥは、前記ＰＬＭＮ２におけるＣＳドメインサービスを実行する。
【００８１】
前記ＣＳＦＢ後のＣＳドメインサービスは、音声通話、付加サービス、位置情報サービスなどを開始する又は受信するステップを含み得る。
【００８２】
２０５：前記ＵＥの前記ＣＳドメインサービスが終了したとき、サービングＭＳＣ／ＶＬＲは、第１の接続開放メッセージを２Ｇ／３Ｇ基地局に送信し、前記第１の接続開放メッセージは、ＣＳＦＢ指示、ＵＥアイデンティティ、及びＰＬＭＮ ＩＤ１を含んでおり、すなわち、前記２Ｇ／３Ｇ基地局は、前記ＵＥの前記ＣＳＦＢサービスの終了を取得する。
【００８３】
ＵＥのＣＳドメインサービスが終了するとき、サービングＭＳＣ／ＶＬＲは、基地局との接続開放フローを開始し、ＣＳＦＢ指示、ＵＥアイデンティティ、及びＰＬＭＮ ＩＤ１が、第１の接続開放メッセージにおいて搬送される。前記ＣＳＦＢ指示は、ＵＥの現在のＣＳドメインサービスが、ＣＳＦＢによるものであることを示すために使用され、前記ＣＳドメインサービスが終了したとき、前記ＵＥは、ＬＴＥネットワークに復帰するようにリダイレクトされる必要がある。
【００８４】
サービングＭＳＣ／ＶＬＲから２Ｇ／３Ｇ基地局へ送信されたＵＥアイデンティティは、Ｓ−ＴＭＳＩ、ＩＭＳＩ、又はＵＥのテンポラリ・モバイル・サブスクライバ・アイデンティティ(TMSI:Temporary Mobile Subscriber Identity)であってよいが、本発明の実施形態において限定されない。サービングＭＳＣ／ＶＬＲから２Ｇ／３Ｇ基地局へ送信された、登録されたＬＴＥ ＰＬＭＮのアイデンティティ情報は、登録されたＬＴＥ ＰＬＭＮアイデンティティ(ID:identity)であり得、登録されたＬＴＥ ＰＬＭＮ ＩＤを含んでいるグローバル・ユニーク・テンポラリ・アイデンティティ(GUTI:Globally Unique Temporary Identity)であってもよく、登録されたＬＴＥ ＰＬＭＮ ＩＤを含んでいるトラッキング・エリア・アイデンティティ(TAI:Tracking Area Identity)であってもよく、登録されたＬＴＥ ＰＬＭＮ ＩＤを含んでいるＥ−ＵＴＲＡＮ・セル・グローバル・アイデンティティ(ECGI:E-UTRAN Cell Global Identity)であってもよい。前記実施形態においては、登録されたＬＴＥ ＰＬＭＮのアイデンティティ情報がＰＬＭＮ ＩＤ１である単なる一例であり、他の形式の前記登録されたＬＴＥ ＰＬＭＮのアイデンティティ情報は、本発明の実施形態において重複するため説明しない。
【００８５】
２０６：前記２Ｇ／３Ｇ基地局は、前記ＵＥのアイデンティティ及び前記ＰＬＭＮ ＩＤ１を、ＬＴＥアクセスサービスを提供する近接した基地局に送信し、ＬＴＥアクセスサービスを提供する前記近接した基地局は、前記ＵＥがＣＳＦＢを開始したときに、前記ＵＥのためにＬＴＥアクセスサービスを提供する、前記ＬＴＥ基地局を含む。
【００８６】
例えば、前記２Ｇ／３Ｇ基地局は、前記取得された前記ＵＥのアイデンティティ及び前記登録されたＬＴＥ ＰＬＭＮ ＩＤ１を、無線アクセスネットワーク情報管理(RIM:RAN Information Management)のフローを通じてＬＴＥアクセスサービスを提供する前記近接した基地局に送信することができ、前記ＬＴＥ基地局は、前記受信された前記ＵＥのアイデンティティ及びＰＬＭＮ ＩＤ１を格納する。前記２Ｇ／３Ｇ基地局は、ネットワーク管理システムの設定を通じてＬＴＥアクセスサービスを提供する前記近接した基地局を取得し得、自動近接発見フローを通じてＬＴＥアクセスサービスを提供する前記近接した基地局も発見し得る。
【００８７】
さらに、ＬＴＥ基地局ストレージリソースを過剰に占有しないように、前記ＵＥのアイデンティティ及び前記ＵＥにより登録されたＬＴＥ ＰＬＭＮの前記アイデンティティ情報は、いつまでも格納されているわけではない。あるいは、ＬＴＥ基地局が、ＵＥがＣＳＦＢフローを開始したことを取得した場合、タイマーをスタートさせてもよい。前記タイマーが満了したとき、前記ＵＥの前記格納されたアイデンティティ及び前記ＵＥにより登録されたＬＴＥ ＰＬＭＮ ＩＤ１は削除され、前記タイマーのタイミングは、ストレージ空間のサイズや、ＬＴＥ基地局のサービスのビジー度合、ＵＥの優先度等の要素に従って予めセットされてよいが、本発明において限定されない。又は、前記ＵＥの前記格納されたアイデンティティ及び前記ＵＥにより登録されたＬＴＥ ＰＬＭＮ ＩＤ１は、他のトリガ条件を適用することにより削除されてもよく、例えば、ＵＥの格納されたアイデンティティ及びＵＥにより登録されたＬＴＥ ＰＬＭＮのアイデンティティ情報が一定の容量に到達する、又は一定の数量に到達するとき、最も早くに格納されたＵＥのアイデンティティ及びＵＥにより登録されたＬＴＥ ＰＬＭＮのアイデンティティ情報は、格納されているＵＥのアイデンティティ及びＬＴＥ ＰＬＭＮのアイデンティティ情報の容量又は数量が予めセットされた容量又は数量より少なく又は以下になるまで削除される。
【００８８】
２０７：前記２Ｇ／３Ｇ基地局は、ＣＳＦＢ指示に従って、ＬＴＥ周波数帯域(Frequency)情報を選択する。
【００８９】
第１の接続開放メッセージが受信される場合、２Ｇ／３Ｇ基地局が前記ＵＥのためにＬＴＥ周波数帯域を選択することは、従来技術に属している。判別されたＬＴＥ周波数帯域情報は、登録されたＬＴＥ ＰＬＭＮによりサポートされるＬＴＥ周波数帯域情報であってよく、又は、前記ＰＬＭＮ２に対応するＬＴＥ周波数帯域情報であってもよく、又は、他のＰＬＭＮによりサポートされるＬＴＥ周波数帯域情報であってもよいが、本発明の実施形態において詳細には紹介していない。
【００９０】
２０８：前記２Ｇ／３Ｇ基地局は、第２の接続開放メッセージを前記ＵＥに送信する。前記第２の接続開放メッセージは、ステップ２０７において選択された前記ＬＴＥ周波数情報を具備する。
【００９１】
本出願の明細書に関係する第１の接続開放メッセージ及び第２の接続開放メッセージは、無線リソース(RR)接続開放(release)メッセージ、又は無線リソース制御(RRC:Radio Resource Control)接続開放メッセージ、又は無線リソースの開放を補助するために使用される他のメッセージであり得る。２Ｇ／３Ｇ基地局がＢＳＳならば、前記ＢＳＳは、ＲＲ接続開放メッセージをＵＥに送信する。ＲＲ接続開放メッセージは、前記ＵＥに指示し、前記ＵＥがＲＲ接続を開放するときに、リダイレクションを実行しＬＴＥネットワークに復帰するために使用される。そしてＬＴＥ周波数帯域情報は、前記ＵＥに指示し、リダイレクションを実行し、ＬＴＥ周波数帯域に対応するＬＴＥネットワークに復帰するための前記リダイレクション指示のコンテンツとされる。前記基地局がＲＮＳならば、前記ＲＮＳは、ＲＲＣ接続開放メッセージを前記ＵＥに送信する。前記ＲＲＣ接続開放メッセージは、前記ＵＥがＲＲＣ接続を開放するときに、前記ＵＥに指示し、リダイレクションを実行し、ＬＴＥネットワークに復帰するためのリダイレクション指示を含む。そして、ＬＴＥ周波数帯域情報は、前記ＵＥに指示し、リダイレクションを実行し、ＬＴＥ周波数帯域に対応するＬＴＥネットワークに復帰するための前記リダイレクション指示のコンテンツとされる。
【００９２】
２０９：前記ＵＥは、駐在するために前記ＬＴＥ周波数上で適切なセル(Suitable Cell)を探索する。
【００９３】
現在のＲＲ／ＲＲＣ接続が開放されるとき、ＵＥは、リダイレクション指示において割り当てられたＬＴＥ周波数情報に従って、ＬＴＥ周波数帯域上で適切なセルを探索し、前記ＬＴＥ周波数帯域上で探索された前記適切なセルに駐在する。前記適切なセルは、前記ＵＥが駐在でき、通常のサービスを取得できるセルである。実際の応用においては、ＬＴＥ周波数帯域上で探索されたセルにおいて、ＵＥが通常のサービスを取得できないことも生じこともあり(例えば、緊急サービスのみが取得され得る)、すなわちそれは、不適切なセルである。この場合には、前記ＵＥは、適切なセルをすべての周波数帯域上で再び探索しよいが、本発明の実施形態においては考慮されておらず、また重複して説明もしない。  
【００９４】
このステップにおいて、ＵＥは、現在の２Ｇ／３Ｇ基地局の、ＬＴＥアクセスサービスを提供するとともに、以前に前記ＵＥがＣＳＦＢを開始したときのＬＴＥ基地局を含む、任意の近傍の基地局に入り得ることに留意しなければならない。説明の便宜のために、ＵＥがエントリする前にＣＳＦＢを開始するＬＴＥ基地局は、このステップにおいて一例とされ、以下のステップ２１０、２１１でも同様である。前記ＵＥがＬＴＥアクセスサービスを提供する他の近接した基地局に入ったならば、前記近接した基地局は、前記ＬＴＥ基地局により実行されるのと同様の動作を実行する。
【００９５】
２１０：前記ＵＥは、接続確立要求メッセージを前記ＬＴＥ基地局に送信し、前記接続確立要求メッセージは、前記ＵＥのアイデンティティを含む。
【００９６】
前記ＵＥのアイデンティティは、システム・アーキテクチャ・エボリューション(SAE:System Architecture Evolution)テンポラリ・モバイル・サブスクライバ・アイデンティティ(S-TMSI:SAE Temporary Mobile Subscriber Identity)、国際モバイル加入者識別番号(IMSI:International Mobile Subscriber Identity)、又はテンポラリ・モバイル・サブスクライバ・アイデンティティ(TMSI:Temporary Mobile Subscriber Identity)であり得るが、本発明の実施形態において限定されない。
【００９７】
することに留意しなければならない。このステップにおいて、前記ＵＥが、ＴＥアクセスサービスを提供する他の近接する基地局に入ったならば、前記ＵＥは、前記ＵＥのアイデンティティを含む前記接続確立要求メッセージを前記基地局に送信する。
【００９８】
２１１：前記ＬＴＥ基地局は、前記接続確立要求メッセージに含まれている前記ＵＥのアイデンティティと、前記格納されている前記ＵＥのアイデンティティの照合により、前記ＵＥにより登録された前記ＰＬＭＮ ＩＤ１を判別し、前記ＵＥのためのＬＴＥアクセスサービスを提供するために、前記ＵＥにより登録された前記ＰＬＭＮ ＩＤ１に対応するＰＬＭＮを選択する。
【００９９】
前記ＬＴＥネットワークに復帰し、ＰＳサービスを実行するために、前記ＵＥは、前記ＰＬＭＮ１において接続確立フローを開始し、前記ＰＬＭＮ１において保留されているデータサービスを回復しうる、ジョイント・トラッキング・エリア更新(TAU:Tracking Area Updating)フローを開始する。前記ステップ２０６を通じて、前記ＬＴＥ基地局は、前記ＵＥのアイデンティティ及び前記ＵＥのアイデンティティに対応する、前記ＵＥにより登録された前記ＬＴＥ ＰＬＭＮの前記アイデンティティ情報を既に取得し、格納しており、結果として、前記ＵＥがＣＳＦＢを開始したときに登録された前記ＰＬＭＮ ＩＤ１は、このステップにおいてクエリされ得る。
【０１００】
具体的には、前記ＵＥにより送信された接続確立要求メッセージは、前記ＵＥにより選択される、前記ＬＴＥ ＰＬＭＮの前記アイデンティティ情報もまた含んでよい。前記ＬＴＥ基地局は、前記ＵＥのアイデンティティと、格納されているＵＥのアイデンティティとを照合でき、比較することにより、前記ＵＥにより選択された前記ＬＴＥ ＰＬＭＮの前記アイデンティティ情報が、前記格納されている、前記ＵＥにより登録されたＬＴＥ ＰＬＭＮのアイデンティティ情報と同じであるかどうかを判別する。前記２つが異なっているならば、前記登録されたＬＴＥ ＰＬＭＮの前記アイデンティティ情報は、前記ＬＴＥ基地局により、前記接続確立要求メッセージにおける前記ＬＴＥ ＰＬＭＮの前記アイデンティティ情報に置き換えられ得、それを前記ＬＴＥ基地局に接続されている前記ＭＭＥに送信し、ＴＡＵフローを完了する。
【０１０１】
ＵＥが、ＬＴＥネットワークへの接続確立要求メッセージを開始したとき、ＬＴＥ基地局が、ＵＥにより送信された前記ＵＥのアイデンティティと、格納された前記ＵＥのアイデンティティを照合することにより、前記ＵＥがＣＳＦＢを開始したときに前記ＵＥにより登録されたＬＴＥ ＰＬＭＮのアイデンティティ情報を判別し選択するステップを具備した本発明の実施形態により提供されるＬＴＥネットワークを選択するための方法は、前記ＵＥが前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１０２】
ＬＴＥネットワークを選択するための他の方法が、本発明の実施形態にいて提供される。図３に示されているように、前記方法は以下のステップを具備する。
【０１０３】
３０１：ＵＥは、複合登録を開始し、ＬＴＥネットワークをサポートするＰＬＭＮ１と、２Ｇ／３ＧネットワークをサポートするＰＬＭＮ２に正常に登録される。
【０１０４】
３０２：前記ＵＥは、前記ＰＬＭＮ１におけるＣＳＦＢを開始し、前記ＰＬＭＮ２の２Ｇ／３Ｇネットワークに正常にフォールバックする。
【０１０５】
図２に召されている実施形態と同様に、ステップ３０１−３０２は、従来技術に属しており、本発明の実施形態において重複して説明しない。
【０１０６】
３０３：ＬＴＥ基地局は、前記ＵＥのアイデンティティ及び前記ＵＥにより登録されたＬＴＥ ＰＬＭＮ ＩＤ１を格納する。
【０１０７】
前記ＬＴＥ基地局は、前記ＵＥがＣＳＦＢサービスの後にＬＴＥネットワーク選択を実行するとき、前記のＵＥのためにＣＳＦＢが開始されたときに登録された前記ＬＴＥネットワークを選択するために、前記ＵＥのアイデンティティ及び前記ＵＥにより登録されたＬＴＥ ＰＬＭＮの前記アイデンティティ情報を格納する。ＬＴＥ基地局のストレージリソースを過剰に占有しないように、前記ＵＥのアイデンティティ及び前記ＵＥにより登録されたＬＴＥ ＰＬＭＮの前記アイデンティティ情報は、いつまでも格納されているわけではない。あるいは、ＬＴＥ基地局が、ＵＥがＣＳＦＢフローを開始したことを取得した場合、タイマーをスタートさせてもよい。前記タイマーが満了したとき、前記ＵＥの前記格納されたアイデンティティ及び前記ＵＥにより登録されたＬＴＥ ＰＬＭＮ ＩＤ１は削除され、前記タイマーのタイミングは、ストレージ空間のサイズや、ＬＴＥ基地局のサービスのビジー度合、ＵＥの優先度等の要素に従って予めセットされてよいが、本発明において限定されない。又は、前記ＵＥの前記格納されたアイデンティティ及び前記ＵＥにより登録されたＬＴＥ ＰＬＭＮ ＩＤ１は、他のトリガ条件を適用することにより削除されてもよく、例えば、ＵＥの格納されたアイデンティティ及びＵＥにより登録されたＬＴＥ ＰＬＭＮのアイデンティティ情報が一定の容量に到達する、又は一定の数量に到達するとき、最も早くに格納されたＵＥのアイデンティティ及びＵＥにより登録されたＬＴＥ ＰＬＭＮのアイデンティティ情報は、格納されているＵＥのアイデンティティ及びＬＴＥ ＰＬＭＮのアイデンティティ情報の容量又は数量が予めセットされた容量又は数量より少なく又は以下になるまで削除される。
【０１０８】
３０４：前記ＵＥの前記ＣＳＦＢサービスが終了したとき、サービングＭＳＣ／ＶＬＲは、第１の接続開放メッセージを前記２Ｇ／３Ｇ基地局に送信し、前記第１の接続開放メッセージは、ＣＳＦＢ指示を含んでいる。
【０１０９】
前記ＣＳＦＢ指示は、現在終了したＣＳドメインサービスがＣＳＦＢによるものであることを前記ＵＥに示すために使用され、前記ＣＳドメインサービスが終了したとき、前記ＵＥは、ＬＴＥネットワークに復帰する必要がある。
【０１１０】
３０５：前記２Ｇ／３Ｇ基地局は、第２の接続開放メッセージを前記ＵＥに送信し、前記第２の接続開放メッセージは、ＬＴＥ周波数帯域情報を含んでいる。
【０１１１】
３０６：前記ＵＥにより、駐在のためのＬＴＥ周波数帯域上で前記ＬＴＥ基地局の適切なセル(Suitable Cell)が探索される。
【０１１２】
３０７：前記ＵＥは、接続確立要求メッセージを前記ＬＴＥ基地局に送信し、前記接続確立要求メッセージは、前記ＵＥのアイデンティティを含んでいる。
【０１１３】
前記実施形態において、ステップ３０４−３０７は従来技術に属しており、本発明の実施形態において重複して説明することはしない。
【０１１４】
３０８：前記ＬＴＥ基地局は、前記接続確立要求メッセージに含まれている前記ＵＥのアイデンティティと、前記ＵＥの前記格納されたアイデンティティを照合することにより、前記ＵＥにより登録された前記ＰＬＭＮ ＩＤ１を判別し、前記ＵＥのためのＬＴＥアクセスサービスを提供するために、前記ＵＥにより登録された前記ＰＬＭＮ ＩＤ１に対応するＰＬＭＮを選択する。
【０１１５】
前記ＬＴＥ基地局は、ステップ３０３において格納された前記ＵＥのアイデンティティ及び前記ＵＥにより登録されたＬＴＥ ＰＬＭＮのアイデンティティ情報と、前記接続確立要求メッセージに含まれている前記ＵＥのアイデンティティとに従って、前記登録されたＰＬＭＮ ＩＤ１に対応するＰＬＭＮを前記ＵＥのために選択することができ、前記ＵＥのためのＬＴＥアクセスサービスを提供する。ステップ３０８における具体的な実施方法は、図２に対応する実施形態のステップ２１１における実施方法と類似している。ステップ２１１において対応する内容が参照しうるので、ここでは、本発明の実施形態において重複して説明しない。
【０１１６】
本発明実施形態において提供されるＬＴＥネットワークを選択するための方法は、ＵＥのＣＳＦＢサービスが終了すると、前記ＵＥがＬＴＥネットワークへの接続確立要求メッセージを開始するように、２Ｇ／３Ｇ基地局は、前記ＵＥのアイデンティティ及び前記ＵＥにより登録されたＬＴＥ ＰＬＭＮのアイデンティティ情報をＬＴＥ基地局に送信し、前記ＬＴＥ基地局は、前記ＵＥにより送信された前記ＵＥのアイデンティティに従って、前記ＵＥがＣＳＦＢを開始したときに前記ＵＥにより登録されたＬＴＥ ＰＬＭＮの前記アイデンティティ情報を判別しうることを具備し、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１１７】
ＬＴＥネットワークを選択するための他の方法が、本発明の実施形態において提供される。ＵＥは、ＣＳＦＢが開始されたときに登録されたＬＴＥ ＰＬＭＮのアイデンティティ情報を格納し、前記格納された前記ＬＴＥ ＰＬＭＮのアイデンティティ情報を使用して等価ＰＬＭＮリストを更新する。図４に示されているように、前記方法は、以下のステップを具備する。
【０１１８】
４０１：ＵＥは、ＬＴＥ ＰＬＭＮにおいて、複合登録を実行する。
【０１１９】
前記ＵＥは、２Ｇ／３Ｇネットワーク及びＬＴＥネットワークに同時に登録される。データサービスは、前記ＬＴＥネットワークにおいて実行され得る。ＣＳドメインサービスを実行する必要がある場合、ＣＳＦＢフローは、前記２Ｇ／３Ｇネットワークへのフォールバックを開始し得る。
【０１２０】
４０２：前記ＵＥは、２Ｇ／３Ｇネットワークへフォールバックするために、ＣＳＦＢサービスを開始する。
【０１２１】
前記ＣＳＦＢサービスが開始され、前記２Ｇ／３Ｇネットワークにフォールバックする場合、前記ＵＥは、ステップ４０１において、前記登録されたＬＴＥ ＰＬＭＮのアイデンティティ情報を格納し得る。前記ステップ４０１の登録フローにおいて、前記ＵＥが前記登録されたＬＴＥ ＰＬＭＮの前記アイデンティティ情報が既に保存しているならば、例えば、登録されたＬＴＥ ＰＬＭＮ ＩＤを含んでいるＧＵＴＩ、又は登録されたＬＴＥ ＰＬＭＮ ＩＤを含んでいるＴＡＩが既に格納されているならば、前記ＵＥは、このステップにおいて、前記登録されたＬＴＥ ＰＬＭＮの前記アイデンティティ情報を繰り返して保存する必要はないことに留意しなければならない。このような方法で、以下のステップ４０３と４０４における前記ＬＴＥ ＰＬＭＮの前記アイデンティティ情報は、ステップ４０１において格納された前記ＬＴＥ ＰＬＭＮのアイデンティティ情報である。
【０１２２】
前記登録されたＬＴＥ ＰＬＭＮの前記格納されたアイデンティティ情報は、登録されたＬＴＥ ＰＬＭＮアイデンティティ(ID:identity)であってよく、登録されたＬＴＥ ＰＬＭＮ ＩＤを含んでいるトラッキング・エリア・アイデンティティ(TAI:Tracking Area Identity)であってもよく、登録されたＬＴＥ ＰＬＭＮ ＩＤを含んでいるグローバル・ユニーク・テンポラリ・アイデンティティ(GUTI:Globally Unique Temporary Identity)であってもよい。
【０１２３】
あるいは、前記ＵＥは、ステップ４０１において前記ＬＴＥ ＰＬＭＮへの複合登録が開始されたときに選択されたＬＴＥ周波数帯域情報を格納してもよい。前記ＬＴＥ周波数帯域情報に対応するＬＴＥ周波数帯域は、このステップにおいて、前記ＣＳＦＢが開始されたときに選択されたＬＴＥ周波数帯域である。ステップ４０１において登録されたＬＴＥ ＰＬＭＮは、いくつかのＬＴＥ周波数帯域をサポートし得ることに留意しなければならない。
【０１２４】
４０３：前記ＵＥは、前記２Ｇ／３Ｇネットワークにおける等価ＰＬＭＮリストを受信し、前記ＬＴＥ ＰＬＭＮの前記アイデンティティ情報を前記等価ＰＬＭＮリストに付加する。
【０１２５】
ＣＳＦＢフローが開始された場合に、前記ＵＥが前記２Ｇ／３Ｇネットワークの新たなロケーションエリア(LA:Location Area)にフォールバックするならば、前記ＵＥは、前記サービングＭＳＣ／ＶＬＲのＣＳドメインへのロケーションエリア更新(LAU:Location Area Update)フローを開始する。ロケーション更新フローにおいて、サービングＭＳＣ／ＶＬＲは、アイドル状態のＵＥがセル選択／再選択及びＰＬＭＮ選択を実行するように、等価ＰＬＭＮリストをＵＥに送信し得る。
【０１２６】
あるいは、ＣＳＦＢフローが開始されたときに、前記ＵＥが２Ｇ／３Ｇネットワークの１つの新たなルーティングエリア(RA:Routing Area)にフォールバックするならば、前記ＵＥは、前記ＳＧＳＮのＰＳドメインへのルーティングエリア更新フローを開始する。前記ルーティングエリア更新フローにおいて、前記ＳＧＳＮは、アイドル状態のＵＥがセル選択／再選択及びＰＬＭＮ選択を実行するように、等価ＰＬＭＮリストをＵＥに送信し得る。
【０１２７】
さらに、ＵＥが、ＣＳドメインのロケーション更新フローと、ＰＳドメインのルーティングエリア更新フローとを同時に開始したならば、前記サービングＭＳＣ／ＶＬＲと、前記ＳＧＳＮの双方は、同じ等価ＰＬＭＮリストを前記ＵＥに送信し得る。
【０１２８】
２Ｇ／３Ｇネットワークにおける等価ＰＬＭＮリストが受信される場合、ＵＥは、以前に格納された等価ＰＬＭＮリストと置き換えるために、受信された等価ＰＬＭＮリストを格納する。さらに、前記ＵＥは、ステップ４０２において格納された前記ＬＴＥ ＰＬＭＮのアイデンティティ情報を前記等価ＰＬＭＮリストに付加する。前記等価ＰＬＭＮリストに前記ＬＴＥ ＰＬＭＮの前記アイデンティティ情報を付加することは、前記ＰＬＭＮ ＩＤを前記等価ＰＬＭＮリストに付加することを通常意味し、例えば、ＧＵＴＩに含まれている前記ＰＬＭＮ ＩＤが、前記等価ＰＬＭＮリストに付加されることに留意しなければならない。前記ＵＥが２Ｇ／３Ｇネットワークにフォールバックする場合に、ＵＥが等価ＰＬＭＮリストを受信しないならば、前記格納された等価ＰＬＭＮリストは、ステップ４０２において格納された前記ＬＴＥ ＰＬＭＮのアイデンティティ情報をすでに含んでいるため、前記ＵＥは、前記ステップ４０２において格納された前記ＬＴＥ ＰＬＭＮのアイデンティティ情報を前記格納された等価ＰＬＭＮリストに付加する必要がないことに留意しなければならない。
【０１２９】
４０４：前記ＣＳＦＢサービスが終了すると、前記等価ＰＬＭＮリストに従ってＰＬＭＮ選択が実行される。
【０１３０】
前記格納されたＬＴＥ ＰＬＭＮのアイデンティティ情報は、ステップ４０３を通じて前記等価ＰＬＭＮリストにすでに付加されている。駐在するのに適切なセル(適切なセル)は、ＰＬＭＮ選択が実行されるときに、更新された等価ＰＬＭＮリストに従って選択されうる。すなわち、駐在するのに適切なセルは、前記ＬＴＥ ＰＬＭＮの前記アイデンティティ情報を含んでいる前記等価ＰＬＭＮリストに従って選択され、ＬＴＥ ＰＬＭＮは、前記選択された適切なセルの利用可能なＰＬＭＮから選択されれる。さらに、そのＰＬＭＮ選択は、前記等価ＰＬＭＮリストに従って実行され、前記ＬＴＥ ＰＬＭＮの前記アイデンティティ情報に対応するＬＴＥ ＰＬＭＮは、前記等価ＰＬＭＮリストに従って優先的に選択されることを含みうる。すなわち、前記格納されたＬＴＥ ＰＬＭＮのアイデンティティ情報に対応するＰＬＭＮは、前記選択された適切なセルのすべての利用可能なＰＬＭＮから優先的に選択される。さらに、ＬＴＥ ＰＬＭＮを優先的に選択することは、前記等価ＰＬＭＮリストに従って、駐在するのに適切なセル(適切なセル)がＬＴＥ周波数帯域情報に対応する周波数帯域上で選択され、前記格納されたＬＴＥ ＰＬＭＮのアイデンティティ情報に対応するＰＬＭＮが前記適切なセルの利用可能なＰＬＭＮから優先的に選択されることを含みうる。
【０１３１】
あるいは、前記ＬＴＥ周波数情報は、前記ＵＥが、前記ＬＴＥ ＰＬＭＮへの複合登録を開始したときに選択されたＬＴＥ周波数帯域の情報でありうる。前記ＵＥが前記ＣＳＦＢサービスを開始し、２Ｇ／３Ｇネットワークにフォールバックする時に、前記ＵＥは、前記ＬＴＥ ＰＬＭＮへの前記複合登録が開始されたときに選択された前記ＬＴＥ周波数情報も格納してよい。このような方法で、前記ＣＳＦＢサービスの後にＬＴＥへ復帰することが必要とされる場合、前記等価ＰＬＭＮリストに従って、前記ＬＴＥ周波数帯域情報に対応する周波数帯域上で、駐在するのに適切なセルが選択され得、前記格納された前記ＬＴＥ ＰＬＭＮのアイデンティティ情報に対応するＰＬＭＮが、前記適切なセルの利用可能なＰＬＭＮから優先的に選択される。
【０１３２】
あるいは、前記ＬＴＥ周波数帯域情報は、前記ＵＥにより２Ｇ／３Ｇネットワークから受信されうる。ＵＥは、前記２Ｇ／３Ｇネットワークにおいて、２Ｇ／３Ｇ基地局により送信されたＬＴＥ周波数帯域情報を受信する。このような方法で、ＣＳＦＢサービスの後に、ＬＴＥへ復帰する必要がある場合、前記等価ＰＬＭＮリストに従って、前記ＬＴＥ周波数情報に対応する前記周波数帯域上で駐在するのに適切なセル(適切なセル)が選択されることができ、前記格納されたＬＴＥ ＰＬＭＮのアイデンティティ情報に対応するＰＬＭＮが前記適切なセルの利用可能なＰＬＭＮから優先的に選択される。
【０１３３】
具体的には、２Ｇ／３Ｇ基地局は、以下の実装方法のいずれかにおいて前記ＬＴＥ周波数帯域情報を選択し得る。
【０１３４】
実施の一代替方法において、２Ｇ／３Ｇ基地局は、サービングＭＳＣ／ＶＬＲにより送信された接続開放メッセージを受信し、前記接続開放メッセージは、ＵＥがＣＳＦＢサービスを開始したときに登録された前記ＬＴＥ ＰＬＭＮの前記アイデンティティ情報、すなわち、ステップ４０１において前記ＵＥにより登録されたＬＴＥ ＰＬＭＮの前記アイデンティティ情報を含んでいる。その後、前記２Ｇ／３Ｇ基地局は、前記ＬＴＥ ＰＬＭＮの前記アイデンティティ情報に従って、ＬＴＥ周波数帯域情報を選択し得る。２Ｇ／３Ｇ基地局は、前記ＬＴＥ ＰＬＭＮの前記アイデンティティ情報に従って、前記ＬＴＥ周波数帯域情報を選択し、それを参照して、前記２Ｇ／３Ｇ基地局は、前記ＬＴＥ ＰＬＭＮの前記アイデンティティ情報を考慮する一つの要素とすることによりＬＴＥ周波数帯域情報を選択してもよく、前記２Ｇ／３Ｇ基地局は、他の要素を考慮することにより前記ＬＴＥ周波数情報を選択することもできることに留意しなければならないが、この実施形態において限定しない。
【０１３５】
実施の他の代替方法において、サービングＭＳＣ／ＶＬＲは、前記ＵＥにより登録されたＬＴＥ ＰＬＭＮのアイデンティティ情報を２Ｇ／３Ｇ基地局に送信する必要はない。すなわち、ネットワーク側の各２Ｇ／３Ｇ基地局、前記サービングＭＳＣ／ＶＬＲなどは、既存の接続開放フローを採用する。現時点では、前記２Ｇ／３Ｇ基地局が、前記サービングＭＳＣ／ＶＬＲから受信されたＣＳＦＢ指示に従って、ＬＴＥ周波数帯域(Frequency)情報を選択し得る。前記選択されたＬＴＥ周波数帯域情報は、ＵＥのためのＣＳＦＢサービスを提供するとともに、前記サービングＰＬＭＮによりサポートされる、ＬＴＥ周波数帯域を通知でき、また、他のＬＴＥ周波数帯域も通知し得る。
【０１３６】
さらに、２Ｇ／３Ｇ基地局は、以下の実装の方法のいずれかで、選択されたＬＴＥ周波数帯域情報をＵＥに送信し得る。
【０１３７】
実施の一代替方法において、２Ｇ／３Ｇ基地局は、接続開放メッセージ又はチャネル開放メッセージに含まれるようにすることで、選択されたＬＴＥ周波数帯域情報をＵＥに送信し得る。具体的には、前記２Ｇ／３Ｇ基地局が２ＧネットワークにおけるＢＳＳであるならば、前記選択されたＬＴＥ周波数帯域情報は、チャネル開放(Channel Release)メッセージに含まれるようにすることで、ＵＥに送信され、前記２Ｇ／３Ｇ基地局が３Ｇネットワークにおける無線ネットワークサブシステム(RNS)ならば、前記選択されたＬＴＥ周波数情報は、ＲＲＣ接続開放メッセージに含まれるようにすることで、ＵＥに送信される。接続開放メッセージ又は、チャネル開放メッセージが受信されると、ＵＥは、アイドル状態に入る。
【０１３８】
実施の他の代替方法において、２Ｇ／３Ｇ基地局は、選択されたＬＴＥ周波数帯域情報を優先度情報に含まれるようにすることができる。その後、前記２Ｇ／３Ｇ基地局が２Ｇネットワークの基地局サブシステム(BSS)であるならば、前記２Ｇ／３Ｇ基地局は、チャネル開放メッセージに含まれるようにすることで、前記優先度情報を前記ＵＥに送信し、２Ｇ／３Ｇ基地局が３Ｇネットワークにおける無線ネットワークサブシステム(RNS)であるならば、前記２Ｇ／３Ｇ基地局は、モビリティ情報(Mobility Information)メッセージに含まれるようにすることで、前記優先度情報を前記ＵＥに送信する。
【０１３９】
本発明の実施形態において提供されるＬＴＥネットワークを選択するための方法は、ＵＥがＣＳＦＢサービスが開始されたときに登録されたＬＴＥ ＰＬＭＮのアイデンティティ情報を等価ＰＬＭＮリストに付加するステップと、更新された等価ＰＬＭＮリストに従って、前記ＬＴＥ ＰＬＭＮを選択し、前記ＣＳＦＢサービスが終了した時に、前記ＬＴＥネットワークに復帰するステップと、を具備し、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１４０】
本発明の実施形態において提供されるＬＴＥネットワークを選択するための他の方法は、ＵＥは、等価ＰＬＭＮリストを更新する必要がない。図５に示されているように、前記方法は、以下のステップを具備する。
【０１４１】
５０１：ＵＥは、ＬＴＥ ＰＬＭＮにおいて、複合登録を実行する。
【０１４２】
前記ＵＥは、２Ｇ／３Ｇネットワークと、ＬＴＥネットワークとに、同時に登録される。データサービスは、前記ＬＴＥネットワークにおいて実行され得る。ＣＳドメインサービスが実行される必要がある場合、ＣＳＦＢフローは、前記２Ｇ／３Ｇネットワークにフォールバックするために開始され得る。
【０１４３】
５０２：前記ＵＥは、２Ｇ／３Ｇネットワークにフォールバックするために、ＣＳＦＢサービスを開始し、ＬＴＥ周波数帯域情報を格納する。前記ＬＴＥ周波数帯域情報は、前記ＵＥが、前記ＬＴＥ ＰＬＭＮへ複合登録を開始した時に選択されたＬＴＥ周波数帯域情報である。
【０１４４】
さらに、前記ＵＥは、前記ＣＳＦＢサービスが開始されたときに登録された前記ＬＴＥ ＰＬＭＮのアイデンティティ情報を格納でき、前記格納された前記ＬＴＥ ＰＬＭＮのアイデンティティ情報は、登録されたＬＴＥ ＰＬＭＮアイデンティティ(ID:identity)、登録されたＬＴＥ ＰＬＭＮ ＩＤを含んでいるトラッキング・エリア・アイデンティティ(TAI:Tracking Area Identity)又は登録されたＬＴＥ ＰＬＭＮ ＩＤを含んでいるグローバル・ユニーク・テンポラリ・アイデンティティ(GUTI:Globally Unique Temporary Identity)であってよい。
【０１４５】
５０３：前記ＣＳＦＢサービスが終了すると、前記ＵＥは、前記ＬＴＥ周波数帯域情報に対応する周波数帯域上でＰＬＭＮ選択を実行する。
【０１４６】
周波数帯域上のＰＬＭＮ選択の実行は、前記ＬＴＥ周波数情報に対応する周波数帯域上で、駐在するための適切なセル(適切なセル)を選択するステップと、前記格納されたＬＴＥ ＰＬＭＮのアイデンティティ情報に対応するＬＴＥ ＰＬＭＮを、前記適切なセルの利用可能なＰＬＭＮから、優先的に選択するステップと、を含む。
【０１４７】
本発明の実施形態において提供されるＬＴＥネットワークを選択するための方法は、前記ＵＥが複合登録が開始されたときに選択されたＬＴＥ周波数帯域情報上でＰＬＭＮ選択を実行するステップを具備し、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１４８】
ＬＴＥネットワークを選択するための他の方法が本発明の実施形態において提供される。図６に示されているように、前記方法は、以下のステップを具備する。
【０１４９】
６０１：２Ｇ／３Ｇ基地局は、サービングＭＳＣ／ＶＬＲにより送信された接続開放メッセージを受信する。前記接続開放メッセージは、ＵＥがＣＳＦＢサービスを開始したときに登録されたＬＴＥ ＰＬＭＮのアイデンティティ情報を含み、前記２Ｇ／３Ｇ基地局は、前記ＣＳＦＢサービスのためのサービスを提供する基地局である。
【０１５０】
前記２Ｇ／３Ｇ基地局は、前記ＵＥのＣＳサービスのためのサービスを提供する基地局であり、前記ＵＥは、前記２Ｇ／３Ｇ基地局のサービングセルにおいてＣＳＦＢサービスを実行する。例えば、前記２Ｇ／３Ｇ基地局は、ＢＳＳ／ＲＮＳであってよい。この実施形態において、前記ＵＥによりトリガされたＣＳＦＢサービスが終了する場合、サービングＭＳＣ／ＶＬＲは、ＣＳＦＢ指示、前記ＵＥのアイデンティティ、及び前記ＵＥがＣＳＦＢを開始したときに登録されたＬＴＥ ＰＬＭＮのアイデンティティ情報を前記２Ｇ／３Ｇ基地局に送信し得る。このような方法で、前記ＵＥの前記ＣＳＦＢサービスが終了したとき、前記ＣＳＦＢが以前開始されたときに登録されたＬＴＥネットワークに復帰し得る。
【０１５１】
前記サービングＭＳＣ／ＶＬＲが前記ＵＥの登録されたＭＳＣ／ＶＬＲであるならば、前記サービングＭＳＣ／ＶＬＲは、前記ＵＥの登録情報から、前記ＵＥのアイデンティティ及び前記ＵＥにより登録されたＬＴＥ ＰＬＭＮの前記アイデンティティ情報を取得することに留意しなければならない。前記サービングＭＳＣ／ＶＬＲが前記ＵＥの登録されたＭＳＣ／ＶＬＲでないならば、前記サービングＭＳＣ／ＶＬＲは、前記ＵＥの登録されたＭＳＣ／ＶＬＲから、前記ＵＥのアイデンティティ及び前記ＵＥにより登録されたＬＴＥ ＰＬＭＮの前記アイデンティティ情報を取得する。
【０１５２】
前記ＵＥのアイデンティティは、システム・アーキテクチャ・エボリューション(SAE:System Architecture Evolution)テンポラリ・モバイル・サブスクライバ・アイデンティティ(S-TMSI:SAE Temporary Mobile Subscriber Identity)、国際モバイル加入者識別番号 (IMSI:International Mobile Subscriber Identity)、又はテンポラリ・モバイル・サブスクライバ・アイデンティティ(TMSI:Temporary Mobile Subscriber Identity)でありうるが、本発明の実施形態において限定されない。前記ＵＥが前記ＣＳＦＢサービスを開始した時に登録されたＬＴＥ ＰＬＭＮのアイデンティティ情報は、登録されたＬＴＥ ＰＬＭＮアイデンティティ(ID:identity)であってよく、登録されたＬＴＥ ＰＬＭＮ ＩＤを含んでいるグローバル・ユニーク・テンポラリ・アイデンティティ(GUTI:Globally Unique Temporary Identity)であってもよく、登録されたＬＴＥ ＰＬＭＮ ＩＤを含んでいるトラッキング・エリア・アイデンティティ(TAI:Tracking Area Identity)であってもよく、登録されたＬＴＥ ＰＬＭＮ ＩＤを含んでいるＥ−ＵＴＲＡＮ・セル・グローバル・アイデンティティ(ECGI:E-UTRAN Cell Global Identity)であってもよいが、本発明の実施形態において限定されない。
【０１５３】
６０２：前記２Ｇ／３Ｇ基地局は、前記ＬＴＥ ＰＬＭＮの前記アイデンティティ情報に従って、ターゲット周波数帯域情報を選択し、前記ターゲット周波数帯域情報を前記ＵＥに送信する。前記ターゲット周波数帯域情報は、前記ＵＥに、駐在のための前記ターゲット周波数帯域情報に対応する周波数帯域上のセルを選択するように指示するために使用される。
【０１５４】
前記２Ｇ／３Ｇ基地局は、前記ＬＴＥ ＰＬＭＮの前記アイデンティティ情報に従って、ターゲット周波数帯域情報を選択し、それを参照して、前記２Ｇ／３Ｇ基地局は前記ＬＴＥ ＰＬＭＮの前記アイデンティティ情報を考慮する要素とすることにより前記ＬＴＥ周波数帯域情報を選択してもよく、他の要素を考慮することで、前記ＬＴＥ周波数情報を選択してもよいが、この実施形態において限定しない。
【０１５５】
さらに、前記ターゲット周波数情報を前記ＵＥに送信することは、前記２Ｇ／３Ｇ基地局が、以下の実施方法のいずれかにより前記選択されたターゲット周波数帯域情報を前記ＵＥに特に送信しうることを含む。
【０１５６】
実施の一代替方法において、２Ｇ／３Ｇ基地局は、接続開放メッセージ又はチャネル開放メッセージに含まれるようにすることで、選択されたターゲット周波数帯域情報をＵＥに送信し得る。具体的には、２Ｇ／３Ｇ基地局が、２ＧネットワークにおけるＢＳＳであるならば、前記選択されたターゲット周波数情報は、チャネル開放(Channel Release)メッセージに含まれるようにすることで、ＵＥに送信され、２Ｇ／３Ｇ基地局が３Ｇネットワークにおける無線ネットワークサブシステム(RNS)であるならば、前記選択されたターゲット周波数情報は、ＲＲＣ接続開放メッセージに含まれるようにすることで、ＵＥに送信される。ＵＥが接続開放メッセージ又はチャネル開放メッセージを受信すると、前記ＵＥは、アイドル状態に入る。
【０１５７】
実施の他の代替方法において、２Ｇ／３Ｇ基地局は、選択されたターゲット周波数帯域情報を優先度情報に含まれるようにすることができる。その後、前記２Ｇ／３Ｇ基地局が２ＧネットワークにおけるＢＳＳならば、前記２Ｇ／３Ｇ基地局は、前記チャネル開放(Channel Release)メッセージに含まれるようにすることで、前記優先度情報を前記ＵＥに送信し、２Ｇ／３Ｇ基地局が３Ｇネットワークにおける無線ネットワークサブシステム(RNS)ならば、前記２Ｇ／３Ｇ基地局は、モビリティ情報(Mobility Information)に含まれるようにすることで、優先度情報をＵＥに送信する。
【０１５８】
前記ＵＥのために、前記ＵＥは、等価ＰＬＭＮリストに従って、２Ｇ／３Ｇ基地局により選択されたターゲット周波数情報に対応するＬＴＥ周波数帯域上の駐在するための適切なセル (適切なセル)を選択し、前記適切なセルで利用可能なＰＬＭＮから、ＬＴＥ ＰＬＭＮのアイデンティティ情報に対応するＰＬＭＮを優先的に選択する。このような実施方法において、ＵＥが、ＬＴＥ ＰＬＭＮにおいて複合登録が開始されたときに選択され、格納されたＬＴＥ周波数帯域(Frequency)情報を有しているならば、前記ＵＥは、前記格納された等価ＰＬＭＮリストに従って、駐在するための、前記格納されたＬＴＥ周波数帯域情報に対応するＬＴＥ周波数帯域上の適切なセル(適切なセル)を優先的に選択でき、前記適切なセルの利用可能なＰＬＭＮから、前記格納されたＬＴＥ ＰＬＭＮのアイデンティティ情報に対応するＰＬＭＮを優先的に選択することに留意しなければならない。
【０１５９】
本発明の実施形態により提供されるＬＴＥネットワークを選択するための方法は、ＵＥのＣＳＦＢサービスが終了すると、２Ｇ／３Ｇ基地局は、ＬＴＥネットワークへの接続確立要求が開始されるとき、前記ＵＥが、前記ターゲット周波数情報に対応する周波数帯域上で駐在するためのＬＴＥセルを選択するように、ＵＥにより登録された前記ＬＴＥ ＰＬＭＮのアイデンティティ情報に従って、ターゲット周波数帯域情報を選択するステップと、それをＵＥに送信するステップと、を具備し、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１６０】
ＵＥが本発明の他の実施形態において提供される。図７に示されているように、前記ＵＥは、プロセッサ７２と受信器７１とを具備する。
【０１６１】
前記受信器７１は、前記ＵＥがＬＴＥ ＰＬＭＮにおいて複合登録を実行したときに、２Ｇ／３Ｇネットワークから等価ＰＬＭＮリストを受信し、ＣＳＦＢサービスを開始し、前記２Ｇ／３Ｇネットワークにフォールバックするために使用される。
【０１６２】
前記プロセッサ７２は、前記ＬＴＥ ＰＬＭＮのアイデンティティ情報を前記受信器７１により受信された前記等価ＰＬＭＮリストに付加し、前記等価ＰＬＭＮリストに従って、前記ＣＳＦＢサービスが終了した時に、ＰＬＭＮ選択を実行するために使用される。
【０１６３】
さらに、前記プロセッサ７２は、前記等価ＰＬＭＮリストに従って、優先的に前記ＬＴＥ ＰＬＭＮを選択するために使用される。
【０１６４】
あるいは、前記プロセッサ７２は、前記等価ＰＬＭＮリストに従って、ＬＴＥ周波数帯域情報に対応する周波数帯域上のセルを選択し、前記セルのための利用可能なＰＬＭＮから優先的に前記ＬＴＥ ＰＬＭＮを選択するために使用され、前記ＬＴＥ周波数帯域情報は、前記ＵＥが、前記ＬＴＥ ＰＬＭＮへの複合登録を開始したときに選択されたＬＴＥ周波数帯域の情報である。
【０１６５】
あるいは、前記プロセッサ７２は、前記等価ＰＬＭＮリストに従って、ＬＴＥ周波数帯域情報に対応する周波数帯域上のセルを選択し、前記セルのための利用可能なＰＬＭＮから優先的に前記ＬＴＥ ＰＬＭＮを選択するために使用され、前記ＬＴＥ周波数帯域情報は、前記ＵＥにより前記２Ｇ／３Ｇネットワークから受信される。
【０１６６】
ＣＳＦＢサービスが開始されたときに登録されたＬＴＥ ＰＬＭＮのアイデンティティ情報を等価ＰＬＭＮリストに付加し、更新された等価ＰＬＭＮリストに従って、前記ＬＴＥ ＰＬＭＮを選択し、前記ＣＳＦＢサービスが終了した時に、前記ＬＴＥネットワークに復帰することを通じて、本発明の実施形態において提供されるＵＥは、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１６７】
ＵＥが本発明の他の実施形態において提供される。図８に示されているように、前記ＵＥは、送受信機８１とプロセッサ８２を具備する。
【０１６８】
前記送受信機８１は、ネットワークデバイスと相互に作用し、ＬＴＥ ＰＬＭＮにおいて、複合登録を実行するために使用される。
【０１６９】
前記プロセッサ８２は、ＣＳＦＢサービスが終了した時に、ＬＴＥ周波数帯域情報に対応する周波数帯域上でＰＬＭＮ選択を実行するために使用され、前記ＬＴＥ周波数帯域情報は、前記ＵＥが前記ＬＴＥ ＰＬＭＮへの複合登録を開始したときに選択されたＬＴＥ周波数帯域の情報である。
【０１７０】
さらに、前記プロセッサ８２は、前記ＬＴＥ周波数帯域情報に対応する前記周波数帯域上でセルを選択し、前記セルのための利用可能なＰＬＭＮから、優先的に前記ＬＴＥ ＰＬＭＮを選択するために使用される。
【０１７１】
さらに、前記ＵＥは、ストレージ８３をさらに具備する。
【０１７２】
前記ストレージ８３は、前記送信器が前記ＣＳＦＢサービスを開始し、回線ドメインにフォールバックするときに、前記ＬＴＥ周波数帯域情報を格納するために使用される。
【０１７３】
前記プロセッサ８２は、前記ＣＳＦＢサービスが終了した時に、前記ストレージから前記ＬＴＥ周波数帯域情報を取得するために使用される。
【０１７４】
複合登録が開始されたときに選択されたＬＴＥ周波数帯域情報上でＰＬＭＮ選択を実行することを通じて、本発明の実施形態において提供されるＵＥは、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１７５】
ＣＳＦＢサービスのためのサービスを提供するために使用される２Ｇ／３Ｇ基地局が提供される。図９に示されているように、前記２Ｇ／３Ｇ基地局は、受信器９１、プロセッサ９２、及びトランスミッタ９３を具備する。
【０１７６】
前記受信器９１は、サービングＭＳＣ／ＶＬＲにより送信された接続開放メッセージを受信するために使用され、前記接続開放メッセージは、ＵＥがＣＳＦＢサービスを開始したときに登録されたＬＴＥ ＰＬＭＮのアイデンティティ情報を具備する。
【０１７７】
前記プロセッサ９２は、前記受信器９１により受信されるＬＴＥ ＰＬＭＮの前記アイデンティティ情報に従って、ターゲット周波数帯域情報を選択するために使用され、前記ターゲット周波数帯域情報は、前記ターゲット周波数帯域情報に対応する周波数帯域上で駐在するためのセルを選択するように前記ＵＥ指示するために使用される。
【０１７８】
前記トランスミッタ９３は、前記プロセッサ９２により選択された前記ターゲット周波数帯域情報を前記ＵＥに送信するために使用される。
【０１７９】
さらに、前記トランスミッタ９３は、優先度情報を前記ＵＥに送信するために使用され、前記優先度情報は、前記周波数帯域情報を具備する。
【０１８０】
ＬＴＥネットワークへの接続確立要求が開始されたときに、前記ＵＥが前記ターゲット周波数情報に対応する周波数帯域上に駐在するＬＴＥセルを選択するように、ＵＥにより登録されたＬＴＥ ＰＬＭＮのアイデンティティ情報に従って、ターゲット周波数帯域情報を選択し、それをＵＥに送信することを通じて、本発明の実施形態において提供される２Ｇ／３Ｇ基地局は、ＵＥが、ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１８１】
ＬＴＥ基地局が、本発明の他の実施形態において提供される。図１０に示されているように、前記基地局は、受信器１００１とプロセッサ１００２とを具備する。
【０１８２】
前記受信器１００１は、ＣＳＦＢサービスが終了した時に、ＵＥにより送信された接続確立要求メッセージを受信するために使用され、前記接続確立要求メッセージは、前記ＵＥのアイデンティティを具備する。
【０１８３】
前記プロセッサ１００２は、前記ＵＥのアイデンティティ及び前記ＵＥが前記ＣＳＦＢサービスを開始した時に登録された前記ＬＴＥ ＰＬＭＮのアイデンティティ情報に従って、前記ＬＴＥ ＰＬＭＮの前記アイデンティティ情報に対応する前記ＬＴＥ ＰＬＭＮを選択するために使用される。
【０１８４】
さらに、それとは別に前記ＬＴＥ基地局は、代わりにストレージ１００３を、さらに具備する。
【０１８５】
前記受信器１００１は、２Ｇ／３Ｇ基地局により送信された前記ＵＥのアイデンティティ及び前記ＬＴＥ ＰＬＭＮの前記アイデンティティ情報を受信するためにさらに使用され、前記２Ｇ／３Ｇ基地局は、前記ＣＳＦＢサービスのためのサービスを提供する基地局である。
【０１８６】
前記ストレージ１００３は、前記２Ｇ／３Ｇ基地局により送信され、前記受信器１００１で受信された、前記ＵＥのアイデンティティ及び前記ＬＴＥ ＰＬＭＮの前記アイデンティティ情報を格納するために使用される。
【０１８７】
さらに、前記受信器１００１は、サービングＭＳＣ／ＶＬＲにより送信された接続開放メッセージを受信するためにさらに使用され、前記接続開放メッセージは、前記ＵＥのアイデンティティ及び前記ＬＴＥ ＰＬＭＮのアイデンティティ情報を具備し、前記ＵＥのアイデンティティ及び前記ＬＴＥ ＰＬＭＮの前記アイデンティティ情報を前記ＬＴＥ基地局に送信する。
【０１８８】
さらに、前記サービングＭＳＣ／ＶＬＲが前記ＵＥの登録されたＭＳＣ／ＶＬＲの場合、前記ＵＥのアイデンティティ及び前記ＬＴＥ ＰＬＭＮの前記アイデンティティ情報は、前記サービングＭＳＣ／ＶＬＲにより、前記ＵＥの登録情報から取得され、又は、
前記サービングＭＳＣ／ＶＬＲが前記ＵＥの登録されたＭＳＣ／ＶＬＲでない場合、前記ＵＥのアイデンティティ及び前記ＬＴＥ ＰＬＭＮの前記アイデンティティ情報は、前記サービングＭＳＣ／ＶＬＲにより登録されたＭＳＣ／ＶＬＲから取得される。
【０１８９】
さらに代わりに、前記ＬＴＥ基地局は、代わりに、前記ＵＥが前記ＣＳＦＢサービスを開始した時にアクセスサービスを提供する基地局であり、前記ＬＴＥ基地局は、ストレージ１００３をさらに具備し、前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を格納するために使用される。
【０１９０】
さらに、前記プロセッサ１００２は、前記ＵＥの前記格納されたアイデンティティ及び前記ＬＴＥ ＰＬＭＮの前記アイデンティティ情報を削除するためにさらに使用される。
【０１９１】
前記ＵＥにより送信されたＵＥのアイデンティティを前記ＵＥの前記格納されたアイデンティティと照合することにより、前記ＬＴＥ ＰＬＭＮの前記アイデンティティ情報を判別するとともに選択することを通じて、本発明の実施形態において提供されるＬＴＥ基地局は、ＵＥが、ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、ＣＳＦＢの後にＬＴＥネットワークに復帰する従来技術において定義される方法と比べ、サービス効率性を改善するとともに、ユーザ体験を向上させる。
【０１９２】
ＵＥが本発明の他の実施形態により提供される。図１１に示されているように、前記ＵＥは、
ＬＴＥ ＰＬＭＮにおいて複合登録を実行するために使用される登録ユニット１１０１と、
ＣＳＦＢサービスを開始して２Ｇ／３Ｇネットワークにフォールバックするために使用されるフォールバックユニット１１０２と、
前記２Ｇ／３Ｇネットワークにおける等価ＰＬＭＮリストを受信するために使用される１１０３と、
前記ＬＴＥ ＰＬＭＮのアイデンティティ情報を、前記受信ユニット１１０３により受信された前記等価ＰＬＭＮリストに付加するために使用される付加ユニット１１０４と、
前記ＣＳＦＢサービスが終了した時に、前記付加ユニット１１０４により修正された等価ＰＬＭＮリストに従って、ＰＬＭＮ選択を実行するために使用される選択ユニット１１０５と、
を具備する。
【０１９３】
さらに、前記選択ユニット１１０５は、前記付加ユニット１１０４により修正された等価ＰＬＭＮリストに従って、前記ＬＴＥ ＰＬＭＮを優先的に選択するために使用される。
【０１９４】
さらに代わりに、前記選択ユニット１１０５は、前記付加ユニット１１０４により修正された等価ＰＬＭＮリストに従って、ＬＴＥ周波数帯域情報に対応する周波数帯域上のセルを選択し、前記セルのための利用可能なＰＬＭＮから優先的に前記ＬＴＥ ＰＬＭＮを選択するために特に使用され、
前記ＬＴＥ周波数帯域情報は、前記ＵＥが、前記ＬＴＥ ＰＬＭＮへの複合登録を開始したときに選択されたＬＴＥ周波数帯域の情報である。
【０１９５】
さらに代わりに、前記選択ユニット１１０５は、
前記付加ユニット１１０４により修正された等価ＰＬＭＮリストに従って、ＬＴＥ周波数帯域情報に対応する周波数帯域上のセルを選択し、前記セルのための利用可能なＰＬＭＮから優先的に前記ＬＴＥ ＰＬＭＮを選択するために特に使用され、
前記ＬＴＥ周波数帯域情報は、前記ＵＥにより、前記２Ｇ／３Ｇネットワークから受信される。
【０１９６】
ＣＳＦＢサービスが開始されたときに登録されたＬＴＥ ＰＬＭＮのアイデンティティ情報を等価ＰＬＭＮリストに付加し、前記ＣＳＦＢサービスが終了した時に、更新された等価ＰＬＭＮリストに従って、前記ＬＴＥ ＰＬＭＮを選択し、前記ＬＴＥネットワークに復帰することを通じて、本発明の実施形態において提供されるＵＥは、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０１９７】
ＵＥが本発明の他の実施形態において提供される。図１２に示されているように、前記ＵＥは、登録ユニット１２０１と選択ユニット１２０２とを具備する。
【０１９８】
前記登録ユニット１２０１は、ＬＴＥ ＰＬＭＮにおいて複合登録を実行するために使用される。
【０１９９】
前記選択ユニット１２０２は、ＣＳＦＢサービスが終了した時に、ＬＴＥ周波数帯域情報に対応する周波数帯域上でＰＬＭＮ選択を実行するために使用され、前記ＬＴＥ周波数帯域情報は、前記ＵＥが、前記ＬＴＥ ＰＬＭＮへの複合登録を開始したときに選択されたＬＴＥ周波数帯域の情報である。
【０２００】
さらに、前記選択ユニット１２０２は、
前記ＬＴＥ周波数情報に対応する前記周波数上のセルを探索し、前記セルのための利用可能なＰＬＭＮから、優先的に前記ＬＴＥ ＰＬＭＮを選択するために使用される。
【０２０１】
さらに、前記ＵＥは、格納ユニット１２０３をさらに具備する。
【０２０２】
前記格納ユニット１２０３は、前記ＣＳＦＢサービスが開始されＣＳドメインにフォールバックされたときに前記ＬＴＥ周波数帯域情報を格納するために使用される。
【０２０３】
前記選択ユニット１２０２は、前記ＣＳＦＢサービスが終了した時に、前記格納ユニットから前記ＬＴＥ周波数情報を取得するためにさらに使用される。
【０２０４】
複合登録が開始されるときに選択されたＬＴＥ周波数帯域情報上でＰＬＭＮ選択を実行することを通じて、本発明の実施形態において提供されるＵＥは、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０２０５】
ＣＳＦＢサービスのためのサービスを提供するために使用される２Ｇ／３Ｇ基地局が、本発明実施形態において提供される。図１３に示されているように、前記基地局は、受信ユニット１３０１、選択ユニット１３０２、及び送信ユニット１３０３を具備する。
【０２０６】
前記受信ユニット１３０１は、サービングＭＳＣ／ＶＬＲにより送信された接続開放メッセージを受信するために使用され、前記接続開放メッセージは、ＵＥがＣＳＦＢサービスを開始したときに登録されたＬＴＥ ＰＬＭＮのアイデンティティ情報を具備する。
【０２０７】
前記選択ユニット１３０２は、前記受信ユニット１３０１により受信されたＬＴＥ ＰＬＭＮの前記アイデンティティ情報に従って、ターゲット周波数帯域情報を選択するために使用され、前記ターゲット周波数帯域情報は、前記ターゲット周波数帯域情報に対応する周波数帯域上で駐在するためのセルを選択するために前記ＵＥを指示するために使用される。
【０２０８】
前記送信ユニット１３０３は、前記選択ユニット１３０２により選択された前記ターゲット周波数帯域情報を前記ＵＥに送信するために使用される。
【０２０９】
さらに、前記送信ユニット１３０３は、
優先度情報を前記ＵＥに送信するために使用され、前記優先度情報は、前記周波数帯域情報を具備する。
【０２１０】
前記ＵＥが、前記ターゲット周波数情報に対応する周波数帯域上で駐在するためのＬＴＥセルを選択するように、ＵＥにより登録された前記ＬＴＥ ＰＬＭＮのアイデンティティ情報に従って、ターゲット周波数帯域情報を選択し、それを前記ＵＥに送信することを通じて、本発明の実施形態において提供される基地局は、前記ＵＥが、前記ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、サービス効率性を改善するとともに、ユーザ体験を向上させる。
【０２１１】
基地局が、本発明の他の実施形態において提供され、前記基地局は、ＬＴＥ基地局でありうる。図１４に示されているように、前記基地局は、受信ユニット１４０１と、選択ユニット１４０２と、を具備する。
【０２１２】
前記受信ユニット１４０１は、ＣＳＦＢサービスが終了した時にＵＥにより送信された接続確立要求メッセージを受信するために使用され、前記接続確立要求メッセージは、前記ＵＥのアイデンティティを具備する。
【０２１３】
前記選択ユニット１４０２は、前記受信ユニット１４０１により受信された、前記ＵＥのアイデンティティ及び前記ＵＥが前記ＣＳＦＢサービスを開始した時に登録されたＬＴＥ ＰＬＭＮのアイデンティティ情報に従って、前記ＬＴＥ ＰＬＭＮの前記アイデンティティ情報に対応する前記ＬＴＥ ＰＬＭＮを選択するために使用される。
【０２１４】
さらに、前記受信ユニット１４０１は、
２Ｇ／３Ｇ基地局により送信された前記ＵＥのアイデンティティ及び前記ＬＴＥ ＰＬＭＮの前記アイデンティティ情報を受信する前に、前記２Ｇ／３Ｇ基地局により、サービングＭＳＣ／ＶＬＲにより送信された接続開放メッセージを受信するためにさらに使用され、前記接続開放メッセージは、前記ＵＥのアイデンティティ及び前記ＬＴＥ ＰＬＭＮの前記アイデンティティ情報を具備し、前記２Ｇ／３Ｇ基地局は、前記ＵＥのアイデンティティ及び前記ＬＴＥ ＰＬＭＮの前記アイデンティティ情報を前記２Ｇ／３Ｇ基地局に送信する。
【０２１５】
さらに、前記サービングＭＳＣ／ＶＬＲが前記ＵＥの登録されたＭＳＣ／ＶＬＲである場合、前記ＵＥのアイデンティティ及び前記ＬＴＥ ＰＬＭＮの前記アイデンティティ情報は、前記サービングＭＳＣ／ＶＬＲにより、前記ＵＥの登録情報から取得され、又は、
前記サービングＭＳＣ／ＶＬＲが前記ＵＥの登録されたＭＳＣ／ＶＬＲでない場合、前記ＵＥのアイデンティティ及び前記ＬＴＥ ＰＬＭＮの前記アイデンティティ情報は、前記サービングＭＳＣ／ＶＬＲにより登録されたＭＳＣ／ＶＬＲから取得される。
【０２１６】
さらに、前記基地局は、前記ＵＥが前記ＣＳＦＢサービスを開始した時にアクセスサービスを提供する基地局であり、前記ＬＴＥ基地局は、
前記ＵＥが前記ＬＴＥ ＰＬＭＮにおける前記ＣＳＦＢサービスを開始したとき、前記ＵＥのアイデンティティ及び前記ＬＴＥ ＰＬＭＮの前記アイデンティティ情報を保存するために使用される格納ユニット１４０３をさらに具備する。
【０２１７】
さらに、前記基地局は、削除ユニット１４０４をさらに具備する。
【０２１８】
前記削除ユニット１４０４は、前記ＵＥの前記格納されたアイデンティティ及び前記ＬＴＥ ＰＬＭＮの前記アイデンティティ情報を削除するために使用される。
【０２１９】
前記ＵＥにより送信された前記ＵＥのアイデンティティと前記ＵＥの前記格納されたアイデンティティを照合することにより前記ＬＴＥ ＰＬＭＮの前記アイデンティティ情報を判別するとともに選択し、本発明の実施形態において提供される基地局は、ＵＥが、ＣＳＦＢが開始されたときに登録されたＬＴＥ ＰＬＭＮに復帰することを確保することができ、不要なＰＬＭＮ間の切り替えを減少させるのみではなく、先に登録されたＬＴＥ ＰＬＭＮにおいて保留されているデータサービスを回復し、これにより、ＣＳＦＢの後にＬＴＥネットワークに復帰する従来技術において定義される方法と比べ、サービス効率性を改善するとともに、ユーザ体験を向上させる。
【０２２０】
前記実施形態の説明を通じ、本発明に関係する当業者であれば、本発明は、必要な一般的なハードウェアとソフトウェアにより実現可能であること、又は、ハードウェアにより実現されてもよいこと、しかしほとんどの場合、前者の方がより良い実施方法であることを明確に理解できる。このような理解の下、本発明の技術的ソリューション又は従来技術への本発明の寄与部分は、大体においてソフトウェア製品の形式で具体化され得る。前記コンピュータソフトウェア製品は、コンピュータデバイス(パーソナルコンピュータ、サーバ、ネットワークデバイスなどでありうる)に本発明の実施形態の方法を実行可能にする複数の命令を備えた、ソフトディスク、ハードディスク、光学ディスク、又はコンピュータのような読み取り可能な記録媒体に格納されている。
【０２２１】
本発明の具体的な実施形態の単にいくつかを説明してきたが、本発明の保護範囲は、それらに限定されるものではない。当業者によって行われるいかなる変形または置換も、本発明の保護範囲内に入るものとする。したがって、本発明の保護範囲は、特許請求の範囲の保護範囲に従うものとする。
【符号の説明】
【０２２２】
７１      受信器
７２      プロセッサ
８１      送受信機
８２      プロセッサ
８３      ストレージ
９１      受信器
９２      プロセッサ
９３      トランスミッタ
１００１  受信器
１００２  プロセッサ
１００３  ストレージ
【国際調査報告】
2016508339.tif 000020
2016508339.tif 000021
2016508339.tif 000022
2016508339.tif 000023